(57)【要約】  多宛先トラフィックを通信するためのシステム、方法、および装置が提供される。本開示の一態様は、ワイヤレス通信の方法を提供する。方法は、２つのメディアアクセス制御プロトコルデータユニット（ＭＰＤＵ）サブフレームを生成することと、Ａ−ＭＰＤＵサブフレームは各々異なる受信機アドレスを備える、２つの集約されたメディアアクセス制御プロトコルデータユニット（Ａ−ＭＰＤＵ）サブフレームを備えるＡ−ＭＰＤＵフレームを生成することと、Ａ−ＭＰＤＵは２つの異なる受信機アドレスと関連付けられる２つの異なる肯定応答ポリシーをシグナリングする、Ａ−ＭＰＤＵフレームを送信することとを含む。
2016533675.tif 000002
【特許請求の範囲】
【請求項１】
装置によって、２つ以上の集約されたメディアアクセス制御プロトコルデータユニット（Ａ−ＭＰＤＵ）サブフレームを備えるＡ−ＭＰＤＵフレームを生成することと、ここにおいて、各Ａ−ＭＰＤＵサブフレームは受信機アドレスを備え、さらに、ここにおいて、前記Ａ−ＭＰＤＵフレームは各Ａ−ＭＰＤＵサブフレームの前記受信機アドレスと関連付けられる１つまたは複数の肯定応答ポリシーのための少なくとも１つの指示を備える、
送信のために前記Ａ−ＭＰＤＵフレームを出力することとを備える、ワイヤレス通信の方法。
【請求項２】
前記１つまたは複数の肯定応答ポリシーが、前記Ａ−ＭＰＤＵサブフレームの対応する１つまたは複数の制御フィールドにおいて示される、請求項１に記載の方法。
【請求項３】
前記１つまたは複数の肯定応答ポリシーの少なくとも１つが、前記２つ以上のＡ−ＭＰＤＵサブフレームを備える前記Ａ−ＭＰＤＵフレームの受信の後で、制御応答フレームが送信されるべきであることを示す、請求項１に記載の方法。
【請求項４】
前記１つまたは複数の肯定応答ポリシーの前記少なくとも１つがさらに、前記２つ以上のＡ−ＭＰＤＵサブフレームを備える前記Ａ−ＭＰＤＵフレームの受信から短フレーム間空間時間後に、前記制御応答フレームが送信されるべきであることを示す、請求項３に記載の方法。
【請求項５】
前記１つまたは複数の肯定応答ポリシーの前記少なくとも１つがさらに、前記１つまたは複数の肯定応答ポリシーの前記少なくとも１つが特定の値に設定される場合に前記制御応答フレームが送信されるべきであることを示す、請求項３に記載の方法。
【請求項６】
前記２つ以上のＡ−ＭＰＤＵサブフレームの少なくとも１つがさらに、メディアアクセス制御プロトコルデータユニット（ＭＰＤＵ）デリミタフィールドを備え、前記ＭＰＤＵデリミタフィールドが、前記２つ以上のＡ−ＭＰＤＵサブフレームの前記少なくとも１つの受信から前記２つ以上のＡ−ＭＰＤＵサブフレームの前記少なくとも１つの肯定応答が送信されるまでに経過することになる時間遅延を示す値を記憶する、請求項１に記載の方法。
【請求項７】
前記２つ以上のＡ−ＭＰＤＵサブフレームの前記少なくとも１つの前記ＭＰＤＵデリミタフィールドによって示される前記時間遅延が、前記ＭＰＤＵデリミタフィールドにおいても示されるバックオフ値に基づく、請求項６に記載の方法。
【請求項８】
前記ＭＰＤＵデリミタフィールドにおいて示される前記バックオフ値が、短フレーム間空間時間と定数値の少なくとも１つに基づく、請求項７に記載の方法。
【請求項９】
前記Ａ−ＭＰＤＵフレームを生成することが、前記２つ以上のＡ−ＭＰＤＵサブフレームの少なくとも１つの中の、フレームの末尾フィールドと肯定応答ポリシーフィールドの少なくとも１つにおいて、受信の肯定応答に対する要求を生成することを備え、前記フレームの末尾フィールドまたは前記肯定応答ポリシーフィールドの中の値が、受信の肯定応答に対する前記要求のタイプを決定する、請求項１に記載の方法。
【請求項１０】
前記Ａ−ＭＰＤＵフレームの送信から短フレーム間空間時間以上の遅延の後に、前記２つ以上のＡ−ＭＰＤＵサブフレームの前記少なくとも１つの受信の前記肯定応答を受信することをさらに備える、請求項９に記載の方法。
【請求項１１】
前記２つ以上のＡ−ＭＰＤＵサブフレームの前記少なくとも１つのための受信の肯定応答に対する前記要求の前記タイプが肯定応答フレームであることを示すように、前記２つ以上のＡ−ＭＰＤＵサブフレームの前記少なくとも１つにおいて前記フレームの末尾フィールドの前記値を設定することをさらに備える、請求項９に記載の方法。
【請求項１２】
前記２つ以上のＡ−ＭＰＤＵサブフレームの前記少なくとも１つのための受信の肯定応答に対する前記要求の前記タイプがブロック肯定応答フレームであることを示すように、前記２つ以上のＡ−ＭＰＤＵサブフレームの前記少なくとも１つにおいて前記フレームの末尾フィールドの前記値を設定することをさらに備える、請求項９に記載の方法。
【請求項１３】
２つ以上の集約されたメディアアクセス制御プロトコルデータユニット（Ａ−ＭＰＤＵ）サブフレームを備えるＡ−ＭＰＤＵフレームを生成するように構成される処理システムと、ここにおいて、各Ａ−ＭＰＤＵサブフレームは受信機アドレスを備え、さらに、ここにおいて、前記Ａ−ＭＰＤＵフレームは各Ａ−ＭＰＤＵサブフレームの前記受信機アドレスと関連付けられる１つまたは複数の肯定応答ポリシーのための少なくとも１つの指示を備える、
送信のために前記Ａ−ＭＰＤＵフレームを出力するためのインターフェースとを備える、ワイヤレス通信のための装置。
【請求項１４】
前記処理システムがさらに、前記２つ以上のＡ−ＭＰＤＵサブフレームの対応する１つまたは複数の制御フィールドにおいて前記１つまたは複数の肯定応答ポリシーを示すように構成される、請求項１３に記載の装置。
【請求項１５】
前記１つまたは複数の肯定応答ポリシーの少なくとも１つが、前記２つ以上のＡ−ＭＰＤＵサブフレームを備える前記Ａ−ＭＰＤＵフレームの受信の後で、制御応答フレームが送信されるべきであることを示す、請求項１３に記載の装置。
【請求項１６】
前記１つまたは複数の肯定応答ポリシーの前記少なくとも１つがさらに、前記２つ以上のＡ−ＭＰＤＵサブフレームを備える前記Ａ−ＭＰＤＵフレームの受信から短フレーム間空間時間後に、前記制御応答フレームが送信されるべきであることを示す、請求項１５に記載の装置。
【請求項１７】
前記処理システムがさらに、前記制御応答フレームが送信のために出力されるべきであることを示すように、前記１つまたは複数の肯定応答ポリシーの前記少なくとも１つを特定の値に設定するように構成される、請求項１５に記載の装置。
【請求項１８】
前記２つ以上のＡ−ＭＰＤＵサブフレームの少なくとも１つが、メディアアクセス制御プロトコルデータユニット（ＭＰＤＵ）デリミタフィールドを備え、前記処理システムが、前記２つ以上のＡ−ＭＰＤＵサブフレームの前記少なくとも１つの受信から前記２つ以上のＡ−ＭＰＤＵサブフレームの前記少なくとも１つの肯定応答が送信のために出力されるまでに経過することになる時間遅延を示す、前記ＭＰＤＵデリミタフィールドに記憶された値を設定するように構成される、請求項１３に記載の装置。
【請求項１９】
前記２つ以上のＡ−ＭＰＤＵサブフレームの前記少なくとも１つの前記ＭＰＤＵデリミタフィールドによって示される前記時間遅延が、前記ＭＰＤＵデリミタフィールドにおいても示されるバックオフ値に基づく、請求項１８に記載の装置。
【請求項２０】
前記ＭＰＤＵデリミタフィールドにおいて示される前記バックオフ値が、短フレーム間空間時間と定数値の少なくとも１つに基づく、請求項１９に記載の装置。
【請求項２１】
前記処理システムがさらに、前記２つ以上のＡ−ＭＰＤＵサブフレームの少なくとも１つの中の、フレームの末尾フィールドと肯定応答ポリシーフィールドの少なくとも１つにおいて、受信の肯定応答に対する要求を生成するように構成され、前記フレームの末尾フィールドまたは前記肯定応答ポリシーフィールドの中の値が、受信の肯定応答に対する前記要求のタイプを決定する、請求項１３に記載の装置。
【請求項２２】
前記処理システムがさらに、前記Ａ−ＭＰＤＵフレームの送信から短フレーム間空間時間以上の遅延の後に受信される、前記２つ以上のＡ−ＭＰＤＵサブフレームの前記少なくとも１つの受信の前記肯定応答を復号するように構成される、請求項２１に記載の装置。
【請求項２３】
前記処理システムがさらに、前記２つ以上のＡ−ＭＰＤＵサブフレームの前記少なくとも１つのための受信の肯定応答に対する前記要求の前記タイプが肯定応答フレームであることを示すように、前記２つ以上のＡ−ＭＰＤＵサブフレームの前記少なくとも１つの中の前記フレームの末尾フィールドの前記値を設定し、前記２つ以上のＡ−ＭＰＤＵサブフレームの前記少なくとも１つに対する受信された肯定応答フレームを復号するように構成される、請求項２１に記載の装置。
【請求項２４】
前記処理システムがさらに、前記２つ以上のＡ−ＭＰＤＵサブフレームの前記少なくとも１つのための受信の肯定応答に対する前記要求の前記タイプがブロック肯定応答フレームであることを示すように、前記２つ以上のＡ−ＭＰＤＵサブフレームの前記少なくとも１つの中の前記フレームの末尾フィールドの前記値を設定し、前記２つ以上のＡ−ＭＰＤＵサブフレームの前記少なくとも１つに対する受信されたブロック肯定応答フレームを復号するように構成される、請求項２１に記載の装置。
【請求項２５】
少なくとも１つのアンテナと、
２つ以上の集約されたメディアアクセス制御プロトコルデータユニット（Ａ−ＭＰＤＵ）サブフレームを備えるＡ−ＭＰＤＵフレームを生成するように構成される処理システムと、ここにおいて、各Ａ−ＭＰＤＵサブフレームは受信機アドレスを備え、さらに、ここにおいて、前記Ａ−ＭＰＤＵフレームは各Ａ−ＭＰＤＵサブフレームの前記受信機アドレスと関連付けられる１つまたは複数の肯定応答ポリシーのための少なくとも１つの指示を備える、
前記少なくとも１つのアンテナを使用して前記Ａ−ＭＰＤＵフレームを送信するように構成される送信機とを備える、ワイヤレス通信のためのワイヤレスノード。
【請求項２６】
２つ以上の集約されたメディアアクセス制御プロトコルデータユニット（Ａ−ＭＰＤＵ）サブフレームを備えるＡ−ＭＰＤＵフレームを生成するための手段と、ここにおいて、各Ａ−ＭＰＤＵサブフレームは受信機アドレスを備え、さらに、ここにおいて、前記Ａ−ＭＰＤＵフレームは各Ａ−ＭＰＤＵサブフレームの前記受信機アドレスと関連付けられる１つまたは複数の肯定応答ポリシーのための少なくとも１つの指示を備える、
前記Ａ−ＭＰＤＵフレームを送信するための手段とを備える、装置。
【請求項２７】
Ａ−ＭＰＤＵフレームを生成するための前記手段が、前記Ａ−ＭＰＤＵサブフレームの対応する１つまたは複数の制御フィールドにおいて前記１つまたは複数の肯定応答ポリシーを示すように構成される、請求項２６に記載の装置。
【請求項２８】
前記１つまたは複数の肯定応答ポリシーの少なくとも１つが、前記２つ以上のＡ−ＭＰＤＵサブフレームを備える前記Ａ−ＭＰＤＵフレームの受信の後で、制御応答フレームが送信されるべきであることを示す、請求項２６に記載の装置。
【請求項２９】
前記１つまたは複数の肯定応答ポリシーの前記少なくとも１つが、前記２つ以上のＡ−ＭＰＤＵサブフレームを備える前記Ａ−ＭＰＤＵフレームの受信から短フレーム間空間時間後に、前記制御応答フレームが送信されるべきであることをさらに示す、請求項２８に記載の装置。
【請求項３０】
Ａ−ＭＰＤＵフレームを生成するための前記手段が、前記Ａ−ＭＰＤＵフレームの受信の後に前記制御応答フレームが送信のために出力されるべきであることをさらに示すように、前記１つまたは複数の肯定応答ポリシーの前記少なくとも１つを特定の値に設定するように構成される、請求項２８に記載の装置。
【請求項３１】
前記２つ以上のＡ−ＭＰＤＵサブフレームの少なくとも１つがさらに、メディアアクセス制御プロトコルデータユニット（ＭＰＤＵ）デリミタフィールドを備え、Ａ−ＭＰＤＵフレームを生成するための前記手段が、前記２つ以上のＡ−ＭＰＤＵサブフレームの前記少なくとも１つの受信から対応するＡ−ＭＰＤＵサブフレームの肯定応答が送信されるまでに経過することになる時間遅延を示す、前記ＭＰＤＵデリミタフィールドに記憶された値を設定するように構成される、請求項２６に記載の装置。
【請求項３２】
前記２つ以上のＡ−ＭＰＤＵサブフレームの前記少なくとも１つの前記ＭＰＤＵデリミタフィールドによって示される前記時間遅延が、前記ＭＰＤＵデリミタフィールドにも示されるバックオフ値に基づく、請求項３１に記載の装置。
【請求項３３】
前記ＭＰＤＵデリミタフィールドにおいて示される前記バックオフ値が、短フレーム間空間時間と定数値の少なくとも１つに基づく、請求項３２に記載の装置。
【請求項３４】
前記Ａ−ＭＰＤＵフレームを生成するための前記手段が、前記２つ以上のＡ−ＭＰＤＵサブフレームの少なくとも１つの中の、フレームの末尾フィールドと肯定応答ポリシーフィールドの少なくとも１つにおいて、受信の肯定応答に対する要求を生成することを備え、前記フレームの末尾フィールドまたは前記肯定応答ポリシーフィールドの中の値が、受信の肯定応答に対する前記要求のタイプを決定する、請求項２６に記載の装置。
【請求項３５】
前記Ａ−ＭＰＤＵフレームの送信から短フレーム間空間時間以上の遅延の後に受信される、前記２つ以上のＡ−ＭＰＤＵサブフレームの前記少なくとも１つの受信の肯定応答を復号するための手段をさらに備える、請求項３４に記載の装置。
【請求項３６】
２つ以上のＡ−ＭＰＤＵサブフレームの少なくとも１つのための受信の肯定応答に対する要求のタイプが肯定応答フレームであることを示すように、前記２つ以上のＡ−ＭＰＤＵサブフレームの前記少なくとも１つの中の前記フレームの末尾フィールドの値を設定するための手段と、前記２つ以上のＡ−ＭＰＤＵサブフレームの前記少なくとも１つに対する受信された肯定応答フレームを復号するための手段とをさらに備える、請求項３４に記載の装置。
【請求項３７】
２つ以上のＡ−ＭＰＤＵサブフレームの少なくとも１つのための受信の肯定応答に対する要求のタイプがブロック肯定応答フレームであることを示すように、前記２つ以上のＡ−ＭＰＤＵサブフレームの前記少なくとも１つの中の前記フレームの末尾フィールドの値を設定するための手段と、前記２つ以上のＡ−ＭＰＤＵサブフレームの前記少なくとも１つに対する受信されたブロック肯定応答フレームを復号するための手段とをさらに備える、請求項３４に記載の装置。
【請求項３８】
実行されると、装置にワイヤレス通信の方法を実行させる命令が符号化された、コンピュータ可読媒体を備えるコンピュータプログラム製品であって、前記方法が、
２つ以上の集約されたメディアアクセス制御プロトコルデータユニット（Ａ−ＭＰＤＵ）サブフレームを備えるＡ−ＭＰＤＵフレームを生成することと、ここにおいて、各Ａ−ＭＰＤＵサブフレームは受信機アドレスを備え、さらに、ここにおいて、前記Ａ−ＭＰＤＵは各Ａ−ＭＰＤＵサブフレームの前記受信機アドレスと関連付けられる１つまたは複数の肯定応答ポリシーのための少なくとも１つの指示を備える、
前記Ａ−ＭＰＤＵフレームを送信することとを備える、コンピュータプログラム製品。
【請求項３９】
装置によって、集約されたメディアアクセス制御プロトコルデータユニット（Ａ−ＭＰＤＵ）フレームを受信することと、
前記装置によって、前記受信されたＡ−ＭＰＤＵフレームの２つ以上のＡ−ＭＰＤＵサブフレームを復号することと、
前記装置によって、前記２つ以上のＡ−ＭＰＤＵサブフレームの各々に対応する受信機アドレスを復号することと、
前記２つ以上のＡ−ＭＰＤＵサブフレームの各々に対する前記復号された受信機アドレスに基づいて、前記受信されたＡ−ＭＰＤＵフレームの前記２つ以上のＡ−ＭＰＤＵサブフレームの少なくとも１つが前記装置に宛てられると決定することとを備える、ワイヤレス通信の方法。
【請求項４０】
前記２つ以上のＡ−ＭＰＤＵサブフレームの各々の対応する少なくとも１つのフィールドにおいて各Ａ−ＭＰＤＵサブフレームの前記受信機アドレスと関連付けられる少なくとも１つの指示に基づいて、前記受信されたＡ−ＭＰＤＵフレームの前記２つ以上のＡ−ＭＰＤＵサブフレームの各々に対応する１つまたは複数の肯定応答ポリシーを復号することをさらに備える、請求項３９に記載の方法。
【請求項４１】
前記２つ以上のＡ−ＭＰＤＵサブフレームの各々の前記少なくとも１つのフィールドが特定の値に設定される場合に、前記少なくとも１つのフィールドの前記特定の値に基づいてフレームを生成することと、前記フレームを送信のための出力することとをさらに備える、請求項４０に記載の方法。
【請求項４２】
前記２つ以上のＡ−ＭＰＤＵサブフレームの前記少なくとも１つの中の前記少なくとも１つのフィールドのフレームの末尾フィールド中の値を復号することをさらに備え、ここにおいて、前記フレームの末尾フィールド中の前記値が１である場合、送信のために生成され出力される前記フレームが肯定応答フレームである、請求項４１に記載の方法。
【請求項４３】
前記２つ以上のＡ−ＭＰＤＵサブフレームの前記少なくとも１つの中の前記少なくとも１つのフィールドのフレームの末尾フィールド中の値を復号することをさらに備え、ここにおいて、前記フレームの末尾フィールド中の前記値が０である場合、送信のために生成され出力される前記フレームがブロック肯定応答フレームである、請求項４１に記載の方法。
【請求項４４】
前記２つ以上のＡ−ＭＰＤＵサブフレームの前記少なくとも１つの中のフレームの末尾フィールド中の値を復号することと、前記値は、前記２つ以上のＡ−ＭＤＰＵサブフレームの各々に対応する前記１つまたは複数の肯定応答ポリシーのための受信の肯定応答に対する要求のタイプを示す、
前記フレームの末尾フィールド中の前記復号された値が１である場合、前記２つ以上のＡ−ＭＰＤＵサブフレームの前記少なくとも１つの受信に肯定応答する肯定応答フレームを生成することと、
前記肯定応答フレームを送信のために出力することとをさらに備える、請求項４０に記載の方法。
【請求項４５】
前記２つ以上のＡ−ＭＰＤＵサブフレームの前記少なくとも１つの中のフレームの末尾フィールド中の値を復号することと、前記復号された値は、前記２つ以上のＡ−ＭＤＰＵサブフレームの各々に対応する前記１つまたは複数の肯定応答ポリシーの受信の肯定応答に対する要求のタイプを示す、
前記フレームの末尾フィールド中の前記復号された値が０である場合、前記２つ以上のＡ−ＭＰＤＵサブフレームの前記少なくとも１つの受信に肯定応答するブロック肯定応答フレームを生成することと、
前記ブロック肯定応答フレームを送信のために出力することとをさらに備える、請求項４０に記載の方法。
【請求項４６】
前記２つ以上のＡ−ＭＰＤＵサブフレームの前記少なくとも１つの中のメディアアクセス制御プロトコルデータユニット（ＭＰＤＵ）デリミタフィールドを復号することと、
前記Ａ−ＭＰＤＵフレームの受信から前記肯定応答フレームを送信のために出力するまでに経過することになる時間遅延を、前記ＭＰＤＵデリミタフィールドに記憶されている値から決定することと、
前記２つ以上のＡ−ＭＰＤＵサブフレームの各々に対応する前記１つまたは複数の肯定応答ポリシーに基づいて、前記時間遅延が経過した後に前記肯定応答フレームを送信のために出力することとをさらに備える、請求項４４に記載の方法。
【請求項４７】
前記ＭＰＤＵデリミタフィールドに記憶されている前記値がバックオフ値である、請求項４６に記載の方法。
【請求項４８】
前記ＭＰＤＵデリミタフィールドに記憶されている前記バックオフ値が、短フレーム間空間時間と定数値の少なくとも１つに基づく、請求項４７に記載の方法。
【請求項４９】
前記２つ以上のＡ−ＭＰＤＵサブフレームの少なくとも１つの受信の肯定応答を生成することと、前記２つ以上のＡ−ＭＰＤＵサブフレームの各々に対応する前記１つまたは複数の肯定応答ポリシーに基づいて、前記Ａ−ＭＤＰＵフレームの送信から短い時間間フレーム空間時間以上の遅延の後に、受信の前記肯定応答を送信のために出力することとをさらに備える、請求項４０に記載の方法。
【請求項５０】
集約されたメディアアクセス制御プロトコルデータユニット（Ａ−ＭＰＤＵ）フレームを受信し、
前記受信されたＡ−ＭＰＤＵフレームの２つ以上のＡ−ＭＰＤＵサブフレームを復号し、
前記２つ以上のＡ−ＭＰＤＵサブフレームの各々に対応する受信機アドレスを復号し、
前記２つ以上のＡ−ＭＰＤＵサブフレームの各々に対する前記復号された受信機アドレスに基づいて、前記受信されたＡ−ＭＰＤＵフレームの前記２つ以上のＡ−ＭＰＤＵサブフレームの少なくとも１つが前記装置に宛てられると決定する
ように構成される処理システムを備える、ワイヤレス通信のための装置。
【請求項５１】
前記処理システムがさらに、
前記２つ以上のＡ−ＭＰＤＵサブフレームの各々の対応する少なくとも１つのフィールドにおいて各Ａ−ＭＰＤＵサブフレームの前記受信機アドレスと関連付けられる少なくとも１つの指示に基づいて、前記装置に宛てられる前記受信されたＡ−ＭＰＤＵフレームの前記２つ以上のＡ−ＭＰＤＵサブフレームの各々に対する肯定応答ポリシーを復号するように構成される、請求項５０に記載の装置。
【請求項５２】
前記処理システムがさらに、前記２つ以上のＡ−ＭＰＤＵサブフレームの各々の前記少なくとも１つのフィールドが特定の値に設定される場合に、前記少なくとも１つのフィールドの前記特定の値に基づいてフレームを生成し、前記フレームを送信のための出力するように構成される、請求項５１に記載の装置。
【請求項５３】
前記処理システムがさらに、前記装置に宛てられる前記受信されたＡ−ＭＰＤＵフレームの前記２つ以上のＡ−ＭＰＤＵサブフレームの前記少なくとも１つの中の前記少なくとも１つのフィールドのフレームの末尾フィールド中の値を復号するように構成され、前記処理システムがさらに、前記フレームの末尾フィールド中の前記値が１である場合、前記フレームを送信のために肯定応答フレームとして生成するように構成される、請求項５２に記載の装置。
【請求項５４】
前記処理システムがさらに、前記装置に宛てられる前記受信されたＡ−ＭＰＤＵフレームの前記２つ以上のＡ−ＭＰＤＵサブフレームの前記少なくとも１つの中の前記少なくとも１つのフィールドのフレームの末尾フィールド中の値を復号するように構成され、前記処理システムがさらに、前記フレームの末尾フィールド中の前記値が０である場合、前記フレームを送信のためにブロック肯定応答フレームとして生成するように構成される、請求項５２に記載の装置。
【請求項５５】
前記処理システムがさらに、前記２つ以上のＡ−ＭＰＤＵサブフレームの前記少なくとも１つの中のフレームの末尾フィールド中の値を復号するように構成され、前記値は前記２つ以上のＡ−ＭＰＤＵサブフレームの各々の前記肯定応答ポリシーのための受信の肯定応答に対する要求のタイプを示す、さらに、前記フレームの末尾フィールド中の前記値が１である場合、送信のために肯定応答フレームを生成するように構成される、請求項５１に記載の装置。
【請求項５６】
前記処理システムがさらに、前記２つ以上のＡ−ＭＰＤＵサブフレームの前記少なくとも１つの中のフレームの末尾フィールド中の値を復号するように構成され、前記値は前記２つ以上のＡ−ＭＰＤＵサブフレームの各々の前記肯定応答ポリシーのための受信の肯定応答に対する要求のタイプを示す、さらに、前記フレームの末尾フィールド中の前記値が０である場合、送信のためにブロック肯定応答フレームを生成するように構成される、請求項５１に記載の装置。
【請求項５７】
前記処理システムがさらに、
前記２つ以上のＡ−ＭＰＤＵサブフレームの前記少なくとも１つの中のメディアアクセス制御プロトコルデータユニット（ＭＰＤＵ）デリミタフィールドを復号し、
前記Ａ−ＭＰＤＵフレームの受信から前記肯定応答フレームの送信までに経過することになる時間遅延を、前記ＭＰＤＵデリミタフィールドに記憶されている値から決定し、
前記２つ以上のＡ−ＭＰＤＵサブフレームの各々の前記肯定応答ポリシーに基づいて、前記時間遅延が経過した後に前記肯定応答フレームを送信のために生成するように構成される、請求項５５に記載の装置。
【請求項５８】
前記ＭＰＤＵデリミタフィールドに記憶されている前記値がバックオフ値である、請求項５７に記載の装置。
【請求項５９】
前記ＭＰＤＵデリミタフィールドに記憶されている前記バックオフ値が、短フレーム間空間時間と定数値の少なくとも１つに基づく、請求項５８に記載の装置。
【請求項６０】
前記処理システムがさらに、前記２つ以上のＡ−ＭＰＤＵサブフレームの各々に対応する前記肯定応答ポリシーに基づいて、前記Ａ−ＭＰＤＵフレームの送信から短フレーム間空間時間以上の遅延の後で前記装置に宛てられる、前記受信されたＡ−ＭＰＤＵフレームの前記２つ以上のＡ−ＭＰＤＵサブフレームの少なくとも１つの受信の肯定応答を送信のために生成するように構成される、請求項５１に記載の装置。
【請求項６１】
少なくとも１つのアンテナと、
前記アンテナを介して集約されたメディアアクセス制御プロトコルデータユニット（Ａ−ＭＰＤＵ）フレームを受信するように構成される受信機と、
前記受信されたＡ−ＭＰＤＵフレームの２つ以上のＡ−ＭＰＤＵサブフレームと、前記２つ以上のＡ−ＭＰＤＵサブフレームの各々に対応する受信機アドレスとを復号し、
前記２つ以上のＡ−ＭＰＤＵサブフレームの各々に対する前記復号された受信機アドレスに基づいて、前記受信されたＡ−ＭＰＤＵフレームの前記２つ以上のＡ−ＭＰＤＵサブフレームの少なくとも１つが前記ワイヤレスノードに宛てられると決定する
ように構成される処理システムとを備える、ワイヤレス通信のためのワイヤレスノード。
【請求項６２】
集約されたメディアアクセス制御プロトコルデータユニット（Ａ−ＭＰＤＵ）フレームを受信するための手段と、
前記受信されたＡ−ＭＰＤＵフレームに基づいて２つ以上のＡ−ＭＰＤＵサブフレームを復号するための手段と、
前記２つ以上のＡ−ＭＰＤＵサブフレームの各々に対応する受信機アドレスを復号するための手段と、
前記２つ以上のＡ−ＭＰＤＵサブフレームの各々に対する前記復号された受信機アドレスに基づいて、前記受信されたＡ−ＭＰＤＵフレームから復号された前記２つ以上のＡ−ＭＰＤＵサブフレームの少なくとも１つが前記装置に宛てられると決定するための手段とを備える、ワイヤレス通信のための装置。
【請求項６３】
前記２つ以上のＡ−ＭＰＤＵサブフレームの各々の対応する少なくとも１つのフィールドの中の各Ａ−ＭＰＤＵサブフレームの前記受信機アドレスと関連付けられる少なくとも１つの指示に基づいて、前記２つ以上のＡ−ＭＰＤＵサブフレームの各々に対する肯定応答ポリシーを復号するための手段をさらに備える、請求項６２に記載の装置。
【請求項６４】
前記２つ以上のＡ−ＭＰＤＵサブフレームの各々の前記少なくとも１つのフィールドが特定の値に設定される場合に、前記少なくとも１つのフィールドの前記特定の値に基づいてフレームを生成するための手段と、前記フレームを送信するための手段とをさらに備える、請求項６３に記載の装置。
【請求項６５】
復号するための前記手段がさらに、前記２つ以上のＡ−ＭＰＤＵサブフレームの前記少なくとも１つの中の前記少なくとも１つのフィールドのフレームの末尾フィールド中の値を復号するように構成され、生成するための前記手段が、肯定応答フレームを生成するように構成され、送信するための前記手段がさらに、前記フレームの末尾フィールド中の前記値が１である場合、前記肯定応答フレームを前記フレームとして送信するように構成される、請求項６４に記載の装置。
【請求項６６】
復号するための前記手段がさらに、前記２つ以上のＡ−ＭＰＤＵサブフレームの前記少なくとも１つの中の前記少なくとも１つのフィールドのフレームの末尾フィールド中の値を復号するように構成され、生成するための前記手段が、肯定応答フレームを生成するように構成され、送信するための前記手段がさらに、前記フレームの末尾フィールド中の前記値が０である場合、ブロック肯定応答フレームを前記フレームとして送信するように構成される、請求項６４に記載の装置。
【請求項６７】
前記２つ以上のＡ−ＭＰＤＵサブフレームの前記少なくとも１つの中のフレームの末尾フィールド中の値を復号するための手段と、前記値は、前記２つ以上のＡ−ＭＰＤＵサブフレームの各々の前記肯定応答ポリシーのための受信の肯定応答に対する要求のタイプを示す、
前記フレームの末尾フィールド中の前記値が１である場合、前記２つ以上のＡ−ＭＰＤＵサブフレームの前記少なくとも１つに対する肯定応答フレームを生成するための手段と、
前記肯定応答フレームを送信するための手段とをさらに備える、請求項６３に記載の装置。
【請求項６８】
前記２つ以上のＡ−ＭＰＤＵサブフレームの前記少なくとも１つの中のフレームの末尾フィールド中の値を復号するための手段と、前記値は、前記２つ以上のＡ−ＭＰＤＵサブフレームの各々の前記肯定応答ポリシーのための受信の肯定応答に対する要求のタイプを示す、
前記フレームの末尾フィールド中の前記値が０である場合、前記２つ以上のＡ−ＭＰＤＵサブフレームの前記少なくとも１つに対するブロック肯定応答フレームを生成するための手段と、
前記ブロック肯定応答フレームを送信するための手段とをさらに備える、請求項６３に記載の装置。
【請求項６９】
前記２つ以上のＡ−ＭＰＤＵサブフレームの前記少なくとも１つの中のメディアアクセス制御プロトコルユニット（ＭＰＤＵ）デリミタフィールドを復号するための手段と、
前記Ａ−ＭＰＤＵフレームの受信から前記肯定応答フレームの送信までに経過することになる時間遅延を、前記ＭＰＤＵデリミタフィールドに記憶されている値から決定するための手段と、
前記２つ以上のＡ−ＭＰＤＵサブフレームの各々の前記肯定応答ポリシーに基づいて、前記時間遅延が経過した後に前記肯定応答フレームを送信するための手段とをさらに備える、請求項６７に記載の装置。
【請求項７０】
前記ＭＰＤＵデリミタフィールド中の前記値がバックオフ値である、請求項６９に記載の装置。
【請求項７１】
短フレーム間空間時間と定数値の少なくとも１つに基づく、前記ＭＰＤＵデリミタフィールドに記憶されている前記バックオフ値、請求項７０に記載の装置。
【請求項７２】
前記２つ以上のＡ−ＭＰＤＵサブフレームの少なくとも１つの受信の肯定応答を生成するための手段と、前記２つ以上のＡ−ＭＰＤＵサブフレームの前記少なくとも１つに対する前記肯定応答ポリシーがブロック肯定応答ポリシーを示す場合、前記Ａ−ＭＰＤＵフレームの送信から短フレーム間空間時間以上の遅延の後で、受信の前記肯定応答を送信するための手段とをさらに備える、請求項６３に記載の装置。
【請求項７３】
実行されると、装置にワイヤレス通信の方法を実行させる命令が符号化された、コンピュータ可読媒体を備えるコンピュータプログラム製品であって、前記方法が、
集約されたメディアアクセス制御プロトコルデータユニット（Ａ−ＭＰＤＵ）フレームを受信することと、
前記受信されたＡ−ＭＰＤＵフレームの２つ以上のＡ−ＭＰＤＵサブフレームを復号することと、
前記２つ以上のＡ−ＭＰＤＵサブフレームの各々に対応する受信機アドレスを復号することと、
前記受信されたＡ−ＭＰＤＵフレームの前記２つ以上のＡ−ＭＰＤＵサブフレームの少なくとも１つが前記装置に宛てられると決定することとを備える、コンピュータプログラム製品。
【請求項７４】
前記装置によって、前記２つ以上のＡ−ＭＰＤＵサブフレームの各々のソース送信機アドレスを示すために、前記２つ以上のＡ−ＭＰＤＵサブフレームの各々の送信機アドレスフィールドを設定することをさらに備える、請求項１に記載の方法。
【請求項７５】
前記処理システムがさらに、前記２つ以上のＡ−ＭＰＤＵサブフレームの各々のソース送信機アドレスを示すように、前記２つ以上のＡ−ＭＰＤＵサブフレームの各々の送信機アドレスフィールドを設定するように構成される、請求項１３に記載の装置。
【請求項７６】
前記２つ以上のＡ−ＭＰＤＵサブフレームの各々のソース送信機アドレスを示すために、前記２つ以上のＡ−ＭＰＤＵサブフレームの各々の送信機アドレスフィールドを設定するための手段をさらに備える、請求項２６に記載の装置。
【発明の詳細な説明】
【技術分野】
【０００１】
[0001]本出願は、全般にワイヤレス通信に関し、より詳細には、多宛先トラフィックを通信するためのシステム、方法、およびデバイスに関する。
【背景技術】
【０００２】
[0002]多くの電気通信システムでは、通信ネットワークは、いくつかの対話している空間的に離れたデバイス間でメッセージを交換するために使用される。ネットワークは、たとえばメトロポリタンエリア、ローカルエリア、またはパーソナルエリアであり得る地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）と呼ばれる。ネットワークはまた、様々なネットワークノードとデバイスとを相互接続するために使用される交換／ルーティング技術（たとえば、回線交換対パケット交換）、送信に利用される物理媒体のタイプ（たとえば、有線対ワイヤレス）、および使用される通信プロトコルのセット（たとえば、インターネットプロトコルスイート、ＳＯＮＥＴ（同期光ネットワーキング）、イーサネット（登録商標）など）によって異なる。
【０００３】
[0003]ワイヤレスネットワークは、ネットワーク要素がモバイルであり、したがって動的な接続性を必要とするとき、またはネットワークアーキテクチャが固定されたトポロジでなくアドホックなトポロジで形成される場合に、好ましいことが多い。ワイヤレスネットワークは、無線、マイクロ波、赤外線、光などの周波数帯域中の電磁波を使用する非誘導伝搬モードでは、無形物理媒体を利用する。ワイヤレスネットワークは、有利には、固定された有線ネットワークと比較すると、ユーザのモビリティと迅速なフィールド展開とを容易にする。
【０００４】
[0004]しかしながら、複数のワイヤレスネットワークが、同じビル、近くのビル、および／または同じ屋外エリアの中に存在することがある。複数のワイヤレスネットワークの普及は、（たとえば、各ワイヤレスネットワークが同じエリアおよび／もしくは周波数帯において動作しているので）干渉、スループットの低下を招くことがあり、ならびに／またはいくつかのデバイスが通信するのを妨げることがある。したがって、ワイヤレスネットワークの密度が高いときに通信するための改善されたシステム、方法、およびデバイスが望まれる。
【発明の概要】
【０００５】
[0005]本発明のシステム、方法、およびデバイスは各々、いくつかの態様を有し、それらのうちのいずれの単一の態様も単独では本発明の望ましい属性を担わない。以下の特許請求の範囲によって表される本発明の範囲を限定することなく、ここでいくつかの特徴が簡単に論じられる。この議論を考慮した後、特に「発明を実施するための形態」と題されるセクションを読んだ後で、本発明の特徴が、ワイヤレスネットワーク中のアクセスポイントと局との間の改善された通信を含む利点をどのように提供するかが理解されるだろう。
【０００６】
[0006]本開示の一態様は、ワイヤレス通信の方法を提供する。一態様では、方法は、ワイヤレスデバイスによって、２つ以上のメディアアクセス制御プロトコルデータユニット（ＭＰＤＵ）サブフレームを備える集約された（aggregated）ＭＰＤＵ（Ａ−ＭＰＤＵ）フレームを生成することと、ここにおいて、各Ａ−ＭＰＤＵサブフレームは受信機アドレスを備え、さらに、ここにおいて、Ａ−ＭＰＤＵフレームは各Ａ−ＭＰＤＵサブフレームの受信機アドレスと関連付けられる１つまたは複数の肯定応答ポリシーのための少なくとも１つの指示を備える、ワイヤレスデバイスによって、Ａ−ＭＰＤＵフレームを送信のために出力することとを含む。
【０００７】
[0007]いくつかの態様では、１つまたは複数の肯定応答ポリシーは、Ａ−ＭＰＤＵサブフレームの対応する１つまたは複数の制御フィールドにおいて示される。いくつかの態様では、１つまたは複数の肯定応答ポリシーの少なくとも１つは、Ａ−ＭＰＤＵの受信の後に制御応答フレームが送信されるべきであることを示す。いくつかの態様では、１つまたは複数の肯定応答ポリシーは、Ａ−ＭＰＤＵの受信からＳＩＦＳ時間後に肯定応答が送信されるべきであることを示す。
【０００８】
[0008]いくつか態様では、１つまたは複数の肯定応答ポリシーの少なくとも１つは、１つまたは複数の肯定応答ポリシーの少なくとも１つが、「普通の肯定応答または暗黙的なブロック肯定応答要求」値のような特定の値に設定されるときに、制御応答フレームが送信されるべきであることを示す。
【０００９】
[0009]方法のいくつかの態様では、２つ以上のＡ−ＭＰＤＵサブフレームの少なくとも１つはＡ−ＭＰＤＵデリミタフィールドを備え、Ａ−ＭＰＤＵデリミタフィールドは対応するＡ−ＭＰＤＵサブフレームの肯定応答の時間遅延を示す。いくつかの態様では、時間遅延は、Ａ−ＭＰＤＵデリミタフィールドにも含まれるバックオフ値に基づく。いくつかの態様では、バックオフ値はＳＩＦＳ時間と定数値の少なくとも１つに基づく。
【００１０】
[0010]いくつかの態様では、方法はまた、２つ以上のＡ−ＭＰＤＵサブフレームの少なくとも１つの中のフィールドにおける受信の肯定応答に対する要求を生成することを含み、このフィールドはフレームの末尾フィールドの値と肯定応答ポリシーフィールドの値の少なくとも１つに基づく値を備え、フィールド中の値は受信の肯定応答に対する要求のタイプを決定する。これらの態様のいくつかでは、受信の肯定応答は、Ａ−ＭＰＤＵの送信からＳＩＦＳ時間以上の遅延の後に受信される。
【００１１】
[0011]いくつかの態様では、方法はまた、２つ以上のＡ−ＭＰＤＵサブフレームの少なくとも１つのための受信の肯定応答に対する要求のタイプが肯定応答フレームであることを示すように、Ａ−ＭＰＤＵフレーム中の２つ以上のＡ−ＭＰＤＵサブフレームの少なくとも１つにおいてフレームの末尾（ＥＯＦ）フィールドの値を設定することを含む。いくつかの態様では、方法はまた、２つ以上のＡ−ＭＰＤＵサブフレームの少なくとも１つのための受信の肯定応答に対する要求のタイプがブロック肯定応答フレームであることを示すように、Ａ−ＭＰＤＵフレーム中の２つ以上のＡ−ＭＰＤＵサブフレームの少なくとも１つにおいてフレームの末尾（ＥＯＦ）フィールドの値を設定することを含む。
【００１２】
[0012]開示される別の態様は、ワイヤレス通信のための装置である。装置は、２つ以上のメディアアクセス制御プロトコルデータユニット（ＭＰＤＵ）サブフレームを備える集約されたメディアアクセス制御プロトコルデータユニット（Ａ−ＭＰＤＵ）フレームを生成するように構成される処理システムと、ここにおいて、各Ａ−ＭＰＤＵサブフレームは受信機アドレスを備え、さらに、ここにおいて、Ａ−ＭＰＤＵフレームは各Ａ−ＭＰＤＵサブフレームの受信機アドレスと関連付けられる１つまたは複数の肯定応答ポリシーのための少なくとも１つの指示を備える、Ａ−ＭＰＤＵフレームを送信のために出力するためのインターフェースとを含む。
【００１３】
[0013]いくつかの態様では、処理システムは、Ａ−ＭＰＤＵサブフレームの対応する１つまたは複数の制御フィールドにおいて１つまたは複数の肯定応答ポリシーを示すように構成される。いくつかの態様では、１つまたは複数の肯定応答ポリシーの１つは、Ａ−ＭＰＤＵフレームの受信の後に制御応答フレームが送信されるべきであることを示す。いくつかの態様では、肯定応答ポリシーは、Ａ−ＭＰＤＵフレームの受信からＳＩＦＳ時間後に肯定応答が送信されるべきであることを示す。
【００１４】
[0014]いくつか態様では、処理システムは、１つまたは複数の肯定応答ポリシーの少なくとも１つを、「普通の肯定応答または暗黙的なブロック肯定応答要求」値のような特定の値に設定するように構成される。いくつかの態様では、２つ以上のＡ−ＭＰＤＵサブフレームの少なくとも１つはＡ−ＭＰＤＵデリミタフィールドを備え、処理システムは、対応するＡ−ＭＰＤＵサブフレームの肯定応答の時間遅延を示すように、Ａ−ＭＰＤＵデリミタフィールドを設定するように構成される。
【００１５】
[0015]いくつかの態様では、時間遅延は、Ａ−ＭＰＤＵデリミタフィールドにも含まれるバックオフ値に基づく。いくつかの態様では、バックオフ値はＳＩＦＳ時間と定数値の少なくとも１つに基づく。いくつかの態様では、処理システムはさらに、２つ以上のＡ−ＭＰＤＵサブフレームの少なくとも１つの中の受信スズフィールドの肯定応答に対する要求を生成するように構成され、このフィールドはフレームの末尾フィールドの値と肯定応答ポリシーフィールドの値の少なくとも１つに基づく値を備え、さらに、フィールド中の値は受信の肯定応答に対する要求のタイプを決定する。いくつかの態様では、処理システムはさらに、Ａ−ＭＰＤＵの送信からＳＩＦＳ時間以上の遅延の後に受信される２つ以上のＡ−ＭＰＤＵサブフレームの少なくとも１つの受信の肯定応答を復号するように構成される。いくつかの態様では、処理システムはさらに、２つ以上のＡ−ＭＰＤＵサブフレームの少なくとも１つのための受信の肯定応答に対する要求のタイプが肯定応答フレームであることを示すように、２つ以上のＡ−ＭＰＤＵサブフレームの少なくとも１つにおいてフレームの末尾フィールドの値を設定し、２つ以上のＡ−ＭＰＤＵサブフレームの少なくとも１つのための受信された肯定応答フレームを復号するように構成される。いくつかの態様では、処理システムはさらに、２つ以上のＡ−ＭＰＤＵサブフレームの少なくとも１つのための受信の肯定応答に対する要求のタイプがブロック肯定応答フレームであることを示すように、２つ以上のＡ−ＭＰＤＵサブフレームの少なくとも１つにおいてフレームの末尾フィールドの値を設定し、２つ以上のＡ−ＭＰＤＵサブフレームの少なくとも１つのための受信されたブロック肯定応答フレームを復号するように構成される。
【００１６】
[0016]開示される別の態様は、アクセスポイントである。アクセスポイントは、少なくとも１つのアンテナと、２つ以上のメディアアクセス制御プロトコルデータユニット（ＭＰＤＵ）サブフレームを備える集約されたメディアアクセス制御プロトコルデータユニット（Ａ−ＭＰＤＵ）フレームを生成するように構成される処理システムと、ここにおいて、各Ａ−ＭＰＤＵサブフレームは受信機アドレスを備え、さらに、ここにおいて、Ａ−ＭＰＤＵフレームは各Ａ−ＭＰＤＵサブフレームの受信機アドレスと関連付けられる１つまたは複数の肯定応答ポリシーのための少なくとも１つの指示を備える、少なくとも１つのアンテナを使用してＡ−ＭＰＤＵフレームを送信するように構成される送信機とを含む。
【００１７】
[0017]開示される別の態様は、装置である。装置は、２つのメディアアクセス制御プロトコルデータユニット（ＭＰＤＵ）サブフレームを備える集約されたメディアアクセス制御プロトコルデータユニット（Ａ−ＭＰＤＵ）フレームを生成するための手段と、ここにおいて、各Ａ−ＭＰＤＵサブフレームは受信機アドレスを備え、さらに、ここにおいて、Ａ−ＭＰＤＵフレームは各Ａ−ＭＰＤＵサブフレームの受信機アドレスと関連付けられる１つまたは複数の肯定応答ポリシーのための少なくとも１つの指示を備える、Ａ−ＭＰＤＵフレームを送信するための手段とを含む。
【００１８】
[0018]いくつかの態様では、２つ以上のメディアアクセス制御プロトコルデータユニット（ＭＰＤＵ）サブフレームを生成するための手段は、処理システムである。いくつかの態様では、２つ以上の集約されたメディアアクセス制御プロトコルデータユニット（Ａ−ＭＰＤＵ）サブフレームを備えるＡ−ＭＰＤＵフレームを生成するための手段は、処理システムである。いくつかの態様では、Ａ−ＭＰＤＵフレームを送信するための手段は送信機である。
【００１９】
[0019]いくつかの態様では、２つ以上のＭＰＤＵサブフレームを生成するための手段は、Ａ−ＭＰＤＵサブフレームの対応する１つまたは複数の制御フィールドにおいて１つまたは複数の肯定応答ポリシーを示すように構成される。いくつかの態様では、１つまたは複数の肯定応答ポリシーの１つは、Ａ−ＭＰＤＵの受信の後に制御応答フレームが送信されるべきであることを示す。いくつかの態様では、肯定応答ポリシーは、Ａ−ＭＰＤＵの受信からＳＩＦＳ時間後に肯定応答が送信されるべきであることを示す。いくつかの態様では、２つ以上のＭＰＤＵサブフレームを生成するための手段は、１つまたは複数の肯定応答ポリシーの少なくとも１つを、「普通の肯定応答または暗黙的なブロック肯定応答要求」値のような特定の値に設定するように構成される。いくつかの態様では、２つ以上のＡ−ＭＰＤＵサブフレームの少なくとも１つはＡ−ＭＰＤＵデリミタフィールドを備え、２つ以上のＭＰＤＵサブフレームを生成するための手段は、対応するＡ−ＭＰＤＵサブフレームの肯定応答の時間遅延を示すように、Ａ−ＭＰＤＵデリミタフィールドを設定するように構成される。いくつかの態様では、時間遅延は、Ａ−ＭＰＤＵデリミタフィールドに含まれるバックオフ値に基づく。いくつかの態様では、バックオフ値はＳＩＦＳ時間と定数値の少なくとも１つに基づく。いくつかの態様では、装置が２つ以上のＡ−ＭＰＤＵサブフレームを備えるＡ−ＭＰＤＵフレームを生成するための手段も含むは、２つ以上のＡ−ＭＰＤＵサブフレームの少なくとも１つの中のフィールドにおける受信の肯定応答に対する要求を生成することを備え、このフィールドはフレームの末尾フィールドの値と肯定応答ポリシーフィールドの値の少なくとも１つに基づく値を備え、さらにフィールド中の値は受信の肯定応答に対する要求のタイプを決定する。
【００２０】
[0020]いくつかの態様では、装置はさらに、Ａ−ＭＰＤＵフレームの送信から短フレーム間空間時間以上の遅延の後に受信される２つ以上のＡ−ＭＰＤＵサブフレームの少なくとも１つの受信の肯定応答を復号するための手段を含む。いくつかの態様では、装置はまた、Ａ−ＭＰＤＵサブフレームのフレームの末尾（ＥＯＦ）フィールドが０であるときに、Ａ−ＭＰＤＵサブフレームの１つに対するブロック肯定応答フレームを復号するための手段を含む。いくつかの態様では、装置はまた、１つのＡ−ＭＰＤＵサブフレームのフレームの末尾（ＥＯＦ）フィールドが設定されるときに、１つのＡ−ＭＰＤＵサブフレームに対する肯定応答フレームを復号するための手段を含む。
【００２１】
[0021]開示される別の態様は、実行されると、装置にワイヤレス通信の方法を実行させる命令が符号化された、コンピュータ可読媒体を備えるコンピュータプログラム製品であり、前記方法は、
[0022]２つ以上の集約されたメディアアクセス制御プロトコルデータユニット（Ａ−ＭＰＤＵ）サブフレームを備えるＡ−ＭＰＤＵフレームを生成することと、ここにおいて、各Ａ−ＭＰＤＵサブフレームは受信機アドレスを備え、さらにＡ−ＭＰＤＵは各Ａ−ＭＰＤＵサブフレームの受信機アドレスと関連付けられる１つまたは複数の肯定応答ポリシーのための少なくとも１つの指示を備える、Ａ−ＭＰＤＵフレームを送信することとを備える。
【００２２】
[0023]開示される別の態様は、ワイヤレス通信の方法である。方法は、ワイヤレスデバイスによって、集約されたメディアアクセス制御プロトコルデータユニット（Ａ−ＭＰＤＵ）フレームを受信することと、ワイヤレスデバイスによって、受信されたＡ−ＭＰＤＵフレームの２つ以上のＡ−ＭＰＤＵサブフレームを復号することと、装置によって、２つ以上のＡ−ＭＰＤＵサブフレームの各々に対応する受信機アドレスを復号することと、受信されたＡ−ＭＰＤＵフレームの２つ以上のＡ−ＭＰＤＵサブフレームの少なくとも１つが２つ以上のＡ−ＭＰＤＵサブフレームの各々に対する復号された受信機アドレスに基づいて装置に宛てられると決定することとを含む。
【００２３】
[0024]いくつかの態様では、方法はまた、２つ以上のＡ−ＭＰＤＵサブフレームの各々の対応する少なくとも１つのフィールドにおいて各Ａ−ＭＰＤＵサブフレームの受信機アドレスと関連付けられる少なくとも１つの指示に基づいて、受信されたＡ−ＭＰＤＵフレームの２つ以上のＡ−ＭＰＤＵサブフレームの各々に対応する１つまたは複数の肯定応答ポリシーを復号することを含む。いくつかの態様では、方法はまた、２つ以上のＡ−ＭＰＤＵサブフレームの各々のフィールドが特定の値に設定される場合、フィールドの特定の値に基づいてフレームを生成することと、フレームを送信のために出力することとを含む。いくつかの態様では、方法はまた、２つ以上のＡ−ＭＰＤＵサブフレームの少なくとも１つの中のフレームの末尾フィールド中の値を復号することを含み、フレームの末尾フィールド中の値が１である場合、送信のために生成され出力されるフレームは肯定応答フレームである。いくつかの態様では、方法はまた、２つ以上のＡ−ＭＰＤＵサブフレームの少なくとも１つの中のフレームの末尾フィールド中の値を復号することを含み、フレームの末尾フィールド中の値が０である場合、送信のために生成され出力されるフレームはブロック肯定応答肯定応答フレームである。いくつかの態様では、方法はまた、２つ以上のＡ−ＭＰＤＵサブフレームの少なくとも１つの中のフレームの末尾フィールド中の値を復号することと、この値は２つ以上のＡ−ＭＤＰＵサブフレームの各々に対応する１つまたは複数の肯定応答ポリシーのための受信の肯定応答に対する要求のタイプを示す、フレームの末尾フィールド中の復号された値が１である場合、２つ以上のＡ−ＭＰＤＵサブフレームの少なくとも１つの受信に肯定応答する肯定応答フレームを生成することと、肯定応答フレームを送信のために出力することとを含む。
【００２４】
[0025]いくつかの態様では、方法はまた、２つ以上のＡ−ＭＰＤＵサブフレームの少なくとも１つの中のフレームの末尾フィールド中の値を復号することと、この値は２つ以上のＡ−ＭＤＰＵサブフレームの各々に対応する１つまたは複数の肯定応答ポリシーのための受信の肯定応答に対する要求のタイプを示す、フレームの末尾フィールド中の復号された値が０である場合、２つ以上のＡ−ＭＰＤＵサブフレームの少なくとも１つの受信を肯定応答するブロック肯定応答フレームを生成することと、ブロック肯定応答フレームを送信のために出力することとを含む。いくつかの態様では、方法はさらに、２つ以上のＡ−ＭＰＤＵサブフレームの少なくとも１つの中のメディアアクセス制御プロトコルデータユニット（ＭＰＤＵ）デリミタフィールドを復号することと、デリミタフィールドに記憶されている値から、Ａ−ＭＰＤＵフレームの受信から肯定応答フレームを送信のため出力するまでに経過することになる時間遅延を決定することと、２つ以上のＡ−ＭＰＤＵサブフレームの各々に対応する復号された肯定応答ポリシーに基づいて、その時間遅延が経過した後で肯定応答フレームを送信のために出力することとを含む。いくつかの態様では、方法はさらに、ＭＰＤＵデリミタフィールドに記憶されている値がバックオフ値である場合、または、ＭＰＤＵデリミタフィールドに記憶されているバックオフ値が短フレーム間空間時間と定数値の少なくとも１つに基づく場合を含む。いくつかの態様では、方法は、２つ以上のＡ−ＭＰＤＵサブフレームの少なくとも１つの受信の肯定応答を生成することを備えることと、２つ以上のＡ−ＭＤＰＵサブフレームの各々に対応する復号された１つまたは複数の肯定応答ポリシーに基づいて、Ａ−ＭＰＤＵフレームの送信から短い時間間フレーム空間時間以上の遅延の後に、受信の肯定応答を送信のために出力することとを含む。いくつかの態様では、方法はさらに、装置によって、２つ以上のＡ−ＭＰＤＵサブフレームの各々のソース送信機アドレスを示すために、２つ以上のＡ−ＭＰＤＵサブフレームの各々の送信機アドレスフィールドを設定することを備える。
【００２５】
[0026]開示される別の態様は、ワイヤレス通信のための装置である。装置は、集約されたメディアアクセス制御プロトコルデータユニット（ＭＰＤＵ）フレームを受信するように構成される受信機と、受信されたＡ−ＭＰＤＵフレームの２つ以上のＡ−ＭＰＤＵサブフレームを復号し、各々の２つ以上のＡ−ＭＰＤＵサブフレームに対応する受信機アドレスを復号し、２つ以上のＡ−ＭＰＤＵサブフレームの各々に対する復号された受信機アドレスに基づいて、受信されたＡ−ＭＰＤＵフレームの２つ以上のＡ−ＭＰＤＵサブフレームの少なくとも１つが装置に宛てられると決定するように構成される処理システムとを含む。装置のいくつかの態様では、処理システムはさらに、２つ以上のＡ−ＭＰＤＵサブフレームの各々の対応する少なくとも１つのフィールドの中の各Ａ−ＭＰＤＵサブフレームの受信機アドレスと関連付けられる少なくとも１つの指示に基づいて装置に宛てられる、受信されたＡ−ＭＰＤＵフレームの２つ以上のＡ−ＭＰＤＵサブフレームの各々に対する肯定応答ポリシー肯定応答ポリシーを復号するように構成される。
【００２６】
[0027]装置のいくつかの態様はまた、２つ以上のＡ−ＭＰＤＵサブフレームの各々の少なくとも１つのフィールドが特定の値に設定される場合に、フレームを生成し、フレームを送信のために出力することようにさらに構成される、処理システムを含む。
【００２７】
[0028]いくつかの態様では、処理システムはさらに、装置に宛てられる受信されたＡ−ＭＰＤＵフレームの２つ以上のＡ−ＭＰＤＵサブフレームの少なくとも１つの中のフレームの末尾フィールド中の値を復号するように構成され、処理システムはさらに、フレームの末尾フィールド中の値が１である場合、フィールドの特定の値に基づいて、フレームを送信のために肯定応答フレームとして生成するように構成される。いくつかの態様では、処理システムはさらに、装置に宛てられる受信されたＡ−ＭＰＤＵフレームの２つ以上のＡ−ＭＰＤＵサブフレームの少なくとも１つの中のフレームの末尾フィールド中の値を復号するように構成され、処理システムはさらに、フレームの末尾フィールド中の値が０である場合、フレームを送信のためにブロック肯定応答フレームとして生成するように構成される。いくつかの態様では、処理システムはさらに、２つ以上のＡ−ＭＰＤＵサブフレームの少なくとも１つの中の少なくとも１つのフィールドのフレームの末尾フィールド中の値を復号するように構成され、この値は２つ以上のＡ−ＭＰＤＵサブフレームの各々の肯定応答ポリシーのための受信の肯定応答に対する要求のタイプを示す、さらに、フレームの末尾フィールド中の復号された値が１である場合、送信のために肯定応答フレームを生成するように構成される。いくつかの態様では、処理システムはさらに、２つ以上のＡ−ＭＰＤＵサブフレームの少なくとも１つの中の少なくとも１つのフィールドのフレームの末尾フィールド中の値を復号するように構成され、この値は２つ以上のＡ−ＭＰＤＵサブフレームの各々の肯定応答ポリシーのための受信の肯定応答に対する要求のタイプを示し、さらに、フレームの末尾フィールド中の復号された値が０である場合、送信のためにブロック肯定応答フレームを生成するように構成される。いくつかの態様では、処理システムはさらに、２つ以上のＡ−ＭＰＤＵサブフレームの少なくとも１つの中のメディアアクセス制御プロトコルデータユニット（ＭＰＤＵ）デリミタフィールドを復号し、デリミタフィールドに記憶されている値から、Ａ−ＭＰＤＵフレームの受信から肯定応答フレームの送信までに経過することになる時間遅延を決定し、２つ以上のＡ−ＭＰＤＵサブフレームの各々の復号された肯定応答ポリシーに基づいて、その時間遅延が経過した後で肯定応答フレームを送信のために生成するように構成される。いくつかの態様では、ＭＰＤＵデリミタフィールドに記憶されている値はバックオフ値である。いくつかの態様では、ＭＰＤＵデリミタフィールドに記憶されているバックオフ値は、短フレーム間空間時間と定数値の少なくとも１つに基づく。いくつかの態様では、処理システムはさらに、２つ以上のＡ−ＭＰＤＵサブフレームの各々に対応する復号された１つまたは複数の肯定応答ポリシーに基づいて、Ａ−ＭＰＤＵフレームの送信から短フレーム間空間時間以上の遅延の後で装置に宛てられる、受信されたＡ−ＭＰＤＵフレームの２つ以上のＡ−ＭＰＤＵサブフレームの少なくとも１つの受信の肯定応答を送信のために生成するように構成される。いくつかの態様では、処理システムはさらに、２つ以上のＡ−ＭＰＤＵサブフレームの各々のソース送信機アドレスを示すように、２つ以上のＡ−ＭＰＤＵサブフレームの各々の送信機アドレスフィールドを設定するように構成される。
【００２８】
[0029]開示される別の態様は、ワイヤレス通信のための局である。局は、少なくとも１つのアンテナと、アンテナを介して集約されたメディアアクセス制御プロトコルデータユニット（Ａ−ＭＰＤＵ）フレームを受信するように構成される受信機と、受信されたＡ−ＭＰＤＵフレームの２つ以上のＡ−ＭＰＤＵサブフレームを復号し、２つ以上のＡ−ＭＰＤＵサブフレームの各々に対応する受信機アドレスを復号し、２つ以上のＡ−ＭＰＤＵサブフレームの各々に対する復号された受信機アドレスに基づいて、受信されたＡ−ＭＰＤＵフレームの２つ以上のＡ−ＭＰＤＵサブフレームの少なくとも１つが装置に宛てられると決定するように構成される処理システムとを含む。
【００２９】
[0030]開示される別の態様は、ワイヤレス通信のための装置である。装置は、集約されたメディアアクセス制御プロトコルデータユニット（ＭＰＤＵ）フレームを受信するための手段と、受信されたＡ−ＭＰＤＵフレームの２つ以上のＡ−ＭＰＤＵサブフレームを復号するための手段と、２つ以上のＡ−ＭＰＤＵサブフレームの各々に対応する受信機アドレスを復号するための手段とを含む。いくつかの態様では、装置はまた、２つ以上のＡ−ＭＰＤＵサブフレームの各々に対する復号された受信機アドレスに基づいて、２つのＡ−ＭＰＤＵサブフレームの１つが装置に宛てられると決定するための手段を含む。
【００３０】
[0031]装置のいくつかの態様は、２つ以上のＡ−ＭＰＤＵサブフレームの各々の対応する少なくとも１つのフィールドの中の各Ａ−ＭＰＤＵサブフレームの受信機アドレスと関連付けられる少なくとも１つの指示に基づいて、２つ以上のＡ−ＭＰＤＵサブフレームの各々に対する肯定応答ポリシーを復号するための手段を含む。
【００３１】
[0032]装置のいくつかの態様はまた、２つ以上のＡ−ＭＰＤＵサブフレームの各々の少なくとも１つのフィールドが特定の値に設定される場合に、少なくとも１つのフィールドの特定の値に基づいてフレームを生成するための手段と、フレームを送信するための手段とを含む。いくつかの態様では、復号するための手段はさらに、２つ以上のＡ−ＭＰＤＵサブフレームの少なくとも１つの中の少なくとも１つのフィールドのフレームの末尾フィールド中の値を復号するように構成され、送信するための手段はさらに、フレームの末尾フィールド中の値が１である場合、肯定応答フレームをフレームとして送信するように構成される。いくつかの態様では、復号するための手段はさらに、２つ以上のＡ−ＭＰＤＵサブフレームの少なくとも１つの中の少なくとも１つのフィールドのフレームの末尾フィールドにおいて設定される値を復号するように構成され、送信するための手段はさらに、フレームの末尾フィールド中の値が０である場合、ブロック肯定応答フレームをフレームとして送信するように構成される。
【００３２】
[0033]装置のいくつかの態様はさらに、２つ以上のＡ−ＭＰＤＵサブフレームの少なくとも１つの中のフレームの末尾フィールド中の値を復号するための手段と、この値は２つ以上のＡ−ＭＰＤＵサブフレームの各々の肯定応答ポリシーのための受信の肯定応答に対する要求のタイプを示す、フレームの末尾フィールド中の値が１である場合、２つ以上のＡ−ＭＰＤＵサブフレームの少なくとも１つのための肯定応答フレームを生成するための手段と、肯定応答フレームを送信するための手段とを含む。いくつかの態様では、装置はまた、２つ以上のＡ−ＭＰＤＵサブフレームの少なくとも１つの中のフレームの末尾フィールド中の値を復号するための手段と、この値は２つ以上のＡ−ＭＰＤＵサブフレームの各々の肯定応答ポリシーのための受信の肯定応答に対する要求のタイプを示す、フレームの末尾フィールド中の値が０である場合、２つ以上のＡ−ＭＰＤＵサブフレームの少なくとも１つのためのブロック肯定応答フレームを生成するための手段と、ブロック肯定応答フレームを送信するための手段とを含む。いくつかの態様では、装置はまた、２つ以上のＡ−ＭＰＤＵサブフレームの少なくとも１つの中のメディアアクセス制御プロトコルユニット（ＭＰＤＵ）デリミタフィールドを復号するための手段と、デリミタフィールドに記憶されている値から、Ａ−ＭＰＤＵフレームの受信から肯定応答フレームの送信までに経過することになる時間遅延を決定するための手段と、２つ以上のＡ−ＭＰＤＵサブフレームの各々の復号された肯定応答ポリシーに基づいて、その時間遅延が経過した後で肯定応答フレームを送信するための手段とを含む。いくつかの態様では、ＭＰＤＵデリミタフィールド中の値はバックオフ値である。いくつかの態様では、短フレーム間空間時間と定数値の少なくとも１つに基づく、ＭＰＤＵデリミタフィールドに記憶されているバックオフ値。
【００３３】
[0034]いくつかの態様では、装置はまた、２つ以上のＡ−ＭＰＤＵサブフレームの少なくとも１つの受信の肯定応答を生成するための手段と、２つ以上のＡ−ＭＰＤＵサブフレームの少なくとも１つに対する肯定応答ポリシーがブロック肯定応答ポリシーを示す場合、Ａ−ＭＰＤＵフレームの送信から短フレーム間空間時間以上の遅延の後で、受信の肯定応答を送信するための手段とを含む。
【００３４】
[0035]いくつかの態様では、受信するための手段は受信機である。いくつかの態様では、２つのＡ−ＭＰＤＵサブフレームを復号するための手段は処理システムである。いくつかの態様では、２つの異なる受信機アドレスを復号するための手段は処理システムである。いくつかの態様では、決定するための手段は処理システムである。いくつかの態様では、１つのＡ−ＭＰＤＵサブフレームの肯定応答ポリシーを復号するための手段は処理システムである。いくつかの態様では、肯定応答ポリシーが特定の値に設定される場合に制御フレームを送信するための手段は送信機である。いくつかの態様では、Ａ−ＭＰＤＵサブフレーム中のフレームの末尾フィールドを復号するための手段は処理システムである。いくつかの態様では、制御フレームを送信するための時間遅延を決定するための手段は処理システムである。いくつかの態様では、Ａ−ＭＰＤＵサブフレームのための肯定応答に対する要求を受信するための手段は受信機である。
【００３５】
[0036]いくつかの態様では、装置はさらに、２つ以上のＡ−ＭＰＤＵサブフレームの各々のソース送信機アドレスを示すように、２つ以上のＡ−ＭＰＤＵサブフレームの各々の送信機アドレスフィールドを設定するための手段を含む。
【００３６】
[0037]開示される別の態様は、実行されると装置にワイヤレス通信の方法を実行させる命令が符号化された、コンピュータ可読媒体を備えるコンピュータプログラム製品であり、前記方法は、集約されたメディアアクセス制御プロトコルデータユニット（ＭＰＤＵ）フレームを受信することと、受信されたＡ−ＭＰＤＵフレームの２つ以上のＡ−ＭＰＤＵサブフレームを復号することと、２つ以上のＡ−ＭＰＤＵサブフレームの各々に対応する受信機アドレスを復号することとを含む。
【図面の簡単な説明】
【００３７】
【図１】[0038]本開示の態様が利用され得る例示的なワイヤレス通信システムを示す図。
【図２Ａ】[0039]複数のワイヤレス通信ネットワークが存在するワイヤレス通信システムを示す図。
【図２Ｂ】[0040]複数のワイヤレス通信ネットワークが存在する別のワイヤレス通信システムを示す図。
【図３】[0041]図１、図２Ａ、および図２Ｂのワイヤレス通信システム内で利用され得る周波数多重化技法を示す図。
【図４】[0042]図１、図２Ａ、図２Ｂ、および図３のワイヤレス通信システム内で利用され得る例示的なワイヤレスデバイスの機能ブロック図。
【図５Ａ】[0043]図１、図２Ａ、図２Ｂ、および図３のワイヤレス通信システム中の３つの局へアクセスポイントによって送信される複数のメッセージを示す図。
【図５Ｂ】[0044]図１、図２Ａ、図２Ｂ、および図３のワイヤレス通信システム中の３つの局へアクセスポイントによって送信される単一のＡ−ＭＰＤＵを示す図。
【図６】[0045]メディアアクセス制御プロトコルデータユニット（ＭＰＤＵ）サブフレームの例示的な構造を示す図。
【図７】[0046]サービス品質（ＱｏＳ）制御（ｑｃ）フィールドの例示的な構造を示す図。
【図８】[0047]集約されたＭＰＤＵ（Ａ−ＭＰＤＵ）フレームの例示的な構造を示す図。
【図９Ａ】[0048]ＭＰＤＵデリミタフィールドのある実施形態を示す図。
【図９Ｂ】[0049]ＭＰＤＵデリミタフィールドの代替的な実施形態を示す図。
【図９Ｃ】[0050]３つのＡ−ＭＰＤＵサブフレームを含むＡ−ＭＰＤＵフレームを示す図。
【図９Ｄ】[0051]アクセスポイントと３つの局との間の例示的なワイヤレス通信を示す図。
【図９Ｅ】[0052]３つのＡ−ＭＰＤＵサブフレームを含むＡ−ＭＰＤＵフレームのある実施形態を示す図。
【図９Ｆ】[0053]アクセスポイントと３つの局との間の例示的なワイヤレス通信を示す図。
【図１０Ａ】[0054]Ａ−ＭＰＤＵのある実施形態を示す図。
【図１０Ｂ】[0055]アクセスポイントと３つの局との間の例示的なワイヤレス通信を示す図。
【図１０Ｃ】[0056]Ａ−ＭＰＤＵのある実施形態を示す図。
【図１０Ｄ】[0057]アクセスポイントと３つの局との間の例示的なワイヤレス通信を示す図。
【図１１Ａ】[0058]ワイヤレス通信の１つの例示的な方法のフローチャート。
【図１１Ｂ】[0059]ワイヤレス通信システム内で利用され得る例示的なワイヤレスデバイスの機能ブロック図。
【図１２Ａ】[0060]ワイヤレス通信の１つの例示的な方法のフローチャート。
【図１２Ｂ】[0061]ワイヤレス通信システム内で利用され得る例示的なワイヤレスデバイスの機能ブロック図。
【図１３Ａ】[0062]ワイヤレス通信の１つの例示的な方法のフローチャート。
【図１３Ｂ】[0063]ワイヤレス通信システム内で利用され得る例示的なワイヤレスデバイスの機能ブロック図。
【発明を実施するための形態】
【００３８】
[0064]添付の図面を参照して、新規のシステム、装置、および方法の様々な態様が以下でより完全に説明される。しかしながら、本開示教示は、多くの異なる形態で具現化され得るものであり、本開示全体にわたって提示される任意の特定の構造または機能に限定されるものと解釈されるべきではない。むしろ、これらの態様は、本開示が徹底的で完全なものとなり、本開示の範囲を当業者に完全に伝えるように、与えられる。本明細書の教示に基づいて、本開示の範囲は、本発明の他の態様とは独立に実装されるか、本発明の他の態様と組み合わせて実装されるかにかかわらず、本明細書で開示される新規のシステム、装置、および方法のあらゆる態様を包含するものであることを、当業者は理解されたい。たとえば、本明細書に記載される任意の数の態様を使用して、装置が実装されてよく、または方法が実践されてよい。加えて、本発明の範囲は、本明細書で述べられる本発明の様々な態様に加えて、またはそれ以外の、他の構造、機能、または構造および機能を使用して実施されるような装置または方法を包含することが意図される。本明細書で開示されるいずれの態様も、請求項の１つまたは複数の要素によって具現化され得ることを理解されたい。
【００３９】
[0065]本明細書では特定の態様が説明されるが、これらの態様の多くの変形および置換が本開示の範囲内に入る。好ましい態様のいくつかの利益および利点が述べられるが、本開示の範囲は、特定の利益、使用、または目的に限定されることは意図されない。むしろ、本開示の態様は、様々なワイヤレス技術、システム構成、ネットワーク、および伝送プロトコルに広く適用可能であることが意図され、それらのいくつかが例として、図において、および好適な態様の以下の説明において示される。発明を実施するための形態および図面は、限定的なものではなく本開示を例示するものにすぎず、本開示の範囲は、添付の特許請求の範囲およびその均等物によって規定される。
【００４０】
[0066]普及しているワイヤレスネットワーク技術は、様々なタイプのワイヤレスローカルエリアネットワーク（ＷＬＡＮ）を含み得る。ＷＬＡＮは、広く使用されているネットワーキングプロトコルを利用して、近くのデバイスを一緒に相互接続するために使用され得る。本明細書で説明される様々な態様は、ワイヤレスプロトコルのような任意の通信規格に適用され得る。
【００４１】
[0067]いくつかの態様では、ワイヤレス信号は、直交周波数分割多重化（ＯＦＤＭ）、直接シーケンススペクトル拡散（ＤＳＳＳ：direct-sequence spread spectrum）通信、ＯＦＤＭ通信とＤＳＳＳ通信との組合せ、または他の方式を使用して、高効率８０２．１１プロトコルに従って送信され得る。高効率８０２．１１プロトコルの実装形態は、インターネットアクセス、センサ、計測、スマートグリッドネットワーク、または他のワイヤレス適用例のために使用され得る。有利なことに、本明細書で開示される技法を使用する高効率８０２．１１プロトコルを実装しているいくつかのデバイスの態様は、同じエリアにおけるピアツーピアサービス（たとえば、Ｍｉｒａｃａｓｔ、Ｗｉ−Ｆｉ  Ｄｉｒｅｃｔ（登録商標）  Ｓｅｒｖｉｃｅｓ、Ｓｏｃｉａｌ  Ｗｉ−Ｆｉ（登録商標）など）の増大を可能にすること、ユーザ当たりの最小スループットの要件の増大をサポートすること、より多くのユーザをサポートすること、改善された屋外カバレッジとロバスト性とをもたらすこと、および／または他のワイヤレスプロトコルを実装しているデバイスよりも少ない電力を消費することを含み得る。
【００４２】
[0068]いくつかの実施態様では、ＷＬＡＮは、ワイヤレスネットワークにアクセスするコンポーネントである様々なデバイスを含む。たとえば、２つのタイプのデバイス、すなわちアクセスポイント（「ＡＰ」）と（局または「ＳＴＡ」とも呼ばれる）クライアントとがあり得る。一般に、ＡＰはＷＬＡＮのためのハブまたは基地局として機能することができ、ＳＴＡはＷＬＡＮのユーザとして機能する。たとえば、ＳＴＡはラップトップコンピュータ、携帯情報端末（ＰＤＡ）、携帯電話などであり得る。一例では、ＳＴＡは、ＷｉＦｉ（登録商標）（たとえばＩＥＥＥ８０２．１１プロトコル）準拠ワイヤレスリンクを介してＡＰに接続して、インターネットまたは他の広域ネットワークへの一般的な接続性を得る。いくつかの実装態様では、ＳＴＡは、ＡＰとしても使用され得る。
【００４３】
[0069]開示される別の態様は、ワイヤレス通信のためのワイヤレスノードである。ワイヤレスノードは、アンテナと、１つまたは複数のデバイスが装置と通信することを許可される時間枠の開始時間を示すメッセージを生成するように構成された処理システムと、開始時間は絶対的な時間基準に基づく、アンテナを使用して生成されたメッセージを送信するように構成された送信機とを含む。
【００４４】
[0070]アクセスポイント（「ＡＰ」）はまた、ＮｏｄｅＢ、無線ネットワークコントローラ（「ＲＮＣ」）、ｅＮｏｄｅＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、もしくは何らかの他の用語を備え、それらのいずれかとして実装され、またはそれらのいずれかとして知られ得る。
【００４５】
[0071]局「ＳＴＡ」は、アクセス端末（「ＡＴ」）、加入者局、加入者ユニット、移動局、遠隔局、遠隔端末、ユーザ端末、ユーザエージェント、ユーザデバイス、ユーザ機器、もしくは何らかの他の用語を備え、それらのいずれかとして実装され、またはそれらのいずれかとして知られ得る。いくつかの実装形態では、アクセス端末は、携帯電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の適切な処理デバイスを備え得る。したがって、本明細書で教示される１つまたは複数の態様は、電話（たとえば、携帯電話もしくはスマートフォン）、コンピュータ（たとえば、ラップトップ）、ポータブル通信デバイス、ヘッドセット、ポータブルコンピューティングデバイス（たとえば、携帯データ端末）、エンターテインメントデバイス（たとえば、音楽デバイスもしくはビデオデバイス、もしくは衛星ラジオ）、ゲームデバイスもしくはゲームシステム、全地球測位システムデバイス、または、ワイヤレス媒体を介して通信するために構成された任意の他の適切なデバイスに組み込まれ得る。
【００４６】
[0072]上で論じられたように、本明細書で説明されるデバイスのいくつかは、たとえば、高効率８０２．１１規格を実装し得る。そのようなデバイスは、ＳＴＡとして使用されるか、ＡＰとして使用されるか、他のデバイスとして使用されるかにかかわらず、スマートメータリングに、またはスマートグリッドネットワークにおいて使用され得る。そのようなデバイスは、センサへの適用例を提供することができ、またはホームオートメーションにおいて使用され得る。デバイスは、代わりにまたは加えて、たとえば個人の健康管理のために健康管理の状況において使用され得る。それらはまた、（たとえばホットスポットとともに使用するための）広範囲のインターネット接続を可能にするために、または機械間通信を実装するために、監視に使用され得る。様々なシステム、方法、および装置が、たとえば、高効率８０２．１１規格に関して本明細書において説明されるが、本開示は、たとえば８０２．１１ａｈのような他のワイヤレス通信規格に適用可能であることを、当業者は理解するであろう。
【００４７】
[0073]図１は、本開示の態様が利用され得る例示的なワイヤレス通信システム１００を示す。ワイヤレス通信システム１００は、ワイヤレス規格、たとえば高効率８０２．１１規格に従って動作し得る。ワイヤレス通信システム１００は、ＳＴＡ１０６（全般にＳＴＡ１０６Ａ〜１０６Ｄを指す）と通信するＡＰ１０４を含み得る。
【００４８】
[0074]ＡＰ１０４とＳＴＡ１０６との間のワイヤレス通信システム１００における送信のために、様々な処理および方法が使用され得る。たとえば、信号は、ＯＦＤＭ／ＯＦＤＭＡ技術に従って、ＡＰ１０４とＳＴＡ１０６との間で送信および受信され得る。この場合、ワイヤレス通信システム１００はＯＦＤＭ／ＯＦＤＭＡシステムと呼ばれ得る。代替的に、信号は、符号分割多元接続（ＣＤＭＡ）技法に従って、ＡＰ１０４とＳＴＡ１０６との間で送信および受信され得る。この場合、ワイヤレス通信システム１００はＣＤＭＡシステムと呼ばれ得る。
【００４９】
[0075]ＡＰ１０４からＳＴＡ１０６の１つまたは複数への送信を支援する通信リンクはダウンリンク（ＤＬ）１０８と呼ばれることがあり、ＳＴＡ１０６の１つまたは複数からＡＰ１０４への送信を支援する通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００５０】
[0076]ＡＰ１０４は、基地局として働き、基本サービスエリア（ＢＳＡ）１０２においてワイヤレス通信カバレッジを提供することができる。ＡＰ１０４は、ＡＰ１０４と関連付けられ、通信のためにＡＰ１０４を使用するＳＴＡ１０６とともに、基本サービスセット（ＢＳＳ）と呼ばれ得る。ワイヤレス通信システム１００は、中央ＡＰ１０４を有しないことがあり、むしろＳＴＡ１０６間のピアツーピアネットワークとして機能し得ることに留意されたい。したがって、本明細書で説明されるＡＰ１０４の機能は、代替的に、ＳＴＡ１０６の１つまたは複数によって実行され得る。
【００５１】
[0077]いくつかの態様では、ＳＴＡ１０６は、ＡＰ１０４に通信を送信し、および／またはＡＰ１０４から通信を受信するために、ＡＰ１０４と接続することが必要とされ得る。一態様では、接続するための情報は、ＡＰ１０４によるブロードキャストに含まれる。そのようなブロードキャストを受信するために、ＳＴＡ１０６は、たとえば、カバレッジ領域にわたって広範なカバレッジ探索を実行することができる。探索はまた、ＳＴＡ１０６によって、たとえば、灯台方式でカバレッジ領域をスイープすることによって実行され得る。接続するための情報を受信した後、ＳＴＡ１０６は、接続調査または要求のような基準信号をＡＰ１０４に送信することができる。いくつかの態様では、ＡＰ１０４は、たとえば、インターネットまたは公衆交換電話網（ＰＳＴＮ）のようなより大きいネットワークと通信するために、バックホールサービスを使用することができる。
【００５２】
[0078]一実施形態では、ＡＰ１０４は、ＡＰ高効率ワイヤレスコンポーネント（ＨＥＷＣ）１５４を含む。ＡＰ  ＨＥＷＣ１５４は、高効率８０２．１１プロトコルを使用してＡＰ１０４とＳＴＡ１０６との間の通信を可能にする、本明細書で説明される動作の一部またはすべてを実行することができる。ＡＰ  ＨＥＷＣ１５４の機能は、図２Ｂ、図３、図４、および図５〜図１１に関して以下でより詳細に説明される。
【００５３】
[0079]代替的に、または加えて、ＳＴＡ１０６は、ＳＴＡ  ＨＥＷＣ１５６を含み得る。ＳＴＡ  ＨＥＷＣ１５６は、高周波８０２．１１プロトコルを使用して、ＳＴＡ１０６とＡＰ１０４との間の通信を可能にするために、本明細書で説明される動作の一部またはすべてを実行することができる。ＳＴＡ  ＨＥＷＣ１５６の機能は、図２Ｂ、図３、図４、および図５〜図１１に関して以下でより詳細に説明される。
【００５４】
[0080]ある状況では、ＢＳＡは他のＢＳＡの近くに位置し得る。たとえば、図２Ａは、複数のワイヤレス通信ネットワークが存在するワイヤレス通信システム２００を示す。図２Ａに示されるように、ＢＳＡ２０２Ａ、２０２Ｂ、および２０２Ｃは物理的に互いに近くに位置し得る。ＢＳＡ２０２Ａ〜２０２Ｃが近接しているにもかかわらず、ＡＰ２０４Ａ〜２０４Ｃおよび／またはＳＴＡ２０６Ａ〜２０６Ｈは各々、同じ周波数帯を使用して通信し得る。したがって、ＢＳＡ２０２Ｃ中のデバイス（たとえば、ＡＰ２０４Ｃ）がデータを送信している場合、ＢＳＡ２０２Ｃの外部のデバイス（たとえば、ＡＰ２０４Ａ〜２０４ＢまたはＳＴＡ２０６Ａ〜２０６Ｆ）は、媒体上で通信を感知し得る。
【００５５】
[0081]一般に、通常の８０２．１１プロトコル（たとえば、８０２．１１ａ、８０２．１１ｂ、８０２．１１ｇ、８０２．１１ｎなど）を使用するワイヤレスネットワークは、媒体アクセスのための搬送波感知多元接続（ＣＳＭＡ：carrier sense multiple access）機構のもとで動作する。ＣＳＭＡによれば、デバイスは、媒体を感知し、媒体がアイドル状態であると感知されたときのみ送信する。したがって、ＡＰ２０４Ａ〜２０４Ｃおよび／またはＳＴＡ２０６Ａ〜２０６Ｈが、ＣＳＭＡ機構に従って動作しており、ＢＳＡ２０２Ｃ中のデバイス（たとえば、ＡＰ２０４Ｃ）がデータを送信している場合、ＢＳＡ２０２Ｃの外部のＡＰ２０４Ａ〜２０４Ｂおよび／またはＳＴＡ２０６Ａ〜２０６Ｆは、異なるＢＳＡの一部であるにもかかわらず、媒体上で送信しないことがある。
【００５６】
[0082]図２Ａは、そのような状況を示す。図２Ａに示されるように、ＡＰ２０４Ｃは媒体を介して送信している。送信は、ＡＰ２０４Ｃと同じＢＳＡ２０２Ｃ中のＳＴＡ２０６Ｇによって、またＡＰ２０４Ｃとは異なるＢＳＡ中のＳＴＡ２０６Ａによって感知される。送信は、ＳＴＡ  ２０６Ｇおよび／またはＢＳＡ２０２Ｃ中のＳＴＡのみに宛てられ得るが、それでも、ＳＴＡ２０６Ａは、ＡＰ２０４Ｃ（および任意の他のデバイス）が媒体上で送信しなくなるまで、（たとえば、ＡＰ２０４Ａとの間で）通信を送信または受信することが可能ではないことがある。図示されないが、同じことが、（たとえば、ＡＰ２０４Ｃによる送信がより強いので、他のＳＴＡが媒体上の送信を感知することができる場合）ＢＳＡ２０２Ｂ中のＳＴＡ２０６Ｄ〜２０６Ｆ、および／または、ＢＳＡ２０２Ａ中のＳＴＡ２０６Ｂ〜２０６Ｃにも同様に当てはまり得る。
【００５７】
[0083]そうすると、ＣＳＭＡ機構の使用は、ＢＳＡの外にあるいくつかのＡＰまたはＳＴＡが、ＢＳＡ中のＡＰまたはＳＴＡによって行われた送信に干渉せずにデータを送信することが可能であり得るので、非効率性をもたらす。アクティブなワイヤレスデバイスの数が増加し続ける中、非効率性は、ネットワークレイテンシとスループットとに著しい影響を与え始め得る。たとえば、著しいネットワークレイテンシの問題は、各住戸がアクセスポイントと関連する局とを含み得る集合住宅において現れ得る。実際に、各住戸は、居住者がワイヤレスルータ、ワイヤレスメディアセンター機能を有するビデオゲームコンソール、ワイヤレスメディアセンター機能を有するテレビ、パーソナルホットスポットのように働き得る携帯電話などを所有し得るので、複数のアクセスポイントを含み得る。その場合、レイテンシおよびスループットの問題と全体的なユーザの不満とを回避するために、ＣＳＭＡ機構の非効率性を是正することが不可欠であり得る。
【００５８】
[0084]そのようなレイテンシおよびスループットの問題は、住宅地に限らない可能性がある。たとえば、複数のアクセスポイントが、空港、地下鉄の駅、および／または他の人口密度の高い公共空間に位置し得る。現在、これらの公共空間ではＷｉＦｉアクセスが、有料ではあるが提供されていることがある。ＣＳＭＡ機構によってもたらされる非効率性が是正されない場合、料金およびより低いサービス品質が利点を上回り始める可能性があるので、ワイヤレスネットワークの事業者は、顧客を失う可能性がある。
【００５９】
[0085]したがって、本明細書で説明される高効率８０２．１１プロトコルは、これらの非効率性を最小限にしてネットワークスループットを増大させる修正された機構のもとで、デバイスが動作することを可能にし得る。そのような機構が、図２Ｂ、図３、および図４に関して以下で説明される。高効率８０２．１１プロトコルの追加の態様が、図５〜図１１に関して以下で説明される。
【００６０】
[0086]図２Ｂは、複数のワイヤレス通信ネットワークが存在する、ワイヤレス通信システム２５０を示す。図２Ａのワイヤレス通信システム２００とは異なり、ワイヤレス通信システム２５０は、本明細書で論じられる高効率８０２．１１規格に従って動作し得る。ワイヤレス通信システム２５０は、ＡＰ２５４Ａと、ＡＰ２５４Ｂと、ＡＰ２５４Ｃとを含み得る。ＡＰ２５４Ａは、ＳＴＡ２５６Ａ〜２５６Ｃと通信することができ、ＡＰ２５４Ｂは、ＳＴＡ２５６Ｄ〜２５６Ｆと通信することができ、ＡＰ２５４Ｃは、ＳＴＡ２５６Ｇ〜２５６Ｈと通信することができる。
【００６１】
[0087]様々なプロセスおよび方法が、ＡＰ２５４Ａ〜２５４ＣとＳＴＡ２５６Ａ〜２５６Ｈとの間の、ワイヤレス通信システム２５０における送信のために使用され得る。たとえば、信号は、ＯＦＤＭ／ＯＦＤＭＡ技法またはＣＤＭＡ技法に従って、ＡＰ２５４Ａ〜２５４ＣとＳＴＡ２５６Ａ〜２５６Ｈとの間で送信および受信され得る。
【００６２】
[0088]ＡＰ２５４Ａは、基地局として働き、ＢＳＡ２５２Ａ中でワイヤレス通信カバレッジを提供し得る。ＡＰ２５４Ｂは、基地局として働き、ＢＳＡ２５２Ｂ中でワイヤレス通信カバレッジを提供し得る。ＡＰ２５４Ｃは、基地局として働き、ＢＳＡ２５２Ｃ中でワイヤレス通信カバレッジを提供し得る。各ＢＳＡ２５２Ａ、２５２Ｂ、および／または２５２Ｃは、中央ＡＰ２５４Ａ、２５４Ｂ、または２５４Ｃを有していないことがあり、むしろ、ＳＴＡ２５６Ａ〜２５６Ｈの１つまたは複数の間のピアツーピア通信を可能にし得ることに留意されたい。したがって、本明細書で説明されるＡＰ２５４Ａ〜２５４Ｃの機能は、ＳＴＡ２５６Ａ〜２５６Ｈの１つまたは複数によって代替的に実行され得る。
【００６３】
[0089]ある実施形態では、ＡＰ２５４Ａ〜２５４Ｃおよび／またはＳＴＡ２５６Ａ〜２５６Ｈは、高効率ワイヤレスコンポーネントを含む。本明細書で説明されるように、高効率ワイヤレスコンポーネントは、高効率８０２．１１プロトコルを使用して、ＡＰとＳＴＡとの間の通信を可能にし得る。具体的には、高効率ワイヤレスコンポーネントは、ＡＰ２５４Ａ〜２５４Ｃおよび／またはＳＴＡ２５６Ａ〜２５６Ｈが、ＣＳＭＡ機構の非効率性を最小限にする（たとえば、干渉が生じることがない状況において、媒体を通じた同時通信を可能にする）、修正された機構を使用することを可能にし得る。高効率ワイヤレスコンポーネントが、図４に関して以下でより詳細に説明される。
【００６４】
[0090]図２Ｂに示されるように、ＢＳＡ２５２Ａ〜２５２Ｃは、物理的に互いの近くに配置される。たとえば、ＡＰ２５４ＡおよびＳＴＡ２５６Ｂが互いに通信しているとき、その通信は、ＢＳＡ２５２Ｂ〜２５２Ｃ中の他のデバイスによって感知され得る。しかしながら、その通信は、ＳＴＡ２５６Ｆおよび／またはＳＴＡ２５６Ｇのような、いくつかのデバイスにのみ干渉し得る。ＣＳＭＡ下では、そのような通信がＡＰ２５４ＡとＳＴＡ２５６Ｂとの間の通信に干渉しなくても、ＡＰ２５４Ｂは、ＳＴＡ２５６Ｅと通信することを許されない。したがって、高効率８０２．１１プロトコルは、同時に通信することができるデバイスと同時に通信することができないデバイスとを区別する、修正された機構のもとで動作する。デバイスのそのような分類は、ＡＰ２５４Ａ〜２５４Ｃおよび／またはＳＴＡ２５６Ａ〜２５６Ｈ中の高効率ワイヤレスコンポーネントによって実行され得る。
【００６５】
[0091]ある実施形態では、デバイスが他のデバイスと同時に通信することができるかどうかの決定は、デバイスの位置に基づく。たとえば、ＢＳＡの端の近くに位置するＳＴＡは、ＳＴＡが他のデバイスと同時に通信することができないような状態または条件にあり得る。図２Ｂに示されるように、ＳＴＡ２０６Ａ、２０６Ｆ、および２０６Ｇは、それらが他のデバイスと同時に通信することができない状態または条件にあるデバイスであり得る。同様に、ＢＳＡの中心の近くに位置するＳＴＡは、ＳＴＡが他のデバイスと通信することができるような局または条件にあり得る。図２に示されるように、ＳＴＡ２０６Ｂ、２０６Ｃ、２０６Ｄ、２０６Ｅ、および２０６Ｈは、それらが他のデバイスと同時に通信することができる状態または条件にあるデバイスであり得る。デバイスの分類は、永続的ではないことに留意されたい。デバイスは、それらが同時に通信することができるような状態または条件と、それらが同時に通信することができないような状態または条件との間を遷移し得る（たとえば、デバイスは、動いているとき、新しいＡＰに接続するとき、接続解除するときなどに、状態または条件を変化させ得る）。
【００６６】
[0092]さらに、デバイスは、それらが他のデバイスと同時に通信する状態または条件にあるデバイスであるか、またはそうではないデバイスであるかに基づいて、異なるように動作するように構成され得る。たとえば、同時に通信することができるような状態または条件にあるデバイスは、同じ周波数帯内で通信することができる。しかしながら、同時に通信することができないような状態または条件にあるデバイスは、媒体を通じて通信するために、空間多重化または周波数領域多重化のようないくつかの技法を利用し得る。デバイスの挙動の制御は、ＡＰ２５４Ａ〜２５４Ｃおよび／またはＳＴＡ２５６Ａ〜２５６Ｈの中の高効率ワイヤレスコンポーネントによって実行され得る。
【００６７】
[0093]一実施形態では、同時に通信することができないような状態または条件にあるデバイスは、媒体を通じて通信するために、空間多重化技法を使用する。たとえば、別のデバイスによって送信されるパケットのプリアンブル内に、電力および／または他の情報が埋め込まれ得る。デバイスが同時に通信することができないような状態または条件にあるデバイスは、媒体上でパケットが感知されたときにプリアンブルを分析し、規則のセットに基づいて送信すべきかどうかを決定することができる。
【００６８】
[0094]別の実施形態では、同時に通信することができないような状態または条件にあるデバイスは、媒体を通じて通信するために、周波数領域多重化技法を使用する。図３は、図１のワイヤレス通信システム１００および図２Ｂのワイヤレス通信システム２５０内で利用され得る周波数多重化技法を示す。図３に示されるように、ワイヤレス通信システム３００内に、ＡＰ３０４Ａ、３０４Ｂ、３０４Ｃ、および３０４Ｄが存在し得る。ＡＰ３０４Ａ、３０４Ｂ、３０４Ｃ、および３０４Ｄの各々は、異なるＢＳＡと関連付けられ、本明細書で説明される高効率ワイヤレスコンポーネントを含み得る。
【００６９】
[0095]例として、通信媒体の帯域幅は８０ＭＨｚであり得る。通常の８０２．１１プロトコルのもとでは、ＡＰ３０４Ａ、３０４Ｂ、３０４Ｃ、および３０４Ｄの各々ならびに各々のそれぞれのＡＰと関連付けられたＳＴＡは、帯域幅全体を使用して通信することを試み、これはスループットを低減し得る。しかしながら、周波数領域多重化を使用する高効率８０２．１１プロトコルのもとでは、図３に示されるように、帯域幅は４つの２０ＭＨｚのセグメント３０８、３１０、３１２、および３１４（たとえば、チャネル）に分割され得る。ＡＰ３０４Ａはセグメント３０８と関連付けられてよく、ＡＰ３０４Ｂはセグメント３１０と関連付けられてよく、ＡＰ３０４Ｃはセグメント３１２と関連付けられてよく、ＡＰ３０４Ｄはセグメント３１４と関連付けられてよい。
【００７０】
[0096]ある実施形態では、ＡＰ３０４Ａ〜３０４Ｄと、他のデバイス（たとえば、ＢＳＡの中心の近くのＳＴＡ）と同時に通信できるような状態または条件にあるＳＴＡとが互いに通信しているとき、各ＡＰ３０４Ａ〜３０４Ｄ、および、これらのＳＴＡの各々は、８０ＭＨｚの媒体の一部分または全体を使用して通信することができる。しかしながら、ＡＰ３０４Ａ〜３０４Ｄと、他のデバイス（たとえば、ＢＳＡの端の近くのＳＴＡ）と同時に通信できないような状態または条件にあるＳＴＡとが互いに通信しているとき、ＡＰ３０４ＡおよびそのＳＴＡは、２０ＭＨｚのセグメント３０８を使用して通信し、ＡＰ３０４ＢおよびそのＳＴＡは、２０ＭＨｚのセグメント３１０を使用して通信し、ＡＰ３０４ＣおよびそのＳＴＡは、２０ＭＨｚのセグメント３１２を使用して通信し、ＡＰ３０４ＤおよびそのＳＴＡは、２０ＭＨｚのセグメント３１４を使用して通信する。セグメント３０８、３１０、３１２、および３１４は、通信媒体の異なる部分であるので、第１のセグメントを使用する第１の送信は、第２のセグメントを使用する第２の送信に干渉しない。
【００７１】
[0097]したがって、高効率ワイヤレスコンポーネントを含むＡＰおよび／またはＳＴＡは、他のデバイスと同時に通信できないような状態または条件にあるものであっても、干渉を伴わずに他のＡＰおよびＳＴＡと同時に通信することができる。したがって、ワイヤレス通信ネットワーク３００のスループットは増大し得る。集合住宅または人口密度の高い公共空間の場合、高効率ワイヤレスコンポーネントを使用するＡＰおよび／またはＳＴＡは、アクティブなワイヤレスデバイスの数が増加する中でも、レイテンシの低減とネットワークスループットの増大を経験し、それによってユーザ体験を改善することができる。
【００７２】
[0098]図４は、図１、図２Ｂおよび図３のワイヤレス通信システム１００、２５０および／または３００内で利用され得るワイヤレスデバイス４０２の例示的な機能ブロック図を示す。ワイヤレスデバイス４０２は、本明細書で説明される様々な方法を実施するように構成され得るデバイスの一例である。たとえば、ワイヤレスデバイス４０２は、ＡＰ１０４、ＳＴＡ１０６の１つ、ＡＰ２５４の１つ、ＳＴＡ２５６の１つ、および／またはＡＰ３０４の１つを備え得る。
【００７３】
[0099]ワイヤレスデバイス４０２は、ワイヤレスデバイス４０２の動作を制御するプロセッサ４０４を含み得る。プロセッサ４０４は、中央処理装置（ＣＰＵ）とも呼ばれ得る。読取り専用メモリ（ＲＯＭ）とランダムアクセスメモリ（ＲＡＭ）の両方を含み得るメモリ４０６は、命令とデータとをプロセッサ４０４に提供することができる。メモリ４０６の一部分は、不揮発性ランダムアクセスメモリ（ＮＶＲＡＭ）も含み得る。プロセッサ４０４は通常、メモリ４０６内に記憶されたプログラム命令に基づいて、論理演算と算術演算とを実行する。メモリ４０６中の命令は、本明細書で説明される方法を実施するように実行可能であり得る。
【００７４】
[00100]プロセッサ４０４は、１つまたは複数のプロセッサにより実装された処理システムを備え、またはそのコンポーネントであり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート型論理、個別ハードウェアコンポーネント、専用のハードウェア有限状態機械、または情報の計算または他の操作を実行することができる任意の他の好適なエンティティの任意の組合せで実装され得る。
【００７５】
[00101]処理システムはまた、ソフトウェアを記憶するための機械可読媒体を含み得る。ソフトウェアは、ソフトウェア、ファームウェア、ミドルウェア、マイクロコード、ハードウェア記述言語、またはそれ以外のいずれで呼ばれるかにかかわらず、任意のタイプの命令を意味するものとして広範に解釈されるべきである。命令は、（たとえば、ソースコードフォーマット、バイナリコードフォーマット、実行可能コードフォーマット、または任意の他の好適なコードフォーマットの）コードを含み得る。命令は、１つまたは複数のプロセッサによって実行されたとき、処理システムに、本明細書で説明される様々な機能を実行させる。
【００７６】
[00102]ワイヤレスデバイス４０２はまた、ワイヤレスデバイス４０２と離れた位置との間のデータの送信および受信を可能にするための送信機４１０および／または受信機４１２を含み得る、筐体４０８を含み得る。送信機４１０と受信機４１２は送受信機４１４へと組み合わされ得る。アンテナ４１６は、筐体４０８に取り付けられ、送受信機４１４に電気的に結合され得る。ワイヤレスデバイス４０２はまた、複数の送信機、複数の受信機、複数の送受信機、および／または複数のアンテナを含み得る（図示されず）。
【００７７】
[00103]送信機４１０は、ワイヤレスデバイスが以下で説明されるように休止状態から起動し、活動状態に入る必要があるかどうかをワイヤレスデバイスに示すように構成される、「ページングメッセージ」と呼ばれ得るメッセージをワイヤレスに送信するように構成され得る。たとえば、送信機４１０は、上で論じられたプロセッサ４０４によって生成されたページングメッセージを送信するように構成され得る。ワイヤレスデバイス４０２がＳＴＡ１０６として実装または使用されるとき、プロセッサ４０４は、ページングメッセージを処理するように構成され得る。ワイヤレスデバイス４０２がＡＰ１０４として実装または使用されるとき、プロセッサ４０４はまた、ページングメッセージを生成するように構成され得る。
【００７８】
[00104]受信機４１２は、ページングメッセージをワイヤレスに受信するように構成され得る。ワイヤレスデバイス４０２がＳＴＡ１０６として実装または使用されるとき、送信機４１０は、ページングメッセージに応答して、データに対する要求を送信するように構成され得る。たとえば、ワイヤレスデバイス４０２は、図４に関して本明細書で説明されるように電力節約ポール（Power-Saving Poll）（ＰＳポール）を送信するように構成され得る。ワイヤレスデバイス４０２がＡＰ１０４として実装または使用されるとき、送信機４１０はさらに、１つまたは複数のＳＴＡ１０６にデータを送信するように構成され得る。ワイヤレスデバイス４０２がＳＴＡ１０６として実装または使用されるとき、送信機４１０は、ＡＰ１０４から受信されたデータに対する肯定応答を送信するように構成され得る。
【００７９】
[00105]ワイヤレスデバイス４０２はまた、送受信機４１４によって受信された信号のレベルを検出し定量化するために使用され得る、信号検出器４１８を含み得る。信号検出器４１８は、総エネルギー、シンボルごとのサブキャリア当たりのエネルギー、電力スペクトル密度、および他の信号のような信号を検出し得る。ワイヤレスデバイス４０２は、信号の処理に使用するためのデジタル信号プロセッサ（ＤＳＰ）４２０も含み得る。ＤＳＰ４２０は、送信のためのパケットを生成するために構成され得る。いくつかの態様では、パケットは、物理レイヤデータユニット（ＰＰＤＵ）を備え得る。
【００８０】
[00106]いくつかの態様では、ワイヤレスデバイス４０２はさらに、ユーザインターフェース４２２を備え得る。ユーザインターフェース４２２は、キーパッド、マイクロホン、スピーカー、および／またはディスプレイを備え得る。ユーザインターフェース４２２は、ワイヤレスデバイス４０２のユーザに情報を伝え、および／またはユーザからの入力を受け取る、任意の要素またはコンポーネントを含み得る。
【００８１】
[00107]いくつかの態様では、ワイヤレスデバイス４０２はさらに、高効率ワイヤレスコンポーネント４２４を備え得る。高効率ワイヤレスコンポーネント４２４は、分類器ユニット４２８と送信制御ユニット４３０とを含み得る。本明細書で説明されるように、高効率ワイヤレスコンポーネント４２４は、ＣＳＭＡ機構の非効率性を最小限にする（たとえば、干渉が生じることのない状況において媒体を通じた同時通信を可能にする）修正された機構をＡＰおよび／またはＳＴＡが使用することを可能にし得る。
【００８２】
[00108]修正された機構は、分類器ユニット４２８および送信制御ユニット４３０によって実装され得る。ある実施形態では、分類器ユニット４２８は、どのデバイスが他のデバイスと同時に通信することができるような状態または条件にあり、どのデバイスが他のデバイスと同時に通信することができないような状態または条件にあるかを決定する。ある実施形態では、送信制御ユニット４３０はデバイスの動作を制御する。たとえば、送信制御ユニット４３０は、いくつかのデバイスが同じ媒体上で同時に送信することを可能にし、他のデバイスが空間多重化技法または周波数領域多重化技法を使用して送信することを可能にし得る。送信制御ユニット４３０は、分類器ユニット４２８によって行われた決定に基づいてデバイスの動作を制御することができる。
【００８３】
[00109]ワイヤレスデバイス４０２の様々なコンポーネントは、バスシステム４２６によって一緒に結合され得る。バスシステム４２６は、たとえば、データバスを、さらにはデータバスに加えて、電力バスと、制御信号バスと、ステータス信号バスとを含み得る。ワイヤレスデバイス４０２のコンポーネントは、何らかの他の機構を使用して、一緒に結合されてよく、または互いに対する入力を受け入れ、もしくは提供してよいことを当業者は理解するだろう。
【００８４】
[00110]図４には、いくつかの別個のコンポーネントが示されているが、コンポーネントの１つまたは複数が組み合わされ、または共通に実装され得ることを当業者は認識するだろう。たとえば、プロセッサ４０４は、プロセッサ４０４に関して上で説明された機能を実装するためだけでなく、信号検出器４１８および／またはＤＳＰ４２０に関して上で説明された機能を実装するためにも使用され得る。さらに、図４に示されるコンポーネントの各々は、複数の別個の要素を使用して実装され得る。
【００８５】
[00111]ワイヤレスデバイス４０２は、ＡＰ１０４、ＳＴＡ１０６、ＡＰ２５４、ＳＴＡ２５６、および／またはＡＰ３０４を備えてよく、通信を送信および／または受信するために使用されてよい。すなわち、ＡＰ１０４、ＳＴＡ１０６、ＡＰ２５４、ＳＴＡ２５６、またはＡＰ３０４のいずれかが、送信機デバイスまたは受信機デバイスとして機能し得る。いくつかの態様は、信号検出器４１８が、送信機または受信機の存在を検出するために、メモリ４０６およびプロセッサ４０４上で動作しているソフトウェアによって使用されることを企図する。
【００８６】
[00112]図１を再び参照すると、ＳＴＡ１０６は、複数の動作モードを有し得る。たとえば、ＳＴＡ１０６は、アクティブモードと呼ばれる第１の動作モードを有し得る。アクティブモードでは、ＳＴＡ１０６は、常に「活動」状態にあってよく、ＡＰ１０４とデータをアクティブに送信／受信することができる。さらに、ＳＴＡ１０６は、電力節約モードと呼ばれる第２の動作モードを有し得る。電力節約モードでは、ＳＴＡ１０６は、「活動」状態、あるいは、ＳＴＡ１０６がＡＰ１０４とデータをアクティブに送信／受信しない「休眠」または「スリープ」状態であり得る。たとえば、ＳＴＡ１０６の受信機４１２、ならびに、場合によってはＤＳＰ４２０および信号検出器４１８は、休眠状態では低減された電力消費量で動作することができる。さらに、電力節約モードでは、ＳＴＡ１０６は、ＡＰ１０４とデータを送信／受信することが可能になるように、ＳＴＡ１０６が特定の時間において「起動する」（たとえば、活動状態に入る）必要があるかどうかをＳＴＡ１０６に示す、ＡＰ１０４からのメッセージ（たとえば、ページングメッセージ）を聴取するために、時として活動状態に入ることができる。
【００８７】
[00113]したがって、いくつかのワイヤレス通信システム１００の中で、ＡＰ１０４は、ＳＴＡ１０６のためにＡＰ１０４においてバッファされたデータがあるかどうか示すページングメッセージを、ＡＰ１０４と同じネットワーク中の電力節約モードにある複数のＳＴＡ１０６に送信することができる。ＳＴＡ１０６はまた、この情報を使用して、それらが活動状態である必要があるか休眠状態である必要があるかを決定することができる。たとえば、ＳＴＡ１０６がページングされていないとＳＴＡ１０６が決定した場合、それは休眠状態に入ることができる。代替的に、ＳＴＡ１０６がページングされ得るとＳＴＡ１０６が決定した場合、ＳＴＡ１０６は、ページを受信するために、ある時間の期間活動状態に入り、ページに基づいていつ活動状態になるべきかをさらに決定することができる。さらに、ＳＴＡ１０６は、ページを受信した後に、ある時間の期間活動状態にとどまることができる。別の例では、ＳＴＡ１０６は、ページングされているときまたはページングされていないとき、本開示と矛盾しない他の方法で機能するように構成され得る。
【００８８】
[00114]いくつかの態様では、ページングメッセージは、トラフィック識別マップ（ＴＩＭ）のようなビットマップ（この図に示されない）を含み得る。いくつかのそのような態様では、ビットマップはいくつかのビットを含み得る。これらのページングメッセージは、ＡＰ１０４からＳＴＡ１０６にビーコンまたはＴＩＭフレーム中で送られ得る。ビットマップ中の各ビットは、複数のＳＴＡ１０６のうちの特定のＳＴＡ１０６に対応してよく、各ビットの値（たとえば、０または１）は、ＡＰ１０４がその特定のＳＴＡのために有するバフされたユニットを受信することが可能となるために、対応するＳＴＡ１０６がなるべき状態（たとえば、休眠状態または活動状態）を示すことができる。したがって、ビットマップのサイズは、ワイヤレス通信システム１００中のＳＴＡ１０６の数に直接比例し得る。したがって、ワイヤレス通信システム１００中のＳＴＡ１０６の数が大きいと、ビットマップが大きくなり得る。
【００８９】
[00115]いくつかの態様では、長時間スリープするＳＴＡ１０６は、ＴＩＭメッセージを読み取るために起動しないことがある。たとえば、ＳＴＡ１０６は、拡張スリープモードでは１つまたは複数のＴＩＭメッセージを通じてスリープすることを決定することができる。この場合、ＳＴＡ１０６は、ＳＴＡ１０６がいずれのＴＩＭメッセージも読み取らないことがあることをＡＰ１０４に告知することができる。したがって、ＡＰ１０４は、ＴＩＭメッセージ中に対応する識別子を含めなくてよい。様々な実施形態では、ＳＴＡ１０６は、制御メッセージを使用して、または接続中に直ちに、それらが１つまたは複数のＴＩＭメッセージのために起動しないことがあること（すなわち、それらが上述の電力節約モードで動作していること）をＡＰ１０４に通知し得る。
【００９０】
[00116]このようにＡＰ１０４に通知したＳＴＡ１０６に対しては、ＡＰ１０４がＳＴＡ１０６を対象とするＢＵを有する場合でも、ＡＰ１０４はＴＩＭメッセージ中に識別子を含めなくてよい。ＳＴＡ１０６は、ＡＰ１０４に任意の時間にＰＳポールを送ることによってそれらのＢＵを要求することができる。ある実施形態では、ＡＰ１０４は、ＰＳポールに応答して、バッファされたユニットＢＵを直ちに送ることができる。別の実施形態では、ＡＰ１０４は、ＰＳポールに肯定応答（ＡＣＫ）で応答し、後でＢＵを配信することができる。また別の実施形態では、ＡＰ１０４は、ＰＳポールに（ＡＣＫでもＢＵでも）直ちに応答しなくてよい。ＡＰ１０４は、代わりに、ＴＩＭメッセージ後の所与のスケジューリングされた時間の後に送られる累積ＡＣＫフレームで返答することができる。
【００９１】
[00117]様々な実施形態では、ＳＴＡ１０６は、ＰＳポール（動的指示の場合）、ＡＰに送られる接続要求、プローブ要求、および／または別の管理フレーム（静的指示の場合）を介してＢＵを配信するための待ち時間を指定することができる。他の実施形態では、ＡＰ１０４は、ＡＣＫフレーム、ＴＩＭ要素（動的指示の場合）、ＳＴＡ１０６に送られるビーコン、接続応答、プローブ応答、または他の管理フレーム（静的指示の場合）を介してＢＵを配信するための待ち時間を指定することができる。ＳＴＡ１０６は待ち時間の長さの間、スリープすることができる。ＳＴＡ１０６は、ＡＣＫを送ることによってＢＵの正しい受信に肯定応答することができる。ＳＴＡ１０６は次いで、スリープに戻ることができる。
【００９２】
[00118]図５Ａは、図１のワイヤレス通信システム１００においてＡＰ１０４によってＳＴＡ１０６に送信される複数のワイヤレスメッセージ５０２を示す。示されるように、時間は、時間軸５０４上でページにわたって水平方向に増加する。様々な実施形態において、ＡＰ１０４は、いくつかの宛先ＳＴＡ１０６に宛てられる複数のフレーム５１０Ａ〜５１０Ｎを含むバッファされたユニットを受信および／または記憶することができる。ＡＰ１０４が送信すべきバッファされたユニットを有する場合、ＡＰ１０４は複数のワイヤレスメッセージ５０２を複数のＳＴＡ１０６に送信することができる。
【００９３】
[00119]様々な実施形態において、フレーム５１０Ａ〜５１０Ｂは、小さな、または短いフレーム５１０Ａ〜５１０Ｎであってよく、約１バイトから約１００バイト、約１０バイトから約５０バイト、およびより具体的には約２０バイトを含み得る。小さなフレームは、たとえば、プッシュ通知（たとえば、電子メール、広告など）、ショートメッセージングアプリケーション（たとえば、Ｆａｃｅｂｏｏｋ（登録商標）投稿、Ｔｗｉｔｔｅｒ（登録商標）投稿、テキストメッセージなど）、上層プロトコルのオーバーヘッド（たとえば、送信制御プロトコル（ＴＣＰ）肯定応答、キープアライブメッセージなど）などのようなアプリケーションによって生成され得る。したがって、多数の比較的小さなフレームが多くのワイヤレスメッセージを生成する可能性があり、これは、１つまたは複数のＳＴＡ１０６が媒体上でＡＰ１０４に要求を送信する際に競合することにつながり得る。
【００９４】
[00120]図５Ｂは、図１のワイヤレス通信システム１００においてＡＰ１０４によってＳＴＡ１０６に送信される単一のＡ−ＭＰＤＵワイヤレスメッセージ５０２を示す。示されるように、時間は、時間軸５０４上でページにわたって水平方向に増加する。図５Ａに関して上で論じられたように、ＡＰ１０４は、いくつかの宛先ＳＴＡ１０６に宛てられる複数のフレーム５１０Ａ〜５１０Ｎを含むバッファされたユニットを受信および／または記憶することができる。ＡＰ１０４が送信すべきバッファされたユニットを有する場合、図５Ａに示される複数のワイヤレスメッセージ５０２を送信する代わりに、ＡＰは単一の集約されたＭＰＤＵメッセージ５０４を送信することができる。Ａ−ＭＰＤＵ５０４は、複数のＡ−ＭＰＤＵサブフレーム５０５ａ〜ｃを含み得る。Ａ−ＭＰＤＵ５０４に含まれる複数のＡ−ＭＰＤＵサブフレーム５０５ａ〜ｃの１つまたは複数は、異なる受信機に宛てられ得る。
【００９５】
[00121]ワイヤレスメッセージ５０４のＡ−ＭＰＤＵサブフレーム５０５ａ〜ｃが複数の受信機に宛てられ得るので、各受信機が受信機に宛てられたＡ−ＭＰＤＵサブフレーム５０５ａ〜ｃにどのように肯定応答するかということについて、問題が生じる。受信機の各々からの肯定応答を調整するために、Ａ−ＭＰＤＵサブフレーム５０５ａ〜ｃの１つまたは複数は、Ａ−ＭＰＤＵサブフレームに対する肯定応答ポリシーを定める１つまたは複数のフィールドを含み得る。たとえば、肯定応答ポリシーはたとえば、Ａ−ＭＰＤＵサブフレームに対する肯定応答が宛先指定された受信機によって送信されるべきかどうか、送信されるべき肯定応答のタイプ（たとえば、肯定応答が送信されるべきかブロック肯定応答が送信されるべきか）、および／または、Ａ−ＭＰＤＵワイヤレスメッセージ５０４が受信されるときと、メッセージ５０４に含まれる任意のＭＰＤＵサブフレームへの肯定応答が送信されるときとの間の遅延時間期間を示すことができる。各Ａ−ＭＰＤＵサブフレーム５０５ａ〜ｃの示された肯定応答ポリシーは、ＭＰＤＵサブフレーム５５０ａ〜ｃの各々が肯定応答される場合に発生する競合の確率を減らすために、ＭＰＤＵサブフレーム５０５ａ〜ｃの各々の肯定応答を調整するように機能する。
【００９６】
[00122]図６は、メディアアクセス制御プロトコルデータユニット（ＭＰＤＵ）フレーム６００の例示的な構造を示す。示されるように、ＭＰＤＵフレーム６００は、フレーム制御（ｆｃ）フィールド６１０、時間長／識別（ｄｕｒ）フィールド６２５、受信機アドレス（ａ１）フィールド６３０、送信機アドレス（ａ２）フィールド６３５、宛先アドレス（ａ３）フィールド６４０、シーケンス制御（ｓｃ）フィールド６４５、第４のアドレス（ａ４）フィールド６５０、サービス品質（ＱｏＳ）制御（ｑｃ）フィールド６５５、高スループット（ＨＴ）制御フィールド６６０、フレーム本体６６５、およびフレーム確認シーケンス（ＦＣＳ）フィールド６７０という、１１個の異なるフィールドを含む。フィールド６１０〜６６０のいくつかまたはすべてが、ＭＡＣヘッダ６０２を構成する。
【００９７】
[00123]メディアアクセス制御フレームのフィールドの各々は、メディアアクセス制御パラメータと見なされ得る。加えて、各フィールドは、１つまたは複数のサブフィールドまたはフィールドからなり得る。たとえば、媒体アクセス制御ヘッダ６０２のフレーム制御フィールド６１０は、プロトコルバージョン、タイプフィールド、サブタイプフィールド、および他のフィールドのような複数のサブフィールドからなり得る。これらのサブフィールドまたはフィールドの各々も、メディアアクセス制御パラメータと見なされ得る。いくつかの実施形態では、メディアアクセス制御フレームの個々のビットが、メディアアクセス制御パラメータと見なされ得る。
【００９８】
[00124]ａ１、ａ２、ａ３、およびａ４フィールド６３０、６３５、６４０、および６５０の各々は、４８ビット（６オクテット）値である、デバイスのフルＭＡＣアドレスを備え得る。いくつかの態様では、これらのフィールドのいずれもが、短いＭＡＣヘッダフォーマットに基づくＡＩＤを備え得る。図６はさらに、フィールド６１０〜６７０の各々のオクテット単位のサイズを示している。フレーム本体フィールド６６５は、異なるタイプの変化するオクテット数のＭＰＤＵフレームを備えるは、図６に示されるフィールドの一部分のみを含み得る。たとえば、ＭＰＤＵフレームが制御フレームである場合、ＭＰＤＵフレームのＭＡＣヘッダは、ＱｏＳ制御フィールド６５５またはＨＴ制御フィールド６６０を含まなくてよい。加えて、タイプによっては、ＭＰＤＵフレーム６００は追加のフィールドを含み得る。しかしながら、いくつかの場合には、タイプにかかわらず、ＭＰＤＵフレーム６００はフレーム制御フィールド６１０を含み得る。
【００９９】
[00125]図７は、サービス品質（ＱｏＳ）制御（ｑｃ）フィールド６５５の例示的な構造を示す。示されるように、ＱｏＳ制御フィールド６５５は、トラフィックインジケータ（ＴＩＤ）フィールド７１０、サービス期間の末尾フィールド７２０、肯定応答ポリシーフィールド７３０、集約されたＭＳＤＵ存在フィールド７４０、および「多彩な」フィールド７５０という、５つの異なるフィールドを含む。いくつかの態様では、肯定応答ポリシーフィールド７３０は、４つの肯定応答ポリシーの１つを示し得る。いくつかの態様では、４つの肯定応答ポリシーは、「普通の肯定応答または暗黙的なブロック肯定応答要求」と、「肯定応答なし」と、「肯定応答なしまたは電力節約マルチポール（ＰＳＭＰ）肯定応答」と、「ブロック肯定応答」とを含み得る。いくつかの態様では、肯定応答ポリシー（ＡＣＫポリシー）フィールド７３０およびトラフィックインジケータ（ＴＩＤ）フィールド７１０は、ＭＡＣヘッダ中の他の箇所に位置し得る。たとえば、肯定応答ポリシーフィールドおよび／またはＴＩＤフィールドは、ＭＡＣヘッダ６０２のフレーム制御フィールド６１０に位置し得る。
【０１００】
[00126]「多彩な」フィールド７５０は、ＱｏＳ制御フィールド６５５の実施形態に応じて、様々な異なるフィールドであってよい。たとえば、いくつかの態様では、「多彩な」フィールド７５０は、ＴＸＯＰ制限フィールド、アクセスポイントＰＳバッファ状態フィールド、要求されるＴＸＯＰ時間長フィールド、キューサイズフィールドであってよい。
【０１０１】
[00127]いくつかの態様では、肯定応答ポリシーフィールド７３０が、「普通の肯定応答または暗黙的なブロック肯定応答要求」のような特定の値を示し、ＭＰＤＵフレーム６００がＡ−ＭＰＤＵフレームの一部として含まれる場合、ＭＰＤＵフレームの宛先指定された受信者は、ＭＰＤＵ６００が個々に送信される場合は肯定応答フレームを送信し、またはＭＰＤＵ６００がＡ−ＭＰＤＵの一部として送信される場合はブロック肯定応答フレームを送信することができる。肯定応答またはブロック肯定応答の送信は、ＭＰＤＵフレーム６００を搬送するＰＰＤＵから短フレーム間空間（ＳＩＦＳ）の時間期間後に開始し得る。いくつかの態様では、肯定応答ポリシーフィールド７３０が「肯定応答なし」を示す場合、ＭＰＤＵフレームの宛先指定された受信者は、ＭＰＤＵサブフレームの受信後に動作を行わない。いくつかの態様では、肯定応答ポリシーフィールド７３０が「ブロック肯定応答」を示す場合、ＭＰＤＵフレームの宛先指定された受信者は、状態を記録することを除き、フレームの受信後に動作を行わない。受信者は、自身が応答することになる未来のブロック肯定応答要求フレームを予期し得る。
【０１０２】
[00128]図８は、集約されたＭＰＤＵ（Ａ−ＭＰＤＵ）フレーム８００の例示的な構造を示す。示されるように、Ａ−ＭＰＤＵフレーム８００は、８０５ａ、８０５ｂ、および８０５ｎとして示される、変化する数のＡ−ＭＰＤＵサブフレームを含む。Ａ−ＭＰＤＵサブフレーム８０５ａ、８０５ｂ、および８０５ｎの各々は、いくつかの態様では、ＭＰＤＵデリミタフィールド８１０ａ、ＭＰＤＵフレーム６００ａ、および０以上のパッドバイトからなり得る。ＭＰＤＵフレーム６００ａは、いくつかの態様では、図６に示されるＭＰＤＵフレーム６００と実質的に一致し得る。
【０１０３】
[00129]ＭＰＤＵデリミタフィールドの各々、たとえばＭＰＤＵデリミタフィールド８１０ａは、フレームの末尾（ＥＯＦ）フィールド８１２ａと、予備フィールド８１４ａと、ＭＰＤＵ長さフィールド８１６ａと、ＣＲＣフィールド８１８ａと、デリミタシグネチャフィールド８２０ａとを含み得る。
【０１０４】
[00130]いくつかの態様では、フレームの末尾フィールド８１２は、Ａ−ＭＰＤＵサブフレーム８０５ａが０ではない値を有するＭＰＤＵ長さフィールド８１６ａ伴う唯一のＡ−ＭＰＤＵサブフレームである場合、Ａ−ＭＰＤＵサブフレーム８０５ａにおいて１に設定され得る。いくつかの態様では、フレームの末尾フィールド８１２ａは、０ではないＭＰＤＵ長さフィールドを有する唯一のＡ−ＭＰＤＵサブフレームではない、０ではないＭＰＤＵ長さフィールド８１６ａを有するＡ−ＭＰＤＵフレーム８００中の各Ａ−ＭＰＤＵサブフレーム８０５に対して、０に設定され得る。
【０１０５】
[00131]図９Ａは、ＭＰＤＵデリミタフィールド８１０ｂのある実施形態を示す。いくつかの態様では、ＭＰＤＵデリミタフィールド８１０ｂは、図８に示されるＭＰＤＵデリミタフィールド８１０ａと置き換えられ得る。たとえば、図９Ｃに関して以下で論じられるＡ−ＭＰＤＵ９００ａは、ＭＰＤＵデリミタフィールド８１０ｂを利用することができる。ＭＰＤＵデリミタフィールド８１０ｂは、遅延インジケータフィールド８１４ｂ、ＭＰＤＵ長さフィールド８１６ｂ、ＣＲＣフィールド８１８ｂ、およびデリミタシグネチャフィールド８２０ｂという４つのフィールドを含む。いくつかの態様では、図９Ｃに関して以下で論じられるＡ−ＭＰＤＵサブフレーム９０５ａ〜ｃの各々における遅延インジケータフィールド８１４ｂの別々のコピーは、ＭＰＤＵデリミタフィールド８１０ｂがＡ−ＭＰＤＵサブフレーム９０５ａ〜ｃの各々に含まれる場合、遅延インジケータ値８１４ｍ〜ｏを示し得る。
【０１０６】
[00132]図９Ｂは、ＭＰＤＵデリミタフィールド８１０ｃのある実施形態を示す。いくつかの態様では、ＭＰＤＵデリミタフィールド８１０ｃは、図８に示されるＭＰＤＵデリミタフィールド８１０ａと置き換えられ得る。たとえば、Ａ−ＭＰＤＵ９００ａは、ＭＰＤＵデリミタフィールド８１０ｃを利用することができる。ＭＰＤＵデリミタフィールド８１０ｃは、フレームの末尾インジケータフィールド８１２ｃ、遅延インジケータフィールド８１４ｃ、ＭＰＤＵ長さフィールド８１６ｃ、ＣＲＣフィールド８１８ｃ、およびデリミタシグネチャフィールド８２０ｃという、５つのフィールドを含む。いくつかの態様では、遅延インジケータフィールド８１４ｃの別個のコピーは、ＭＰＤＵデリミタフィールド８１０ｃがＡ−ＭＰＤＵサブフレーム９０５ａ〜ｃの各々に含まれる場合、以下の図９Ｃに示される遅延インジケータ値８１４ｍ〜ｏを示し得る。
【０１０７】
[00133]図９Ｃは、少なくとも３つのＡ−ＭＰＤＵサブフレーム９０５ａ〜ｃを含むＡ−ＭＰＤＵ９００ａを示す。第１のＡ−ＭＰＤＵサブフレーム９０５ａは、ＳＴＡ１０６ａの局アドレスと等価な受信機アドレスを示す。同様に、第２のＡ−ＭＰＤＵサブフレーム９０５ｂは、ＳＴＡ１０６ｂの局アドレスと等価な受信機アドレスを示す。第３のサブフレーム９０５ｃは、ＳＴＡ１０６ｃの局アドレスと等価な受信機アドレスを示す。いくつかの他の示されていない態様では、Ａ−ＭＰＤＵ９００ａは３つよりも多くのＡ−ＭＰＤＵサブフレームを含み得る。たとえば、Ａ−ＭＰＤＵは、４個、５個、６個、７個、８個、９個、１０個以上のサブフレームを含み得る。いくつかの態様では、Ａ−ＭＰＤＵ９００ａ中の任意の追加のサブフレームのいくつかまたはすべてが、ＳＴＡ１０６ａ〜ｃのいずれかまたは他の局、アクセスポイント、もしくはリレーの受信機アドレスを示し得る。
【０１０８】
[00134]ＭＰＤＵ６００およびＱｏＳ制御フィールド６５５に関して上で論じられたように、図９Ａに示されるＡ−ＭＰＤＵ９００ａの各Ａ−ＭＰＤＵサブフレーム９０５ａ〜ｃは、ＱｏＳ制御フィールド、または肯定応答ポリシーの指示を含む何らかの他のフィールドを含み得る。たとえば、各Ａ−ＭＰＤＵサブフレーム９０５ａ〜ｃは、図７に示されるようなＱｏＳ制御フィールドを含む、ＭＰＤＵ６００のフォーマットに従い得る。
【０１０９】
[00135]示される実装形態では、Ａ−ＭＰＤＵ９００ａに含まれる３つのＡ−ＭＰＤＵサブフレーム９０５ａ〜ｃは、たとえば、図６のＭＰＤＵフレーム６００に示されるアドレス１フィールド６３０のような受信機アドレスフィールドに、３つの異なる受信機アドレスを含む。Ａ−ＭＰＤＵ９００ａに含まれる３つのＡ−ＭＰＤＵサブフレームはまた、３つの異なる受信機アドレスフィールドと関連付けられる３つの異なる肯定応答ポリシーを含む。
【０１１０】
[00136]示される態様における肯定応答の手順は、ＭＰＤＵデリミタ中の１つまたは複数のフィールド、および、ＭＰＤＵデリミタが関連付けられるＭＰＤＵに含まれるＡｃｋポリシーフィールド、すなわち、遅延インジケータフィールド８１４ｍ〜ｏ、もしあればＥＯＦフィールド、および肯定応答ポリシーフィールド７３０ａ〜ｃから推測される。いくつかの態様では、遅延インジケータフィールド８１４ｍ〜ｏは、図９Ａに示される遅延インジケータフィールド８１４のフォーマットに実質的に従う。いくつかの態様では、肯定応答ポリシーフィールド７３０ａ〜ｃは、図７の肯定応答ポリシーフィールド７３０のフォーマットに実質的に従う。
【０１１１】
[00137]図９Ｃに示されるように、Ａ−ＭＰＤＵサブフレーム９０５ａ〜ｃの３つすべてが、「普通の肯定応答」に設定された肯定応答ポリシーを含む。いくつかのワイヤレス規格、たとえば８０２．１１ａｈ規格では、これは、「普通の肯定応答または暗黙的なブロック肯定応答要求」のような特定の値に対応し得る。Ａ−ＭＰＤＵサブフレーム９０５ａ〜ｃの各々は、異なる遅延インジケータ値を有する。
【０１１２】
[00138]肯定応答ポリシーフィールド７３０ａ〜ｃおよび遅延インジケータフィールド８１４ｍ〜ｏの値に基づいて、Ａ−ＭＰＤＵ９００ａは、ＳＴＡ１０６ａがＭＰＤＵ９０５ａの正しい受信にまず肯定応答すべきであることを示す。いくつかの態様では、Ａ−ＭＰＤＵサブフレーム９０５ａは、遅延インジケータが０の値に設定されているので、Ａ−ＭＰＤＵ９００ａの送信／受信の完了からＳＩＦＳ時間後に、肯定応答されるべきである。一般に、１つまたは複数のＭＰＤＵがＳＴＡ１０６ａ〜ｃのいずれかに宛てられ得ることに留意されたい。そのような実施形態では、単一のＭＰＤＵが所与の受信機に宛てられる場合、受信機は、ＥＯＦフィールドが１に設定される場合にＡＣＫフレームによって応答するか、それ以外の場合にＢｌｏｃｋＡｃｋによって応答するかを決定することができる。一般に、いくつかの態様では、遅延の量は式（１）に基づいて決定され得る。
【数１】
2016533675.tif 000003
【０１１３】
[00139]ここで、Ｋは受信機が送信機に制御応答を送信するために必要とされる時間の長さに等しい。いくつかの態様では、送信デバイスは、時間長Ｋが確定的でありすべての受信機に対して等しくなるように、応答フレームの送信のための厳密な規則に従うように１つまたは複数の受信機に要求し得る。これらの規則の例は、厳密なＭＣＳおよび帯域幅選択の規則を含んでよく、また、（たとえば、肯定応答が送られるべきであることを示す各受信機に宛てられるＡ−ＭＰＤＵサブフレームをＡ−ＭＰＤＵに含めることによって、同じ応答フレームによって応答することを受信機に要求することがあり、送信機は、対応するＡ−ＭＰＤＵサブフレームに対するＡＣＫフレームによって応答するように受信機に命令する。同様の規則が、ブロックＡｃｋフレームのみを応答として要求することに対して適用されることがあり、この場合、Ｋの時間長はより長くてよい）。
【０１１４】
[00140]特定のＡ−ＭＰＤＵフレーム内で、各遅延インジケータフィールドは、少なくとも、それに対する受信デバイスからの肯定応答を送信機が要求する任意のＡ−ＭＰＤＵサブフレームに対しては、固有の値に設定され得る。いくつかの態様では、Ａ−ＭＰＤＵサブフレームがＳＴＡのグループに宛てられる場合、送信機はＡＣＫポリシーを「肯定応答なし」に設定し、これは応答が予期されないことを示す。いくつかの態様では、遅延インジケータは、別のＭＰＤＵサブフレームによって使用される値であり得る。いくつかの態様では、「肯定応答なし」という肯定応答ポリシーを示すＡ−ＭＰＤＵサブフレームに対する遅延インジケータは、ランダムな値または初期化されていない値であってよい。
【０１１５】
[00141]いくつかの態様では、式１によって決定される遅延が経過した後で、Ａ−ＭＰＤＵサブフレームの肯定応答ポリシーが「普通の肯定応答または暗黙的なブロック肯定応答」に設定される場合、Ａ−ＭＰＤＵサブフレームの肯定応答の送信が実行され得る。図９Ｃにおいて、すべての３つのサブフレーム９０５ａ〜ｃがこの方式で肯定応答され得る。
【０１１６】
[00142]Ａ−ＭＰＤＵサブフレーム９０５ｂに対する遅延インジケータ８１４ｎは０であるので、ＳＴＡ１０６ｂは、Ａ−ＭＰＤＵ９００ａの送信からＳＩＦＳ時間後に、Ａ−ＭＰＤＵサブフレーム９０５ｂに肯定応答しなければならない。いくつかの態様では、Ａ−ＭＰＤＵ９００ａはさらに、肯定応答遅延インジケータフィールド８１４ｍが１に設定されているので、Ａ−ＭＰＤＵ９００ａの送信から、ＳＩＦＳ＋１×（ＳＩＦＳ＋Ｋ）＝２ＳＩＦＳ＋一定の時間の後に、ＳＴＡ１０６ａがＭＰＤＵサブフレーム９０５ａの送信に肯定応答しなければならないことを示す。同様に、Ａ−ＭＰＤＵ９００ａは、肯定応答遅延インジケータ値フィールド８１４ｏが２に設定されているので、Ａ−ＭＰＤＵ９００ａの送信から３ＳＩＦＳ＋２Ｋ後に、ＳＴＡ１０６ｃがＭＰＤＵサブフレーム９０５ｃの送信に肯定応答しなければならないことを示す。
【０１１７】
[00143]Ａ−ＭＰＤＵ９００ａによって示される、２つ以上の、この場合は３つの受信機アドレスに対して異なる肯定応答ポリシーを含めることによって、ＡＰ１０４は、Ａ−ＭＰＤＵ９００ａの送信からＳＩＦＳ時間後の、３つの受信機アドレスに対応する３つのデバイス（ＳＴＡ１０６ａ〜ｃ）の１つによる１つの肯定応答の受信を、効果的に管理することができる。この実施形態では、いくつかのＳＴＡ、たとえば１０６ａおよび１０６ｃは、Ａ−ＭＰＤＵサブフレームデリミタフィールド中の指示に基づいて、肯定応答を送信するまである時間期間待機することができる。いくつかの態様では、このことは、Ａ−ＭＰＤＵ９００ａの送信からＳＩＦＳ時間後における、Ａ−ＭＰＤＵ９００ａに含まれる少なくとも２つのＡ−ＭＰＤＵサブフレームに対する少なくとも２つの肯定応答の間の競合の確率を下げる。図９Ｃでは３つのＡ−ＭＰＤＵサブフレームがＡ−ＭＰＤＵフレーム９００ａにおいて示されるが、いくつかの態様では、２つの、または４つ以上の受信機アドレスがＡ−ＭＰＤＵ９００ａによって示され得る。たとえば、Ａ−ＭＰＤＵ９００ａは、２つまたは４つ以上のデバイスに宛てられるＡ−ＭＰＤＵサブフレームを含み得る。そのようなＡ−ＭＰＤＵはまた、Ａ−ＭＰＤＵ９００ａに含まれるＡ−ＭＰＤＵサブフレームによって示される受信機アドレスの少なくとも２つに対応する、少なくとも２つの異なる肯定応答ポリシーを含む。いくつかの態様では、ＡＰは、トラフィック識別子（ＴＩＤ）に基づいて、および／またはＭＰＤＵごとに、異なる肯定応答ポリシーを要求し得ることを留意されたい。本明細書で説明される肯定応答の手順は、これらの実施形態に容易に拡張可能であることを、当業者は理解し得る。
【０１１８】
[00144]上で論じられたようにＡ−ＭＰＤＵの中に複数の受信機アドレスを有することに加えて（このとき、Ａ−ＭＰＤＵサブフレームの１つまたは複数は異なる受信機アドレスを有する、Ａ−ＭＰＤＵサブフレームの１つまたは複数は異なる送信機アドレスを有してよく、これは、Ａ−ＭＰＤＵサブフレームの１つまたは複数が１つまたは複数の異なるソースデバイスから送信機によって受信されている可能性があることを意味する。たとえば、２つ以上のＭＰＤＵを含むＡ−ＭＰＤＵの送信機は、オーバーヘッドを低減するのに有用である異なるＭＡＣアドレスへと、各ＭＰＤＵのＭＡＣヘッダ中のＡ２フィールド６３５（すなわち、送信機アドレス）を設定することができる。送信機が異なる送信機アドレスを設定することを実施し得る実施形態は、送信機が複数のＢＳＳＩＤ（各ＢＳＳＩＤはＡＰが関連付けられるＢＳＳを特定する）を有するＡＰであるときと、ＡＰが関連付けられるＢＳＳのいずれかと関連付けられるＳＴＡにＡＰが複数のＭＰＤＵを送信するを必要とするときとを含み得る。送信機が、リレー機能またはメッシュ機能を提供し、それぞれの送信範囲内にない可能性のある複数のＳＴＡの間で交換される必要のあるフレームを転送するように動作し、したがって、送信機が異なるＳＴＡから受信される複数のＭＰＤＵをＡ−ＭＰＤＵへと集約し、Ａ−ＭＰＤＵを１つまたは複数の宛先に送信し得る、追加の実施形態が存在することがあり、このとき、各ＭＰＤＵは、ＭＰＤＵのソースアドレス（すなわち、フレームを生成したＳＴＡ）を示すＡ２アドレスを有する。たとえば、いくつかの実施形態では、送信機が、共通のＡ１アドレス（受信機）とＡ２アドレス（送信機）とを有する１つまたは複数のＭＰＤＵ、異なるＡ１アドレス（受信機）と共通のＡ２アドレス（送信機）とを有する１つまたは複数のＭＰＤＵ（複数の受信機−単一の送信機）、共通のＡ１アドレス（受信機）と異なるＡ２アドレス（送信機とを有する１つまたは複数のＭＰＤＵ（単一の受信機−複数の送信機）、または、異なるＡ１アドレス（受信機）と異なるＡ２アドレス（送信機）とを有する１つまたは複数のＭＰＤＵ（複数の受信機−複数の送信機とを集約することができる。そのような集合は、オーバーヘッドを減らし、媒体の効率を上げることができる。
【０１１９】
[00145]図９Ｄは、ＡＰ１０４と３つの局ＳＴＡ１０６ａ、ＳＴＡ１０６ｂ、およびＳＴＡ１０６ｃとの間の例示的なワイヤレス通信を示す。ワイヤレス通信は、ＡＰ１０４がＡ−ＭＰＤＵパケット９００ａを送信することで開始する。いくつかの態様では、Ａ−ＭＰＤＵ９００ａはブロードキャストされ得る。いくつかの他の態様では、Ａ−ＭＰＤＵ９００ａは、局ＳＴＡ１０６ａと、ＳＴＡ１０６ｂと、ＳＴＡ１０６ｃとを含むマルチキャストグループにマルチキャストされ得る。いくつかの態様では、図９Ｄに示されるＡ−ＭＰＤＵ９００ａのフォーマットは、図９Ｃに示されるＡ−ＭＰＤＵ９００ａ、および／または図８に示されるＡ−ＭＰＤＵ８００のフォーマットに実質的に従い得る。
【０１２０】
[00146]図９Ｄは、Ａ−ＭＰＤＵ９００ａの送信が完了してからＳＩＦＳ時間後に、ＳＴＡ１０６ｂが肯定応答パケット９５５を送信することを示す。ＳＴＡ１０６ｂは、図９Ｃに示される、Ａ−ＭＰＤＵサブフレーム９０５ｂ中の肯定応答ポリシー７３０ｂおよび肯定応答遅延インジケータ値８１４ｎに基づいて、示された時間において肯定応答パケット９５５を送信する。次に、ＳＴＡ１０６ａは、Ａ−ＭＰＤＵ９００ａの送信が完了してから２ＳＩＦＳ＋定数Ｋ後に、肯定応答パケット９６０を送信する。ＳＴＡ１０６ａが肯定応答９６０を送信する時間は、図９Ｃに示されるような、Ａ−ＭＰＤＵサブフレーム９０５ａによって示される肯定応答ポリシー７３０ａおよび肯定応答遅延インジケータ値８１４ｍに基づく。定数Ｋは、肯定応答９５５を送信するのに必要な時間と等価であるものとして示されるが、いくつかの他の態様では、定数時間Ｋは、肯定応答９５５を送信するのに必要な時間よりも長くてよい。
【０１２１】
[00147]いくつかの態様では、ＡＰは、ＭＰＤＵがユニキャスト送信である（すなわち、受信ＳＴＡのアドレスがユニキャストアドレス）である場合にのみ、ＭＰＤＵの受信に肯定応答するように受信ＳＴＡに命令することができる。しかしながら、グループキャスト（ブロードキャスト）フレームがＡ−ＭＰＤＵに含まれるいくつかの実施形態では、ＡＰは、単一のＳＴＡに宛てられるＡ−ＭＰＤＵに空のＭＰＤＵを含めることによって、肯定応答の応答を送るように設定されたグループから、１つのＳＴＡを選択的に要求することができる。空のＭＰＤＵの肯定応答ポリシーは、「普通の肯定応答または暗黙的なブロック肯定応答要求」のような特定の値に設定され得る。この手順は、グループキャストパケットが１つの受信機によって少なくとも一部受信されるかどうかを送信機が推定することを可能にするのに、有用であり得る。Ａ−ＭＰＤＵ内のＭＰＤＵの正しい受信に肯定応答するためにデバイスのグループからある受信機を選択するこの手順は、Ａ−ＭＰＤＵが他のネットワークトラフィックと競合した可能性があるかどうかを送信デバイスが特定するのを可能にすることによって、マルチキャスト送信の信頼性を向上させることができることを、当業者は理解し得る。応答デバイスの選択は、１つまたは複数の尺度に基づいてよく、このことは肯定応答の信頼性を最大にすることを可能にし得る。
【０１２２】
[00148]次に、ＳＴＡ１０６ｃは、Ａ−ＭＰＤＵ９００ａの送信が完了してから３ＳＩＦＳ＋２定数Ｋ後に、肯定応答パケット９６５を送信する。ＳＴＡ１０６ｃが肯定応答９６５を送信する時間は、図９Ｃに示されるような、Ａ−ＭＰＤＵサブフレーム９０５ｃによって示される肯定応答ポリシー７３０ｃおよび肯定応答遅延インジケータ値８１４ｏに基づく。定数Ｋは、図９Ｄでは肯定応答９６０を送信するのに必要な時間と等価であるものとして示されるが、いくつかの他の態様では、定数時間Ｋは、肯定応答９６０を送信するのに必要な時間よりも長くてよい。
【０１２３】
[00149]図９Ｅは、Ａ−ＭＰＤＵ９００ｂのある実施形態を示す。Ａ−ＭＰＤＵ９００ｂは、少なくとも３つのＡ−ＭＰＤＵサブフレーム９０５ｄ〜ｆを含む。３つのＡ−ＭＰＤＵサブフレーム９０５ｄ〜ｆの各々は、それぞれＳＴＡ１０６ａ〜ｃの１つに宛てられる。Ａ−ＭＰＤＵ９００ｂのフォーマットは、Ａ−ＭＰＤＵ８００のフォーマットに実質的に従い得る。いくつかの態様では、ＭＰＤＵデリミタフィールドフォーマット８１０ｂが、ＭＰＤＵデリミタ８１０ａの代わりにＡ−ＭＰＤＵ９００ｂにおいて利用され得る。いくつかの態様では、ＭＰＤＵデリミタフィールドフォーマット８１０ｃが、８１０ａと８１０ｂのいずれかの代わりにＡ−ＭＰＤＵ９００ｂにおいて利用され得る。
【０１２４】
[00150]図９ＣのＡ−ＭＰＤＵサブフレーム９０５ａ〜ｃと同様に、Ａ−ＭＰＤＵサブフレーム９０５ｄ〜ｆは各々、肯定応答遅延インジケータフィールド値８１４ｄ〜ｆと肯定応答ポリシーフィールド７３０ｄ〜ｆとを提供する。図９Ａに示されるように、遅延インジケータフィールド８１４ｄ〜ｆのフォーマットは、ＭＰＤＵデリミタ８１０ｂの遅延インジケータフィールド８１４ｂと実質的に一致し得る。いくつかの態様では、図９Ｂに示されるように、遅延インジケータフィールド８１４ｄ〜ｆのフォーマットは、ＭＰＤＵデリミタ８１０ｃの遅延インジケータフィールド８１４ｃと実質的に一致し得る。肯定応答ポリシーフィールド７３０ｄ〜ｆのフォーマットは、図７の肯定応答ポリシーフィールド７３０と実質的に一致し得る。
【０１２５】
[00151]図９ＣのＡ−ＭＰＤＵ９００ａと同様に、Ａ−ＭＰＤＵ９００ｂの第１のＡ−ＭＰＤＵサブフレーム９０５ｄは、普通の肯定応答という値に設定された肯定応答ポリシーフィールド７３０ｄを有する。Ａ−ＭＰＤＵサブフレーム９０５ｄの遅延インジケータ値８１４ｄは０に設定されているので、ＳＴＡ１０６ａは、Ａ−ＭＰＤＵ９００ｂの送信からＳＩＦＳ時間後に、Ａ−ＭＰＤＵサブフレーム９０５ｄに肯定応答する。Ａ−ＭＰＤＵサブフレーム９０５ｅ〜ｆの各々は、「肯定応答なし」に設定された肯定応答ポリシーフィールド７３０ｅ〜ｆを示す。したがって、ＭＰＤＵ９０５ｅ〜ｆは、それぞれＳＴＡ１０６ｂ〜ｃによって肯定応答されない。ポリシーフィールド７３０ｅ〜ｆが「肯定応答なし」に設定されているので、いくつかの態様では、ＳＴＡ１０６ｂおよび１０６ｃの各々は、遅延インジケータフィールド８１４ｅ〜ｆの値を復号しなくてよく、またはそれらに対して動作しなくてよい。
【０１２６】
[00152]図９Ｆは、ＡＰ１０４と３つのＳＴＡ１０６ａ〜ｃとの間の例示的なワイヤレス通信を示す。ワイヤレス通信は、ＡＰ１０４がＡ−ＭＰＤＵパケット９００ｂを送信することで開始する。いくつかの態様では、Ａ−ＭＰＤＵ９００ｂはブロードキャストされ得る。いくつかの他の態様では、Ａ−ＭＰＤＵ９００ｂは、局ＳＴＡ１０６ａと、ＳＴＡ１０６ｂと、ＳＴＡ１０６ｃとを含むマルチキャストグループにマルチキャストされ得る。いくつかの態様では、図９Ｆに示されるＡ−ＭＰＤＵ９００ｂのフォーマットは、図８に示されるＡ−ＭＰＤＵ８００と実質的に一致し得る。いくつかの態様では、Ａ−ＭＰＤＵ９００ｂは３つのＡ−ＭＰＤＵサブフレームを含み得る。Ａ−ＭＰＤＵ９００ｂの一態様が、上で図９Ｅにおいて示されている。
【０１２７】
[00153]次に、ＳＴＡ１０６ａは、Ａ−ＭＰＤＵ９００ｂの送信が完了してからＳＩＦＳ時間後に、肯定応答パケット９７０を送信する。ＳＴＡ１０６ａは、図９Ｅに示される、Ａ−ＭＰＤＵサブフレーム９０５ｄによって示される肯定応答ポリシー７３０ｄおよび肯定応答遅延インジケータ値８１４ｄに基づいて、示された時間において肯定応答パケット９７０を送信する。Ａ−ＭＰＤＵサブフレーム９０５ｄの遅延インジケータ値８１４ｄは０に設定されているので、ＳＴＡ１０６ａは、Ａ−ＭＰＤＵ９００ｂの送信からＳＩＦＳ時間後に、Ａ−ＭＰＤＵサブフレーム９０５に肯定応答する。
【０１２８】
[00154]ＳＴＡ１０６ｂ〜ｃが各々Ａ−ＭＰＤＵ９０５ｂ〜ｃの肯定応答をＡＰ１０４に返す図９Ｄとは異なり、図９Ｆは、ＳＴＡ１０６ｂ〜ｃが図９Ｅに示されるＡ−ＭＰＤＵ９００ｂのＡ−ＭＰＤＵ９０５ｅ〜ｆに肯定応答しないことを示す。図９Ｄに示されるように、ＳＴＡ１０６ｂ〜ｃは、肯定応答ポリシーフィールド７３０ｅ〜ｆが「肯定応答なし」という値に設定されていることに基づいて、Ａ−ＭＰＤＵ９０５ｅ〜ｆに肯定応答しない。
【０１２９】
[00155]図１０Ａは、Ａ−ＭＰＤＵ９００ｃのある実施形態を示す。Ａ−ＭＰＤＵ９００ｃは、少なくとも３つのＡ−ＭＰＤＵサブフレーム９０５ｇ〜ｉを含む。図９Ｅ〜図９ＦのＡ−ＭＰＤＵサブフレーム９０５ａ〜ｆと同様に、Ａ−ＭＰＤＵサブフレーム９０５ｇ〜ｉは各々、肯定応答遅延インジケータフィールド値８１４ｇ〜ｉと肯定応答ポリシーフィールド７３０ｇ〜ｉ値とを示す。いくつかの態様では、Ａ−ＭＰＤＵサブフレーム９０５ｇ〜ｉの各々は、図８のＡ−ＭＰＤＵ８００のフォーマットと実質的に一致し得る。いくつかの態様では、ＭＰＤＵデリミタフィールド８１０ｂが、Ａ−ＭＰＤＵ８００のＭＰＤＵデリミタフィールド８１０ａと置き換えられ得る。いくつかの態様では、ＭＰＤＵデリミタフィールド８１０ｃが、Ａ−ＭＰＤＵ８００のＭＰＤＵデリミタフィールド８１０ａと置き換えられ得る。
【０１３０】
[00156]Ａ−ＭＰＤＵ９００ｃの第１のＡ−ＭＰＤＵサブフレーム９０５ｇは、ブロック肯定応答という肯定応答ポリシーフィールド７３０ｇを示す。この値は、Ａ−ＭＰＤＵ９００ｃが送信／受信されてからＳＩＦＳ時間後に、Ａ−ＭＰＤＵ９０５ｇの受信機がＡ−ＭＰＤＵ９０５ｇに肯定応答すべきではないことを示す。代わりに、肯定応答ポリシーフィールド７３０ｇは、Ａ−ＭＰＤＵ９０５ｇを受信するＳＴＡ１０６ａに対して、Ａ−ＭＰＤＵ９０５ｇに肯定応答する前に明示的な肯定応答要求を待機すべきであることを示す。同様に、Ａ−ＭＰＤＵサブフレーム９０５ｈの肯定応答ポリシーフィールド７３０ｈはまた、ブロック肯定応答を示す。したがって、Ａ−ＭＰＤＵ９０５ｈは、ＳＴＡ１０６ｂが、Ａ−ＭＰＤＵ９０５ｈに肯定応答する前に、明示的なブロック肯定応答要求を待機すべきであることを示す。Ａ−ＭＰＤＵサブフレーム９０５ｉの肯定応答ポリシーフィールド７３０ｉは、Ａ−ＭＰＤＵ９０５ｉを受信するＳＴＡ１０６ｃが、Ａ−ＭＰＤＵ９００ｃの送信が完了してからＳＩＦＳ時間後にＡ−ＭＰＤＵ９０５ｉに肯定応答すべきであることを示し、それは、ＭＰＤＵ９０５ｉの肯定応答遅延インジケータフィールド８１４ｉが上で論じられたように０に設定されているからである。肯定応答ポリシーフィールド７３０ｇ〜ｈの両方がブロック肯定応答に設定されているので、遅延インジケータフィールド８１４ｇ〜ｈの値は、いくつかの態様では、ＳＴＡ１０６ａ〜ｂによって無視され得る。
【０１３１】
[00157]図１０Ｂは、ＡＰ１０４と３つのＳＴＡ１０６ａ〜ｃとの間の例示的なワイヤレス通信を示す。まず、ＡＰ１０４がＡ−ＭＰＤＵ９００ｃを送信する。いくつかの態様では、Ａ−ＭＰＤＵ９００ｃは、図１０ＡのＡ−ＭＰＤＵ９００ｃにおいて示されるものと等価なフィールド値を提供する。図１０Ａに関して上で論じられたように、ＳＴＡ１０６ｃに宛てられる、図１０Ａに示されるＡ−ＭＰＤＵサブフレーム９０５ｉは、普通の肯定応答という肯定応答ポリシーを示す。したがって、遅延インジケータフィールド８１４ｉが０であるので、ＳＴＡ１０６ｃは、Ａ−ＭＰＤＵフレーム９００ｃの送信の完了からＳＩＦＳ時間後に、Ａ−ＭＰＤＵサブフレーム９０５ｉに肯定応答する。このことは、ブロック肯定応答フレーム１００５の送信を介して示される。
【０１３２】
[00158]Ａ−ＭＰＤＵサブフレーム９０５ｇ〜ｈの各々が「ブロック肯定応答」という肯定応答ポリシーを示すので、ＳＴＡ１０６ａ〜ｂは、明示的なブロック肯定応答要求がなければＡ−ＭＰＤＵサブフレーム９０５ｇ〜ｈに肯定応答しない。したがって、図１０Ｂに示されるように、ＡＰ１０４は、ブロック肯定応答要求１０１０をＳＴＡ１０６ｂに送信する。それに応答して、ＳＴＡ１０６ｂは、ブロック肯定応答要求１０１０を受信してからＳＩＦＳ時間後に、Ａ−ＭＰＤＵ９０５ｈに対するブロック肯定応答１０１５を送信する。同様に、ＡＰ１０４は、ブロック肯定応答要求１０２０をＳＴＡ１０６ａに送信する。それに応答して、ＳＴＡ１０６ａは、ブロック肯定応答要求１０２０を受信してからＳＩＦＳ時間後に、Ａ−ＭＰＤＵ９０５ｇに対するブロック肯定応答メッセージ１０２５をＡＰ１０４に送信する。
【０１３３】
[00159]図１０Ｃは、Ａ−ＭＰＤＵ９００ｄのある実施形態を示す。Ａ−ＭＰＤＵ９００ｄは、少なくとも３つのＡ−ＭＰＤＵサブフレーム９０５ｊ〜ｌを含む。Ａ−ＭＰＤＵ９００ｄは、Ａ−ＭＰＤＵ８００に関して上で説明されたフレームフィールドフォーマットと一致し得る。たとえば、各Ａ−ＭＰＤＵサブフレームは、ＭＰＤＵデリミタフィールドとＭＰＤＵフィールドとを含み得る（いずれも明示的には示されていない）。図９Ｂに示される例示的なＭＰＤＵデリミタフィールド８１０ｃに示されるように、Ａ−ＭＰＤＵサブフレーム９０５ｊ〜ｌのＭＰＤＵデリミタフィールドは、ＥＯＦフィールド８１２ｊ〜ｌと、遅延インジケータフィールド８１４ｊ〜ｌと、ＭＰＤＵ長さフィールド８１６ｊ〜ｌとを含み得る。各ＭＰＤＵサブフレーム９０５ｊ〜ｌの制御フィールドは、肯定応答ポリシーフィールド７３０ｊ〜ｌを含む。
【０１３４】
[00160]いくつかの態様では、ＭＰＤＵデリミタのＥＯＦフィールド８１２は、Ａ−ＭＰＤＵサブフレームが肯定応答フレームを使用して肯定応答されるべきかブロック肯定応答フレームを使用して肯定応答されるべきかを示し得る。たとえば、いくつかの態様では、フレームの末尾フィールド８１２ｊ〜ｌがクリア（０）である場合、ブロック肯定応答は、対応するＡ−ＭＰＤＵサブフレームの受信に応答して送信されるべきである。ＥＯＦフィールド８１２ｊ〜ｌが（１）に設定される場合、肯定応答フレームは、対応するＡ−ＭＰＤＵサブフレームの受信に応答して送信されるべきである。図１０Ｃに示されるＡ−ＭＰＤＵサブフレームへのブロック肯定応答および通常の肯定応答は、たとえば図９Ｃ〜図１０Ｂの、前に開示された実施形態と同様に動作し得る。たとえば、各Ａ−ＭＰＤＵサブフレーム９０５ｇ〜ｉは、肯定応答ポリシーフィールド７３０ａ〜ｉのいずれかのような前に論じられた肯定応答ポリシーフィールドと同様に動作する肯定応答ポリシーを、フィールド７３０ｊ〜ｌにおいて規定することができる。遅延インジケータフィールド８０２ｊ〜ｌはまた、前に論じられた遅延インジケータフィールド８０２ａ〜Ｉまたは８０２ｍ〜ｏのいずれか１つと同様の方式で動作することができる。
【０１３５】
[00161]図１０Ｄは、ＡＰ１０４と３つのＳＴＡ１０６ａ〜ｃとの間の例示的なワイヤレス通信を示す。まず、ＡＰ１０４がＡ−ＭＰＤＵ９００ｄを送信する。いくつかの態様では、Ａ−ＭＰＤＵ９００ｄは、図１０ＣのＡ−ＭＰＤＵ９００ｄによって示されるフィールド値を示す。
【０１３６】
[00162]Ａ−ＭＰＤＵサブフレーム９０５ｉの遅延インジケータフィールド８１４ｌは０の遅延値を含むので、ＳＴＡ１０６ｃは、Ａ−ＭＰＤＵ９００ｄの送信からＳＩＦＳ時間後に、ＳＴＡ１０６ｃに宛てられたＡ−ＭＰＤＵ（９０５ｉ）に肯定応答する。Ａ−ＭＰＤＵサブフレーム９０５ｉのＥＯＦフィールド８１２ｌはクリア（０）であるので、ＳＴＡ１０６ｃは、ブロック肯定応答フレーム１０５５によってＡ−ＭＰＤＵサブフレームに肯定応答する。
【０１３７】
[00163]次に、遅延インジケータ値８１４ｊに基づいて、ＳＴＡ１０６ａは、上の式（１）に従った時間に、肯定応答フレーム１０６０を送信する。ＥＯＦフィールド８１２ｊが１に設定されているので、肯定応答フレームはＳＴＡ１０６ａによって送信される。ＳＴＡ１０６ｂは次いで、遅延インジケータフィールド８１４ｋに基づいて、Ａ−ＭＰＤＵサブフレーム９０５ｋの肯定応答を送信する。ＥＯＦフィールド８１２ｋが設定されているので、肯定応答フレーム１０６５がブロック肯定応答フレームの代わりに送信される。
【０１３８】
[00164]図１１Ａは、ワイヤレス通信の１つの例示的な方法のフローチャートである。いくつかの態様では、プロセス１１００は、図２に関して上で示されたワイヤレスデバイス２０２によって実行され得る。いくつかの態様では、プロセス１１００はＡＰ１０４によって実行され得る。
【０１３９】
[00165]ブロック１１０５において、集約されたメディアアクセス制御プロトコルデータユニット（Ａ−ＭＰＤＵ）フレームがワイヤレスデバイスによって生成される。Ａ−ＭＰＤＵフレームは、ブロック１１０５において生成された２つ以上のＡ−ＭＰＤＵサブフレームを含む。Ａ−ＭＰＤＵサブフレームの各々が受信機アドレスを含む。Ａ−ＭＰＤＵフレームは、各Ａ−ＭＰＤＵサブフレームの各受信機アドレスと関連付けられる１つまたは複数の肯定応答ポリシーに対する少なくとも１つの指示を備える。２つ以上のＡ−ＭＰＤＵサブフレームの各々は制御フィールドを含み、制御フィールドは、各々の対応するＡ−ＭＰＤＵサブフレームに対する１つまたは複数の肯定応答ポリシーを示す。いくつかの態様では、２つよりも多くのＡ−ＭＰＤＵサブフレームがブロック１１０５において生成される。いくつかの態様では、２つよりも多くの異なる肯定応答ポリシーは、ブロック１１０５において生成されるＡ−ＭＰＤＵサブフレームによって示される。いくつかの態様では、Ａ−ＭＰＤＵフレーム内のＡ−ＭＰＤＵサブフレームの２つ以上は、同じ受信機アドレスを有するように生成され得る。いくつかの実施形態では、これらの肯定応答ポリシーは、Ａ−ＭＰＤＵサブフレームの各々において、制御フィールド、デリミタフィールド、または制御フィールドとデリミタフィールドの組合せによって示され得る。
【０１４０】
[00166]いくつかの態様では、肯定応答ポリシーを示す制御フィールドは、Ａ−ＭＰＤＵサブフレームの各々のＱｏＳ制御フィールド中の肯定応答ポリシー制御フィールドである。いくつかの態様では、Ａ−ＭＰＤＵサブフレームの各々のＱｏＳ制御フィールドのフォーマットは、図７に示されるＱｏＳ制御フィールド６５５と実質的に一致し得る。
【０１４１】
[00167]いくつかの態様では、ＱｏＳ制御フレームの肯定応答ポリシーフィールドは、「普通の肯定応答または暗黙的なブロック肯定応答」のような特定の値に設定され得る。いくつかの態様では、この値は０ｂ００に対応する。その特定の値に設定される場合、肯定応答ポリシーは、対応するＡ−ＭＰＤＵサブフレームに対する肯定応答が、ある時間遅延の後でＡ−ＭＰＤＵサブフレームの受信機によって送信されるべきであることを示す。いくつかの態様では、その時間遅延は、Ａ−ＭＰＤＵサブフレームを含むＡ−ＭＰＤＵフレームの送信／受信からＳＩＦＳ時間後である。Ａ−ＭＰＤＵサブフレームに対して送信される肯定応答の競合を減らすために、いくつかの態様では、生成されるＡ−ＭＰＤＵサブフレームの１つだけの肯定応答ポリシーは、「普通の肯定応答または暗黙的なブロック肯定応答」のような特定の値に設定される。
【０１４２】
[00168]いくつかのＡ−ＭＰＤＵサブフレーム中の肯定応答ポリシーフィールド７３０は、「肯定応答なし」に設定され得る。「肯定応答なし」に設定される場合、受信機は、対応するＡ−ＭＰＤＵサブフレームに肯定応答すべきではない。いくつかの態様では、「肯定応答なし」の値は０ｂ１０に対応する。いくつかの態様では、肯定応答ポリシーフィールドは「ブロック肯定応答」という値に設定され得る。いくつかの態様では、この値は０ｂ１１に対応する。「ブロック肯定応答」に設定される場合、肯定応答ポリシーフィールドは、対応するＡ−ＭＰＤＵサブフレームの受信機が後の時間にブロック肯定応答メッセージに対する要求を受信し得ることと、対応するＡ−ＭＰＤＵサブフレームの肯定応答のいずれもが、対応するＡ−ＭＰＤＵサブフレームを含むＡ−ＭＰＤＵの受信が完了してからＳＩＦＳ時間後に送信されるべきではないこととを、示す。
【０１４３】
[00169]いくつかの態様では、肯定応答ポリシーはさらに、制御フィールド中の遅延インジケータフィールドによって示される。いくつかの態様では、遅延インジケータフィールドは、ＭＰＤＵデリミタフィールドに含まれ得る。たとえば、遅延インジケータフィールドは、図９ＡのＭＰＤＵデリミタフィールド８１０ｂの遅延インジケータフィールド８１４ｂによって示されるようなものであり得る。いくつかの他の態様では、遅延インジケータフィールドは、図８のＭＰＤＵデリミタフィールド８１０ａの遅延インジケータフィールド８１４ａによって示されるようなものであり得る。いくつかの他の態様では、遅延インジケータフィールドは、図９ＢのＭＰＤＵデリミタフィールド８１０ｃの遅延インジケータフィールド８１４ｃによって示されるようなものであり得る。
【０１４４】
[00170]遅延インジケータフィールドは、対応するＡ−ＭＰＤＵサブフレームに肯定応答する前に経過すべき遅延を示し得る。いくつかの態様では、遅延インジケータフィールドは、バックオフカウンタを示し得る。いくつかの態様では、遅延インジケータは、複数のＳＩＦＳ時間または１つのＳＩＦＳ時間とカウンタ値とを足したものを表し得る。対応するＡ−ＭＰＤＵサブフレームを受信するデバイスは、決定された遅延の値の分だけ肯定応答の送信を遅らせることができる。いくつかの態様では、肯定応答ポリシーフィールドが、上で論じられたような「普通の肯定応答または暗黙的なブロック肯定応答」のような特定の値に設定される場合、遅延インジケータフィールドは、Ａ−ＭＰＤＵサブフレームまたはＡ−ＭＰＤＵフレームの受信／送信とフレームの肯定応答の送信時間との間の遅延を示す。
【０１４５】
[00171]いくつかの態様では、肯定応答ポリシーは、フレームの末尾（ＥＯＦ）フィールドによって示される。たとえば、いくつかの態様では、Ａ−ＭＰＤＵサブフィールドは、ＭＰＤＵデリミタフィールド８１０ａに実質的に従ったフォーマットの、ＭＰＤＵデリミタフィールドを含み得る。これらの態様では、肯定応答ポリシーは、ＭＰＤＵデリミタ８１０ａのＥＯＦフィールド８１２ａによって示され得る。いくつかの他の態様では、肯定応答ポリシーは、ＭＰＤＵデリミタフィールド８１０ｃのＥＯＦフィールド８１２ｃによって示され得る。
【０１４６】
[00172]ブロック１１１０において、Ａ−ＭＰＤＵフレームがワイヤレスデバイスによって送信される。１つまたは複数のアンテナを含むワイヤレスデバイスによって実行されるとき、Ａ−ＭＰＤＵフレームは１つまたは複数のアンテナを使用して送信され得る。
【０１４７】
[00173]いくつかの態様では、方法はさらに、ワイヤレスデバイスによって、Ａ−ＭＰＤＵサブフレームの１つによって示される受信機アドレスへ肯定応答に対する要求を送信することを含む。いくつかの態様では、この要求はブロック肯定応答要求である。Ａ−ＭＰＤＵサブフレームによって示される肯定応答ポリシーがブロック肯定応答ポリシーを示す場合、肯定応答に対する要求が送信され得る。ブロック１１１５において、肯定応答に対する要求は、Ａ−ＭＰＤＵの送信からＳＩＦＳ時間よりも長い遅延の後に送信され得る。この遅延は、送信されるＡ−ＭＰＤＵフレーム中の１つのＡ−ＭＰＤＵサブフレームが肯定応答される機会を提供することができる。「普通の肯定応答または暗黙的なブロック肯定応答」のような特定の値に設定された肯定応答ポリシーを伴うＡ−ＭＰＤＵサブフレームは、この遅延の間に肯定応答され得る。
【０１４８】
[00174]いくつかの態様では、方法はさらに、ワイヤレスデバイスによって、送信されるＡ−ＭＰＤＵフレームに含まれるＡ−ＭＰＤＵサブフレームの１つまたは複数に対する１つまたは複数の肯定応答を受信することを含む。いくつかの態様では、ブロック１１１５において、これらの肯定応答の１つは、Ａ−ＭＰＤＵフレームの送信の完了からＳＩＦＳ時間後に受信される。たとえば、「普通の肯定応答または暗黙的なブロック肯定応答」のような特定の値に設定された肯定応答ポリシーを伴うＡ−ＭＰＤＵフレーム、またはフレームの末尾指示セットを伴うＡ−ＭＰＤＵフレームが、この遅延の間に肯定応答され得る。
【０１４９】
[00175]いくつかの態様はさらに、上で論じられたように、Ａ−ＭＰＤＵサブフレーム肯定応答のタイミングは、遅延インジケータフィールドを基礎とし得る。たとえば、いくつかの態様では、（適切な８０２．１１規格の「普通の肯定応答または暗黙的なブロック肯定応答」のような）特定の値に設定された肯定応答ポリシーを伴うＡ−ＭＰＤＵサブフレームはまた、ブロック１１１５においてＡ−ＭＰＤＵフレームの送信が完了してからＳＩＦＳ時間後にそのＡ−ＭＰＤＵサブフレームが肯定応答されるように、０または最小限の遅延値に設定された遅延インジケータフィールドを有する必要がある。
【０１５０】
[00176]上で説明されたように、ブロック肯定応答要求のようなワイヤレスデバイスによる明示的な肯定応答要求の送信に応答して、他のフレームが肯定応答され得る。
【０１５１】
[00177]図１１Ｂは、ワイヤレス通信システム１００内で利用され得る例示的なワイヤレスデバイス１１５０の機能ブロック図である。デバイス１１５０は、Ａ−ＭＰＤＵフレーム生成回路１１５５とＡ−ＭＰＤＵ送信回路１１６０とを備える。Ａ−ＭＰＤＵフレーム生成回路１１５５は、図１１Ａに示されたブロック１１０５に関して上で論じられた機能の１つまたは複数を実行するように構成され得る。Ａ−ＭＰＤＵフレーム生成回路１１５５は、プロセッサ４０４および／またはＤＳＰ４２０および／または処理システムの１つまたは複数に対応し得る。デバイス１１５０はさらに、Ａ−ＭＰＤＵフレーム送信回路１１６０を備える。いくつかの態様では、Ａ−ＭＰＤＵフレーム送信回路１１６０は、ブロック１１１０に関して上で論じられた機能の１つまたは複数を実行するように構成され得る。いくつかの態様では、Ａ−ＭＰＤＵフレーム送信回路１１６０は送信機４１０を含み得る。いくつかの態様では、フレーム送信回路はさらに、Ａ−ＭＰＤＵサブフレームの１つによって示される受信機アドレスへ肯定応答に対する要求を送信するように構成され得る。いくつかの実装形態では、２つ以上のＡ−ＭＰＤＵサブフレームを備える集約されたメディアアクセス制御プロトコルデータユニット（Ａ−ＭＰＤＵ）フレームを生成するための手段、および／または、２つ以上のＡ−ＭＰＤＵサブフレームを生成するための手段は、Ａ−ＭＰＤＵ生成フレーム回路１１５５を含み得る。いくつかの実装形態では、Ａ−ＭＰＤＵフレームを送信するための手段はＡ−ＭＰＤＵ送信回路を備え得る。
【０１５２】
[00178]いくつかの態様では、デバイス１１５０はさらに復号回路を備える。復号回路は、Ａ−ＭＰＤＵフレーム生成回路１１５５によって生成されるＡ−ＭＰＤＵサブフレームのフレームの末尾（ＥＯＦ）フィールドが０に設定される場合、Ａ−ＭＰＤＵサブフレームに対するブロック肯定応答を復号するように構成され得る。いくつかの態様では、復号回路は、プロセッサ４０４および／またはＤＳＰ４２０および／または処理システムの１つまたは複数に対応し得る。いくつかの態様では、復号回路はさらに、Ａ−ＭＰＤＵフレーム生成回路１１５５によって生成されるＡ−ＭＰＤＵサブフレームのフレームの末尾（ＥＯＦ）フィールドが設定される場合、Ａ−ＭＰＤＵサブフレームに対する肯定応答を復号するように構成され得る。いくつかの態様では、デバイス１１５０はさらに復号回路を備える。復号回路は、Ａ−ＭＰＤＵフレームの送信から短フレーム間空間時間以上の遅延の後に受信される２つ以上のＡ−ＭＰＤＵサブフレームの少なくとも１つの受信の肯定応答を復号することができる。いくつかの態様では、復号回路は、プロセッサ４０４もしくはＤＳＰ４２０および／または処理システムに対応し得る。いくつかの実装形態では、受信の肯定応答を復号するための手段は復号回路を含み得る。いくつかの態様では、デバイス１１５０はさらに値設定回路を備える。設定回路は、Ａ−ＭＰＤＵサブフレームの肯定応答ポリシーに従って、受信後に送られるべきフレームを示すための値をフレームの末尾フィールドの中で設定するように構成され得る。いくつかの態様では、設定回路は、プロセッサ４０４もしくはＤＳＰ４２０および／または処理システムに対応し得る。いくつかの実装形態では、フレームの末尾フィールドの値を設定するための手段は、設定回路を備える。
【０１５３】
[00179]図１２Ａは、ワイヤレス通信の１つの例示的な方法のフローチャートである。いくつかの態様では、プロセス１２００は、図２に関して上で示されたワイヤレスデバイス２０２によって実行され得る。いくつかの態様では、プロセス１２００はＳＴＡ１０６によって実行され得る。
【０１５４】
[00180]ブロック１２０５において、集約されたメディアアクセス制御プロトコルデータユニット（Ａ−ＭＰＤＵ）フレームがワイヤレスデバイスによって受信される。Ａ−ＭＰＤＵフレームは、２つ以上のＡ−ＭＰＤＵサブフレームを含む。いくつかの態様では、Ａ−ＭＰＤＵサブフレームは、上で論じられたフレーム９００ａ〜ｄの１つのフォーマットに実質的に従う。
【０１５５】
[00181]ブロック１２１０において、Ａ−ＭＰＤＵフレームがワイヤレスデバイスによって復号される。いくつかの態様では、受信デバイスは、デバイスに宛てられるＡ−ＭＰＤＵフレームに含まれるＡ−ＭＰＤＵサブフレームの１つまたは複数を特定する。いくつかの態様では、これは、Ａ−ＭＰＤＵサブフレームの各々において指定される受信機アドレスをワイヤレスデバイスのローカルデバイスアドレスと比較することによって達成される。いくつかの態様では、Ａ−ＭＰＤＵサブフレームの１つまたは複数において指定される受信機アドレスは、ブロードキャストアドレスまたはマルチキャストアドレスである。この場合、受信デバイスは、その受信機アドレスがＡ−ＭＰＤＵサブフレームのマルチキャストアドレスによって示されるマルチキャストグループに含まれるかどうかを決定することができる。
【０１５６】
[00182]受信デバイスが受信機に宛てられるＡ−ＭＰＤＵサブフレームを特定すると、受信デバイスは、受信機に宛てられたＡ−ＭＰＤＵサブフレームの各々の肯定応答ポリシーを決定することができる。いくつかの態様では、Ａ−ＭＰＤＵサブフレームのＱｏＳ制御フィールドの肯定応答ポリシーフィールドが「肯定応答なし」に設定される場合、特定のＡ−ＭＰＤＵサブフレームのいずれの肯定応答も受信デバイスによって送信されない。肯定応答ポリシーフィールドが「ブロック肯定応答」に設定される場合、Ａ−ＭＰＤＵサブフレームの受信が記憶され得るが、後続の肯定応答要求が受信されるまで、いずれの肯定応答もデバイスによって送信されない。いくつかの態様において、受信される肯定応答要求はブロック肯定応答要求である。
【０１５７】
[00183]ＱｏＳ制御フィールドの肯定応答ポリシーフィールドが（適切な８０２．１１規格の「普通の肯定応答または暗黙的なブロック肯定応答」に対応する値のような）特定の値に設定される場合、受信デバイスは、Ａ−ＭＰＤＵフレームの受信が完了してからＳＩＦＳ時間後に肯定応答を送信することができる。いくつかの態様では、肯定応答の送信時間はさらに、遅延インジケータフィールドに基づく。いくつかの態様では、遅延インジケータフィールドは、Ａ−ＭＰＤＵサブフレームのＭＰＤＵデリミタフィールドにおいて提供される。たとえば、いくつかの態様では、ＭＰＤＵデリミタフィールドは、図９Ｂに示される、ＭＰＤＵデリミタフィールド８１０ｂのフォーマットに実質的に従い得る。いくつかの態様では、遅延インジケータフィールドは、バックオフ値を示し得る。たとえば、遅延インジケータフィールドは、対応するＡ−ＭＰＤＵサブフレームに肯定応答する前に受信機が待機すべき、ＳＩＦＳ時間の倍数またはＳＩＦＳ時間の倍数＋定数値を示し得る。
【０１５８】
[00184]いくつかの態様では、Ａ−ＭＰＤＵサブフレームの肯定応答ポリシーを決定することは、フレームの末尾フィールドに基づき得る。いくつかの態様では、ＭＰＤＵデリミタフィールド８１０ａまたは８１０ｃに示されるように、フレームの末尾フィールドがＭＰＤＵデリミタフィールドに含まれる。いくつかの態様では、フレームの末尾フィールドが設定される場合、Ａ−ＭＰＤＵの肯定応答は、Ａ−ＭＰＤＵフレームの受信からＳＩＦＳ時間後に送信される。いくつかの態様では、フレームの末尾フィールドがクリア（０）である場合、Ａ−ＭＰＤＵサブフレームのいずれの肯定応答も、Ａ−ＭＰＤＵフレームの受信からＳＩＦＳ時間後に送信されなくてよい。
【０１５９】
[00185]いくつかの態様はさらに、Ａ−ＭＰＤＵフレームに含まれるＡ−ＭＰＤＵサブフレームの１つまたは複数に対する肯定応答要求の受信を含む。たとえば、Ａ−ＭＰＤＵサブフレームが「ブロック肯定応答」という肯定応答ポリシーを示す場合、受信機は、明示的な肯定応答要求の受信までＡ−ＭＰＤＵサブフレームに肯定応答しない。受信されるＡ−ＭＰＤＵサブフレームに対する肯定応答要求とき、Ａ−ＭＰＤＵサブフレームの肯定応答は、Ａ−ＭＰＤＵサブフレームが受信されるかどうかに少なくとも基づいて送信され得る。
【０１６０】
[00186]図１２Ｂは、ワイヤレス通信システム１００内で利用され得る例示的なワイヤレスデバイス１２５０の機能ブロック図である。デバイス１２５０は、Ａ−ＭＰＤＵフレーム受信回路１２５５とＡ−ＭＰＤＵフレーム復号回路１２６０とを備える。Ａ−ＭＰＤＵフレーム受信回路１２５５は、図１２Ａに示されたブロック１２０５に関して上で論じられた機能の１つまたは複数を実行するように構成され得る。Ａ−ＭＰＤＵフレーム受信回路１２５５は、受信機４１２の１つまたは複数に対応し得る。デバイス１２５０はさらに、Ａ−ＭＰＤＵフレーム復号回路１２６０を備える。Ａ−ＭＰＤＵフレーム復号回路１２６０は、図１２Ａに示されたブロック１２１０に関して上で論じられた機能の１つまたは複数を実行するように構成され得る。いくつかの態様では、Ａ−ＭＰＤＵフレーム復号回路１２６０はプロセッサ４０４に対応し得る。いくつかの実装形態では、集約されたメディアアクセス制御プロトコルデータユニット（Ａ−ＭＰＤＵ）フレームを受信するための手段は、Ａ−ＭＰＤＵ受信フレーム回路１２５５を含み得る。いくつかの実装形態では、受信されたＡ−ＭＰＤＵフレームに基づいて２つ以上のＡ−ＭＰＤＵサブフレームを復号するための手段、２つ以上のＡ−ＭＰＤＵサブフレームの各々に対応する受信機アドレスを復号するための手段、または、受信されたＡ−ＭＰＤＵフレームから復号された２つ以上のＡ−ＭＰＤＵサブフレームの少なくとも１つが２つ以上のＡ−ＭＰＤＵサブフレームの各々に対する復号された受信機アドレスに基づいて装置に宛てられると決定するための手段は、Ａ−ＭＰＤＵ復号回路１２６０を含み得る。
【０１６１】
[00187]いくつかの態様では、デバイス１２５０はさらに復号回路を備える。復号回路は、受信されたＡ−ＭＰＤＵフレームに基づいてＡ−ＭＰＤＵサブフレームを復号するように構成され得る。復号回路は、受信されたＡ−ＭＰＤＵフレームに基づいてＡ−ＭＰＤＵサブフレームを復号するように構成され得る。復号回路は、２つ以上のＡ−ＭＰＤＵサブフレームの各々に対応する受信機アドレスを復号するように構成され得る。復号回路は、２つ以上のＡ−ＭＰＤＵサブフレームの少なくとも１つの中のＭＰＤＵデリミタフィールドを復号するように構成され得る。いくつかの態様では、復号回路は、プロセッサ４０４、ＤＳＰ４２０、および／または処理システムに対応し得る。いくつかの実装形態では、Ａ−ＭＰＤＵサブフレームを復号するための手段および受信機アドレスを復号するための手段は復号回路を含み得る。
【０１６２】
[00188]いくつかの態様では、デバイス１２５０はさらに決定回路を備える。決定回路は、２つ以上のＡ−ＭＰＤＵサブフレームの各々に対する復号された受信機アドレスに基づいて、受信されたＡ−ＭＰＤＵフレームから復号された２つ以上のＡ−ＭＰＤＵサブフレームの少なくとも１つが装置に宛てられると決定するように構成され得る。決定回路はまた、Ａ−ＭＰＤＵフレームの受信から肯定応答フレームの送信までに経過することになる時間遅延を、ＭＰＤＵデリミタフィールドに記憶されている値から決定するように構成され得る。いくつかの態様では、決定回路は、プロセッサ４０４、ＤＳＰ４２０、および／または処理システムに対応し得る。いくつかの実装形態では、決定するための手段が決定回路を含み得る。
【０１６３】
[00189]いくつかの態様では、デバイス１２５０はさらに肯定応答ポリシー復号回路を備える。肯定応答ポリシー復号回路は、２つ以上のＡ−ＭＰＤＵサブフレームの各々の対応する１つまたは複数のフィールドの中の各Ａ−ＭＰＤＵサブフレームの受信機アドレスと関連付けられる少なくとも１つの指示に基づいて、２つ以上のＡ−ＭＰＤＵサブフレームの各々に対する肯定応答ポリシーを復号するように構成され得る。いくつかの態様では、肯定応答復号回路はプロセッサ４０４に対応し得る。いくつかの実装形態では、肯定応答ポリシーを復号するための手段は肯定応答復号回路を含み得る。
【０１６４】
[00190]いくつかの態様では、デバイス１２５０はさらにフレームの末尾フィールド復号回路を備える。フレームの末尾フィールド復号回路は、２つ以上のＡ−ＭＰＤＵサブフレームの少なくとも１つの中のフレームの末尾フィールド中の値を復号するように構成されてよく、この値は、２つ以上のＡ−ＭＰＤＵサブフレームの各々の肯定応答ポリシーのための受信の肯定応答に対する要求のタイプを示す。いくつかの態様では、フレームの末尾フィールド復号回路は、プロセッサ４０４、ＤＳＰ４２０、および／または処理システムに対応し得る。いくつかの実装形態では、フレームの末尾フィールドを復号するための手段はフレームの末尾フィールド復号回路を含み得る。
【０１６５】
[00191]いくつかの態様では、デバイス１２５０はさらにフレーム生成回路を備える。フレーム生成回路は、フレームの末尾フィールド中の値に基づいて、２つ以上のＡ−ＭＰＤＵサブフレームの少なくとも１つに対する肯定応答フレームまたはブロック肯定応答フレームを生成することができる。いくつかの態様では、フレームの末尾生成回路は、プロセッサ４０４、ＤＳＰ４２０、および／または処理システムに対応し得る。いくつかの実装形態では、肯定応答フレームを生成するための手段は、フレーム生成回路を含み得る。
【０１６６】
[00192]図１３Ａは、ワイヤレス通信の１つの例示的な方法のフローチャートである。いくつかの態様では、プロセス１３００は、図２に関して上で示されたワイヤレスデバイス２０２によって実行され得る。いくつかの態様では、プロセス１３００はＳＴＡ１０６によって実行され得る。
【０１６７】
[00193]ブロック１３０５において、集約されたメディアアクセス制御プロトコルデータユニット（Ａ−ＭＰＤＵ）フレームがワイヤレスデバイスによって受信される。ブロック１３１０において、受信されたＡ−ＭＰＤＵフレームの２つ以上のＡ−ＭＰＤＵサブフレームが、ワイヤレスデバイスによって復号される。いくつかの態様では、復号されたＡ−ＭＰＤＵサブフレームは、上で論じられたフレーム９００ａ〜ｄの１つのフォーマットに実質的に従う。
【０１６８】
[00194]ブロック１３１５において、２つ以上のＡ−ＭＰＤＵサブフレームの各々に対応する受信機アドレスが、ワイヤレスデバイスによって復号される。いくつかの態様では、Ａ−ＭＰＤＵサブフレームの１つまたは複数において指定される受信機アドレスは、ブロードキャストアドレスまたはマルチキャストアドレスである。この場合、受信デバイスは、その受信機アドレスがＡ−ＭＰＤＵサブフレームのマルチキャストアドレスによって示されるマルチキャストグループに含まれるかどうかを決定することができる。
【０１６９】
[00195]いくつかの態様では、デバイス実行プロセス１３００は、復号された受信機アドレスの各々を復号デバイスのローカルアドレスと比較することができる。Ａ−ＭＰＤＵサブフレームの１つまたは複数の中の受信機アドレスがローカル受信機アドレスと一致する場合、受信デバイスは次いで、受信されたＡ−ＭＰＤＵサブフレームをさらに復号することができる。
【０１７０】
[00196]受信デバイスが受信デバイスに宛てられるＡ−ＭＰＤＵサブフレームを特定すると、受信デバイスは、受信機に宛てられたＡ−ＭＰＤＵサブフレームの各々の肯定応答ポリシーを決定することができる。たとえば、いくつかの態様では、受信デバイスは、受信機Ａ−ＭＰＤＵサブフレームによって示される肯定応答ポリシーを復号することができる。いくつかの態様では、肯定応答ポリシーは、制御フィールド中の肯定応答ポリシーフィールド、ＭＰＤＵデリミタフィールド中の遅延インジケータフィールド、および／またはＭＰＤＵデリミタフィールドに含まれるフレームの末尾フィールドの１つまたは複数によって示され得る。
【０１７１】
[00197]いくつかの態様では、Ａ−ＭＰＤＵサブフレームのＱｏＳ制御フィールドの肯定応答ポリシーフィールドが「肯定応答なし」に対応する値に設定される場合、特定のＡ−ＭＰＤＵサブフレームのいずれの肯定応答も受信デバイスによって送信されない。肯定応答ポリシーフィールドが「ブロック肯定応答」に設定される場合、Ａ−ＭＰＤＵサブフレームの受信が記憶され得るが、後続の肯定応答要求が受信されるまで、いずれの肯定応答も送信されない。いくつかの態様において、受信される肯定応答要求はブロック肯定応答要求である。
【０１７２】
[00198]ＱｏＳ制御フィールドの肯定応答ポリシーフィールドが特定の値に設定される場合、いくつかの態様では、特定の値は、適切な８０２．１１規格によって定義されるような「普通の肯定応答または暗黙的なブロック肯定応答」の値に対応し）、受信デバイスは、Ａ−ＭＰＤＵフレームの受信が完了してからＳＩＦＳ時間後に肯定応答を送信することができる。いくつかの態様では、肯定応答の送信時間はさらに、遅延インジケータフィールドに基づく。いくつかの態様では、遅延インジケータフィールドは、Ａ−ＭＰＤＵサブフレームのＭＰＤＵデリミタフィールドにおいて提供される。たとえば、いくつかの態様では、ＭＰＤＵデリミタフィールドは、図９Ｂに示される、ＭＰＤＵデリミタフィールド８１０ｂのフォーマットに実質的に従い得る。いくつかの態様では、遅延インジケータフィールドは、バックオフ値を示し得る。たとえば、遅延インジケータフィールドは、対応するＡ−ＭＰＤＵサブフレームに肯定応答する前に受信機が待機すべき、ＳＩＦＳ時間の倍数またはＳＩＦＳ時間の倍数＋定数値を示し得る。
【０１７３】
[00199]いくつかの態様では、Ａ−ＭＰＤＵサブフレームの肯定応答ポリシーを決定することは、フレームの末尾フィールドに基づき得る。いくつかの態様では、ＭＰＤＵデリミタフィールド８１０ａまたは８１０ｃに示されるように、フレームの末尾フィールドがＭＰＤＵデリミタフィールドに含まれる。いくつかの態様では、フレームの末尾フィールドが設定される場合、Ａ−ＭＰＤＵの肯定応答は、Ａ−ＭＰＤＵフレームの受信からＳＩＦＳ時間後に送信される。いくつかの態様では、フレームの末尾フィールドがクリア（０）である場合、Ａ−ＭＰＤＵサブフレームのブロック肯定応答が、Ａ−ＭＰＤＵフレームの受信からＳＩＦＳ時間後に送信され得る。いくつかの他の態様では、フレームの末尾フィールドがクリア（０）である場合、いずれの肯定応答もＡ−ＭＰＤＵフレームの受信からＳＩＦＳ時間後に送信されない。
【０１７４】
[00200]いくつかの態様はさらに、Ａ−ＭＰＤＵフレームに含まれるＡ−ＭＰＤＵサブフレームの１つまたは複数に対する肯定応答要求の受信を含む。たとえば、いくつかの態様では、Ａ−ＭＰＤＵサブフレームが「ブロック肯定応答」という肯定応答ポリシーを示す場合、受信機は、明示的なブロック肯定応答要求の受信までＡ−ＭＰＤＵサブフレームに肯定応答しない。受信されるＡ−ＭＰＤＵサブフレームに対する肯定応答要求とき、Ａ−ＭＰＤＵサブフレームの肯定応答は、Ａ−ＭＰＤＵサブフレームが受信されるかどうかに少なくとも基づいて送信され得る。
【０１７５】
[00201]図１３Ｂは、ワイヤレス通信システム１００内で利用され得る例示的なワイヤレスデバイス１３５０の機能ブロック図である。デバイス１３５０は、Ａ−ＭＰＤＵフレーム受信回路１３５５と、Ａ−ＭＰＤＵサブフレーム復号回路１３６０と、受信機アドレス復号回路１３６５とを備える。Ａ−ＭＰＤＵフレーム受信回路１３５５は、図１３Ａに示されたブロック１３０５に関して上で論じられた機能の１つまたは複数を実行するように構成され得る。Ａ−ＭＰＤＵフレーム受信回路１３５５は、受信機４１２の１つまたは複数に対応し得る。デバイス１３５０はさらに、Ａ−ＭＰＤＵサブフレーム復号回路１３６０を備える。Ａ−ＭＰＤＵサブフレーム復号回路１３６０は、図１３Ａに示されたブロック１３１０に関して上で論じられた機能の１つまたは複数を実行するように構成され得る。いくつかの態様では、Ａ−ＭＰＤＵサブフレーム復号回路１３６０は、１つのＡ−ＭＰＤＵサブフレームの肯定応答ポリシーを復号するように構成され得る。いくつかの態様では、Ａ−ＭＰＤＵサブフレーム復号回路１３６０はさらに、Ａ−ＭＰＤＵサブフレーム中のフレームの末尾フィールドを復号するように構成され得る。いくつかの態様では、Ａ−ＭＰＤＵサブフレーム復号回路１３６０は、プロセッサ４０４、および／またはＤＳＰ４２０、および／または処理システムに対応し得る。デバイス１３５０はさらに、受信機アドレス復号回路１３６５を備える。受信機アドレス復号回路１３６５は、図１３Ａに示されたブロック１３１５に関して上で論じられた機能の１つまたは複数を実行するように構成され得る。いくつかの態様では、受信機アドレス復号回路１３６５は、プロセッサ４０４、および／またはＤＳＰ４２０、および／または処理システムに対応し得る。
【０１７６】
[00202]いくつかの態様では、デバイス１３５０はさらに決定回路を含み得る。いくつかの態様では、決定回路はさらに、制御フレームを送信するための時間遅延を決定するように構成され得る。決定回路は、Ａ−ＭＰＤＵサブフレームのＡ−ＭＰＤＵデリミタフィールドに基づいて、制御フレームを送信するための時間遅延を決定するように構成され得る。いくつかの態様では、決定回路は、プロセッサ４０４、および／またはＤＳＰ４２０、および／または処理システムに対応し得る。
【０１７７】
[00203]デバイス１３５０のいくつかの態様はさらに送信回路を含み得る。送信回路は、肯定応答ポリシーが特定の値に設定される場合、制御フレームを送信するように構成され得る。いくつかの態様では、送信回路は送信機４１０に対応し得る。
【０１７８】
[00204]いくつかの態様では、デバイス１３５０はさらに受信回路を含み得る。受信回路は、Ａ−ＭＰＤＵサブフレームのための肯定応答に対する要求を受信するように構成され得る。いくつかの態様では、受信回路は受信機４１２に対応し得る。
【０１７９】
[00205]本明細書で使用される「決定すること」という用語は、多種多様な活動を包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。さらに、本明細書で使用される「チャネル幅」は、いくつかの態様では帯域幅を包含することがあり、または帯域幅と呼ばれることもある。
【０１８０】
[00206]本明細書で使用される、項目のリスト「のうちの少なくとも１つ」に言及する句は、単一のメンバーを含む、それらの項目の任意の組合せを指す。一例として、「ａ、ｂ、またはｃのうちの少なくとも１つ」は、ａと、ｂと、ｃと、ａ−ｂと、ａ−ｃと、ｂ−ｃと、ａ−ｂ−ｃとを包含することが意図される。
【０１８１】
[00207]上で説明された方法の様々な動作は、様々なハードウェアおよび／またはソフトウェアコンポーネント、回路、ならびに／あるいはモジュールのような、それらの動作を実施することが可能な任意の好適な手段によって実行され得る。一般に、図に示される任意の動作は、その動作を実行することが可能な対応する機能的手段によって実行され得る。
【０１８２】
[00208]本明細書で使用される場合、インターフェースという用語は、２つ以上のデバイスを一緒に接続するように構成されるハードウェアまたはソフトウェアを指し得る。たとえば、インターフェースは、プロセッサまたはバスの一部であってよく、デバイス間での情報またはデータの通信を可能にするように構成されてよい。インターフェースは、チップまたは他のデバイスへと組み込まれ得る。たとえば、いくつかの実施形態では、インターフェースは、あるデバイスからの情報または通信を別のデバイスにおいて受信するように構成される受信機を備え得る。（たとえば、プロセッサまたはバスの）インターフェースは、フロントエンドデバイスまたは別のデバイスによって処理される情報またはデータを受信することができ、または受信された情報を処理することができる。いくつかの実施形態では、インターフェースは、情報またはデータを別のデバイスに送信または通信するように構成される送信機を備え得る。したがって、インターフェースは、情報またはデータを送信することができ、または、（たとえば、バスを介した）送信のために出力する情報またはデータを準備することができる。
【０１８３】
[00209]本開示に関連して説明された様々な例示的な論理ブロック、モジュール、および回路は、本明細書で説明された機能を実行するように設計された、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェアコンポーネント、またはそれらの任意の組合せによって実装または実行され得る。汎用プロセッサはマイクロプロセッサであり得るが、代替として、プロセッサは、任意の市販のプロセッサ、コントローラ、マイクロコントローラまたは状態機械であり得る。また、プロセッサは、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。
【０１８４】
[00210]１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとして、コンピュータ可読媒体上に記憶され得るか、またはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のプログラムコードを搬送または記憶するために使用されコンピュータによってアクセスされ得る、任意の他の媒体を備え得る。また、任意の接続が、適切にコンピュータ可読媒体と呼ばれる。たとえば、同軸ケーブル、光ファイバーケーブル、ツイストペア、デジタル加入者線（ＤＳＬ）、または赤外線、無線、およびマイクロ波などのワイヤレス技術を使用して、ソフトウェアがウェブサイト、サーバまたは他の遠隔ソースから伝送される場合、同軸ケーブル、光ファイバーケーブル、ツイストペア、ＤＳＬ、または赤外線、無線、およびマイクロ波などワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は、非一時的コンピュータ可読媒体（たとえば有形媒体）を備え得る。さらに、いくつかの態様では、コンピュータ可読媒体は、一時的コンピュータ可読媒体（たとえば信号）を備え得る。上の組合せも、コンピュータ可読媒体の範囲の中に含まれるべきである。
【０１８５】
[00211]したがって、いくつかの態様は、本明細書で提示された動作を実行するためのコンピュータプログラム製品を備え得る。たとえば、そのようなコンピュータプログラム製品は、命令が記憶（および／または符号化）され、それらの命令が本明細書で説明された動作を実行するために１つまたは複数のプロセッサによって実行可能である、コンピュータ可読媒体を備え得る。いくつかの態様では、コンピュータプログラム製品は、パッケージング材料を含み得る。
【０１８６】
[00212]本明細書で開示されている方法は、説明されている方法を達成するための１つまたは複数のステップまたは活動を備える。本方法のステップおよび／または活動は、特許請求の範囲を逸脱することなく互いに交換され得る。言い換えれば、ステップまたは活動の特定の順序が明記されていない限り、特定のステップおよび／または活動の順序および／または使用は、特許請求の範囲を逸脱することなく修正され得る。
【０１８７】
[00213]ソフトウェアまたは命令は、伝送媒体を介して送信されることもある。たとえば、ソフトウェアが、同軸ケーブル、光ファイバーケーブル、ツイストペア、デジタル加入者線（ＤＳＬ）、または赤外線、無線、およびマイクロ波などのワイヤレス技術を使用して、ウェブサイト、サーバ、または他の遠隔ソースから送信される場合、同軸ケーブル、光ファイバーケーブル、ツイストペア、ＤＳＬ、または赤外線、無線、およびマイクロ波などのワイヤレス技術が、伝送媒体の定義に含まれる。
【０１８８】
[00214]さらに、本明細書で説明される方法および技法を実行するためのモジュールおよび／または他の適切な手段は、適用可能な場合、ユーザ端末および／または基地局によってダウンロードされ得ること、および／または他の方法で取得され得ることを理解されたい。たとえば、本明細書で説明される方法を実行するための手段の転送を容易にするために、そのようなデバイスはサーバに結合され得る。代替的に、本明細書で説明される様々な方法は、ユーザ端末および／または基地局が記憶手段をデバイスに結合するかまたは提供すると様々な方法を取得することができるように、記憶手段（たとえば、ＲＡＭ、ＲＯＭ、コンパクトディスク（ＣＤ）またはフロッピーディスクなどの物理記憶媒体など）を介して提供され得る。さらに、本明細書で説明される方法と技法とをデバイスに提供するための任意の他の適切な技法が利用され得る。
【０１８９】
[00215]特許請求の範囲は、上で示された通りの厳密な構成およびコンポーネントに限定されないことを理解されたい。上で説明された方法および装置の配置、動作および詳細には、特許請求の範囲を逸脱することなく、様々な修正、変更および変形が加えられ得る。
【０１９０】
[00216]上記の説明は、本開示の態様を対象としたものであるが、本開示の基本的な範囲を逸脱することなく、本開示の他の態様およびさらなる態様も考案されてよく、本開示の範囲は、以下の特許請求の範囲によって決定される。
【図１】
2016533675.tif 000004
【図２Ａ】
2016533675.tif 000005
【図２Ｂ】
2016533675.tif 000006
【図３】
2016533675.tif 000007
【図４】
2016533675.tif 000008
【図５Ａ】
2016533675.tif 000009
【図５Ｂ】
2016533675.tif 000010
【図６】
2016533675.tif 000011
【図７】
2016533675.tif 000012
【図８】
2016533675.tif 000013
【図９Ａ】
2016533675.tif 000014
【図９Ｂ】
2016533675.tif 000015
【図９Ｃ】
2016533675.tif 000016
【図９Ｄ】
2016533675.tif 000017
【図９Ｅ】
2016533675.tif 000018
【図９Ｆ】
2016533675.tif 000019
【図１０Ａ】
2016533675.tif 000020
【図１０Ｂ】
2016533675.tif 000021
【図１０Ｃ】
2016533675.tif 000022
【図１０Ｄ】
2016533675.tif 000023
【図１１Ａ】
2016533675.tif 000024
【図１１Ｂ】
2016533675.tif 000025
【図１２Ａ】
2016533675.tif 000026
【図１２Ｂ】
2016533675.tif 000027
【図１３Ａ】
2016533675.tif 000028
【図１３Ｂ】
2016533675.tif 000029
【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
装置によって、２つ以上の集約されたメディアアクセス制御プロトコルデータユニット（Ａ−ＭＰＤＵ）サブフレームを備えるＡ−ＭＰＤＵフレームを生成することと、ここにおいて、各Ａ−ＭＰＤＵサブフレームは受信機アドレスを備え、さらに、ここにおいて、前記Ａ−ＭＰＤＵフレームは各Ａ−ＭＰＤＵサブフレームの前記受信機アドレスと関連付けられる１つまたは複数の肯定応答ポリシーのための少なくとも１つの指示を備え、前記２つ以上のＡ−ＭＰＤＵサブフレームの少なくとも１つがさらに、メディアアクセス制御プロトコルデータユニット（ＭＰＤＵ）デリミタフィールドを備え、前記ＭＰＤＵデリミタフィールドが、前記２つ以上のＡ−ＭＰＤＵサブフレームの前記少なくとも１つの受信から前記２つ以上のＡ−ＭＰＤＵサブフレームの前記少なくとも１つの肯定応答が送信されるまでに経過することになる時間遅延を示す値を記憶する、
送信のために前記Ａ−ＭＰＤＵフレームを出力することとを備える、ワイヤレス通信の方法。
【請求項２】
前記１つまたは複数の肯定応答ポリシーが、前記Ａ−ＭＰＤＵサブフレームの対応する１つまたは複数の制御フィールドにおいて示される、請求項１に記載の方法。
【請求項３】
前記１つまたは複数の肯定応答ポリシーの少なくとも１つが、前記２つ以上のＡ−ＭＰＤＵサブフレームを備える前記Ａ−ＭＰＤＵフレームの受信の後で、制御応答フレームが送信されるべきであることを示す、請求項１に記載の方法。
【請求項４】
前記１つまたは複数の肯定応答ポリシーの前記少なくとも１つがさらに、前記２つ以上のＡ−ＭＰＤＵサブフレームを備える前記Ａ−ＭＰＤＵフレームの受信から短フレーム間空間時間後に、前記制御応答フレームが送信されるべきであることを示す、請求項３に記載の方法。
【請求項５】
前記１つまたは複数の肯定応答ポリシーの前記少なくとも１つがさらに、前記１つまたは複数の肯定応答ポリシーの前記少なくとも１つが特定の値に設定される場合に前記制御応答フレームが送信されるべきであることを示す、請求項３に記載の方法。
【請求項６】
前記２つ以上のＡ−ＭＰＤＵサブフレームの前記少なくとも１つの前記ＭＰＤＵデリミタフィールドによって示される前記時間遅延が、前記ＭＰＤＵデリミタフィールドにおいても示されるバックオフ値に基づく、請求項１に記載の方法。
【請求項７】
前記ＭＰＤＵデリミタフィールドにおいて示される前記バックオフ値が、短フレーム間空間時間または定数値の少なくとも１つに基づく、請求項６に記載の方法。
【請求項８】
前記Ａ−ＭＰＤＵフレームを生成することが、前記２つ以上のＡ−ＭＰＤＵサブフレームの少なくとも１つの中の、フレームの末尾フィールドと肯定応答ポリシーフィールドの少なくとも１つにおいて、受信の肯定応答に対する要求を生成することを備え、前記フレームの末尾フィールドまたは前記肯定応答ポリシーフィールドの中の値が、受信の肯定応答に対する前記要求のタイプを決定する、請求項１に記載の方法。
【請求項９】
前記Ａ−ＭＰＤＵフレームの送信から短フレーム間空間時間以上の遅延の後に、前記２つ以上のＡ−ＭＰＤＵサブフレームの前記少なくとも１つの受信の前記肯定応答を受信することをさらに備える、請求項８に記載の方法。
【請求項１０】
前記２つ以上のＡ−ＭＰＤＵサブフレームの前記少なくとも１つのための受信の肯定応答に対する前記要求の前記タイプが肯定応答フレームであることを示すように、前記２つ以上のＡ−ＭＰＤＵサブフレームの前記少なくとも１つにおいて前記フレームの末尾フィールドの前記値を設定することをさらに備える、請求項８に記載の方法。
【請求項１１】
前記２つ以上のＡ−ＭＰＤＵサブフレームの前記少なくとも１つのための受信の肯定応答に対する前記要求の前記タイプがブロック肯定応答フレームであることを示すように、前記２つ以上のＡ−ＭＰＤＵサブフレームの前記少なくとも１つにおいて前記フレームの末尾フィールドの前記値を設定することをさらに備える、請求項８に記載の方法。
【請求項１２】
２つ以上の集約されたメディアアクセス制御プロトコルデータユニット（Ａ−ＭＰＤＵ）サブフレームを備えるＡ−ＭＰＤＵフレームを生成するように構成される処理システムと、ここにおいて、各Ａ−ＭＰＤＵサブフレームは受信機アドレスを備え、さらに、ここにおいて、前記Ａ−ＭＰＤＵフレームは各Ａ−ＭＰＤＵサブフレームの前記受信機アドレスと関連付けられる１つまたは複数の肯定応答ポリシーのための少なくとも１つの指示を備え、前記２つ以上のＡ−ＭＰＤＵサブフレームの少なくとも１つが、メディアアクセス制御プロトコルデータユニット（ＭＰＤＵ）デリミタフィールドを備え、前記処理システムが、前記２つ以上のＡ−ＭＰＤＵサブフレームの前記少なくとも１つの受信から前記２つ以上のＡ−ＭＰＤＵサブフレームの前記少なくとも１つの肯定応答が送信のために出力されるまでに経過することになる時間遅延を示す、前記ＭＰＤＵデリミタフィールドに記憶された値を設定するように構成される、
送信のために前記Ａ−ＭＰＤＵフレームを出力するためのインターフェースとを備える、ワイヤレス通信のための装置。
【請求項１３】
前記処理システムがさらに、前記２つ以上のＡ−ＭＰＤＵサブフレームの対応する１つまたは複数の制御フィールドにおいて前記１つまたは複数の肯定応答ポリシーを示すように構成される、請求項１２に記載の装置。
【請求項１４】
前記１つまたは複数の肯定応答ポリシーの少なくとも１つが、前記２つ以上のＡ−ＭＰＤＵサブフレームを備える前記Ａ−ＭＰＤＵフレームの受信の後で、制御応答フレームが送信されるべきであることを示す、請求項１２に記載の装置。
【請求項１５】
前記１つまたは複数の肯定応答ポリシーの前記少なくとも１つがさらに、前記２つ以上のＡ−ＭＰＤＵサブフレームを備える前記Ａ−ＭＰＤＵフレームの受信から短フレーム間空間時間後に、前記制御応答フレームが送信されるべきであることを示す、請求項１４に記載の装置。
【請求項１６】
前記処理システムがさらに、前記制御応答フレームが送信のために出力されるべきであることを示すように、前記１つまたは複数の肯定応答ポリシーの前記少なくとも１つを特定の値に設定するように構成される、請求項１４に記載の装置。
【請求項１７】
前記２つ以上のＡ−ＭＰＤＵサブフレームの前記少なくとも１つの前記ＭＰＤＵデリミタフィールドによって示される前記時間遅延が、前記ＭＰＤＵデリミタフィールドにおいても示されるバックオフ値に基づく、請求項１２に記載の装置。
【請求項１８】
前記ＭＰＤＵデリミタフィールドにおいて示される前記バックオフ値が、短フレーム間空間時間または定数値の少なくとも１つに基づく、請求項１７に記載の装置。
【請求項１９】
前記処理システムがさらに、前記２つ以上のＡ−ＭＰＤＵサブフレームの少なくとも１つの中の、フレームの末尾フィールドと肯定応答ポリシーフィールドの少なくとも１つにおいて、受信の肯定応答に対する要求を生成するように構成され、前記フレームの末尾フィールドまたは前記肯定応答ポリシーフィールドの中の値が、受信の肯定応答に対する前記要求のタイプを決定する、請求項１２に記載の装置。
【請求項２０】
前記処理システムがさらに、前記Ａ−ＭＰＤＵフレームの送信から短フレーム間空間時間以上の遅延の後に受信される、前記２つ以上のＡ−ＭＰＤＵサブフレームの前記少なくとも１つの受信の前記肯定応答を復号するように構成される、請求項１９に記載の装置。
【請求項２１】
前記処理システムがさらに、前記２つ以上のＡ−ＭＰＤＵサブフレームの前記少なくとも１つのための受信の肯定応答に対する前記要求の前記タイプが肯定応答フレームであることを示すように、前記２つ以上のＡ−ＭＰＤＵサブフレームの前記少なくとも１つの中の前記フレームの末尾フィールドの前記値を設定し、前記２つ以上のＡ−ＭＰＤＵサブフレームの前記少なくとも１つに対する受信された肯定応答フレームを復号するように構成される、請求項１９に記載の装置。
【請求項２２】
前記処理システムがさらに、前記２つ以上のＡ−ＭＰＤＵサブフレームの前記少なくとも１つのための受信の肯定応答に対する前記要求の前記タイプがブロック肯定応答フレームであることを示すように、前記２つ以上のＡ−ＭＰＤＵサブフレームの前記少なくとも１つの中の前記フレームの末尾フィールドの前記値を設定し、前記２つ以上のＡ−ＭＰＤＵサブフレームの前記少なくとも１つに対する受信されたブロック肯定応答フレームを復号するように構成される、請求項１９に記載の装置。
【請求項２３】
少なくとも１つのアンテナと、
２つ以上の集約されたメディアアクセス制御プロトコルデータユニット（Ａ−ＭＰＤＵ）サブフレームを備えるＡ−ＭＰＤＵフレームを生成するように構成される処理システムと、ここにおいて、各Ａ−ＭＰＤＵサブフレームは受信機アドレスを備え、さらに、ここにおいて、前記Ａ−ＭＰＤＵフレームは各Ａ−ＭＰＤＵサブフレームの前記受信機アドレスと関連付けられる１つまたは複数の肯定応答ポリシーのための少なくとも１つの指示を備え、前記２つ以上のＡ−ＭＰＤＵサブフレームの少なくとも１つが、メディアアクセス制御プロトコルデータユニット（ＭＰＤＵ）デリミタフィールドを備え、前記処理システムが、前記２つ以上のＡ−ＭＰＤＵサブフレームの前記少なくとも１つの受信から前記２つ以上のＡ−ＭＰＤＵサブフレームの前記少なくとも１つの肯定応答が送信のために出力されるまでに経過することになる時間遅延を示す、前記ＭＰＤＵデリミタフィールドに記憶された値を設定するように構成される、
前記少なくとも１つのアンテナを使用して前記Ａ−ＭＰＤＵフレームを送信するように構成される送信機とを備える、ワイヤレス通信のためのワイヤレスノード。
【請求項２４】
２つ以上の集約されたメディアアクセス制御プロトコルデータユニット（Ａ−ＭＰＤＵ）サブフレームを備えるＡ−ＭＰＤＵフレームを生成するための手段と、ここにおいて、各Ａ−ＭＰＤＵサブフレームは受信機アドレスを備え、さらに、ここにおいて、前記Ａ−ＭＰＤＵフレームは各Ａ−ＭＰＤＵサブフレームの前記受信機アドレスと関連付けられる１つまたは複数の肯定応答ポリシーのための少なくとも１つの指示を備え、前記２つ以上のＡ−ＭＰＤＵサブフレームの少なくとも１つがさらに、メディアアクセス制御プロトコルデータユニット（ＭＰＤＵ）デリミタフィールドを備え、Ａ−ＭＰＤＵフレームを生成するための前記手段が、前記２つ以上のＡ−ＭＰＤＵサブフレームの前記少なくとも１つの受信から対応するＡ−ＭＰＤＵサブフレームの肯定応答が送信されるまでに経過することになる時間遅延を示す、前記ＭＰＤＵデリミタフィールドに記憶された値を設定するように構成される、
前記Ａ−ＭＰＤＵフレームを送信するための手段とを備える、装置。
【請求項２５】
Ａ−ＭＰＤＵフレームを生成するための前記手段が、前記Ａ−ＭＰＤＵサブフレームの対応する１つまたは複数の制御フィールドにおいて前記１つまたは複数の肯定応答ポリシーを示すように構成される、請求項２４に記載の装置。
【請求項２６】
前記１つまたは複数の肯定応答ポリシーの少なくとも１つが、前記２つ以上のＡ−ＭＰＤＵサブフレームを備える前記Ａ−ＭＰＤＵフレームの受信の後で、制御応答フレームが送信されるべきであることを示す、請求項２４に記載の装置。
【請求項２７】
前記１つまたは複数の肯定応答ポリシーの前記少なくとも１つが、前記２つ以上のＡ−ＭＰＤＵサブフレームを備える前記Ａ−ＭＰＤＵフレームの受信から短フレーム間空間時間後に、前記制御応答フレームが送信されるべきであることをさらに示す、請求項２６に記載の装置。
【請求項２８】
Ａ−ＭＰＤＵフレームを生成するための前記手段が、前記Ａ−ＭＰＤＵフレームの受信の後に前記制御応答フレームが送信のために出力されるべきであることをさらに示すように、前記１つまたは複数の肯定応答ポリシーの前記少なくとも１つを特定の値に設定するように構成される、請求項２６に記載の装置。
【請求項２９】
前記２つ以上のＡ−ＭＰＤＵサブフレームの前記少なくとも１つの前記ＭＰＤＵデリミタフィールドによって示される前記時間遅延が、前記ＭＰＤＵデリミタフィールドにおいても示されるバックオフ値に基づく、請求項２４に記載の装置。
【請求項３０】
前記ＭＰＤＵデリミタフィールドにおいて示される前記バックオフ値が、短フレーム間空間時間または定数値の少なくとも１つに基づく、請求項２９に記載の装置。
【請求項３１】
前記Ａ−ＭＰＤＵフレームを生成するための前記手段が、前記２つ以上のＡ−ＭＰＤＵサブフレームの少なくとも１つの中の、フレームの末尾フィールドと肯定応答ポリシーフィールドの少なくとも１つにおいて、受信の肯定応答に対する要求を生成することを備え、前記フレームの末尾フィールドまたは前記肯定応答ポリシーフィールドの中の値が、受信の肯定応答に対する前記要求のタイプを決定する、請求項２４に記載の装置。
【請求項３２】
前記Ａ−ＭＰＤＵフレームの送信から短フレーム間空間時間以上の遅延の後に受信される、前記２つ以上のＡ−ＭＰＤＵサブフレームの前記少なくとも１つの受信の肯定応答を復号するための手段をさらに備える、請求項３１に記載の装置。
【請求項３３】
２つ以上のＡ−ＭＰＤＵサブフレームの少なくとも１つのための受信の肯定応答に対する要求のタイプが肯定応答フレームであることを示すように、前記２つ以上のＡ−ＭＰＤＵサブフレームの前記少なくとも１つの中の前記フレームの末尾フィールドの値を設定するための手段と、前記２つ以上のＡ−ＭＰＤＵサブフレームの前記少なくとも１つに対する受信された肯定応答フレームを復号するための手段とをさらに備える、請求項３１に記載の装置。
【請求項３４】
２つ以上のＡ−ＭＰＤＵサブフレームの少なくとも１つのための受信の肯定応答に対する要求のタイプがブロック肯定応答フレームであることを示すように、前記２つ以上のＡ−ＭＰＤＵサブフレームの前記少なくとも１つの中の前記フレームの末尾フィールドの値を設定するための手段と、前記２つ以上のＡ−ＭＰＤＵサブフレームの前記少なくとも１つに対する受信されたブロック肯定応答フレームを復号するための手段とをさらに備える、請求項３１に記載の装置。
【請求項３５】
実行されると、装置にワイヤレス通信の方法を実行させる命令が符号化された、コンピュータ可読媒体を備えるコンピュータプログラム製品であって、前記方法が、
２つ以上の集約されたメディアアクセス制御プロトコルデータユニット（Ａ−ＭＰＤＵ）サブフレームを備えるＡ−ＭＰＤＵフレームを生成することと、ここにおいて、各Ａ−ＭＰＤＵサブフレームは受信機アドレスを備え、さらに、ここにおいて、前記Ａ−ＭＰＤＵは各Ａ−ＭＰＤＵサブフレームの前記受信機アドレスと関連付けられる１つまたは複数の肯定応答ポリシーのための少なくとも１つの指示を備え、前記２つ以上のＡ−ＭＰＤＵサブフレームの少なくとも１つがさらに、メディアアクセス制御プロトコルデータユニット（ＭＰＤＵ）デリミタフィールドを備え、Ａ−ＭＰＤＵフレームを生成するための手段が、前記２つ以上のＡ−ＭＰＤＵサブフレームの前記少なくとも１つの受信から対応するＡ−ＭＰＤＵサブフレームの肯定応答が送信されるまでに経過することになる時間遅延を示す、前記ＭＰＤＵデリミタフィールドに記憶された値を設定するように構成される、
前記Ａ−ＭＰＤＵフレームを送信することとを備える、コンピュータプログラム製品。
【請求項３６】
装置によって、集約されたメディアアクセス制御プロトコルデータユニット（Ａ−ＭＰＤＵ）フレームを受信することと、
前記装置によって、前記受信されたＡ−ＭＰＤＵフレームの２つ以上のＡ−ＭＰＤＵサブフレームを復号することと、
前記装置によって、前記２つ以上のＡ−ＭＰＤＵサブフレームの各々に対応する受信機アドレスを復号することと、
前記２つ以上のＡ−ＭＰＤＵサブフレームの各々に対する前記復号された受信機アドレスに基づいて、前記受信されたＡ−ＭＰＤＵフレームの前記２つ以上のＡ−ＭＰＤＵサブフレームの少なくとも１つが前記装置に宛てられると決定することと、
前記２つ以上のＡ−ＭＰＤＵサブフレームの前記少なくとも１つの中のメディアアクセス制御プロトコルデータユニット（ＭＰＤＵ）デリミタフィールドを復号することと、
前記Ａ−ＭＰＤＵフレームの受信から肯定応答フレームを送信のために出力するまでに経過することになる時間遅延を、前記ＭＰＤＵデリミタフィールドに記憶されている値から決定することと、
前記２つ以上のＡ−ＭＰＤＵサブフレームの各々に対応する前記１つまたは複数の肯定応答ポリシーに基づいて、前記時間遅延が経過した後に前記肯定応答フレームを送信のために出力することと、
を備える、ワイヤレス通信の方法。
【請求項３７】
前記２つ以上のＡ−ＭＰＤＵサブフレームの各々の対応する少なくとも１つのフィールドにおいて各Ａ−ＭＰＤＵサブフレームの前記受信機アドレスと関連付けられる少なくとも１つの指示に基づいて、前記受信されたＡ−ＭＰＤＵフレームの前記２つ以上のＡ−ＭＰＤＵサブフレームの各々に対応する１つまたは複数の肯定応答ポリシーを復号することをさらに備える、請求項３６に記載の方法。
【請求項３８】
前記２つ以上のＡ−ＭＰＤＵサブフレームの各々の前記少なくとも１つのフィールドが特定の値に設定される場合に、前記少なくとも１つのフィールドの前記特定の値に基づいてフレームを生成することと、前記フレームを送信のための出力することとをさらに備える、請求項３７に記載の方法。
【請求項３９】
前記２つ以上のＡ−ＭＰＤＵサブフレームの前記少なくとも１つの中の前記少なくとも１つのフィールドのフレームの末尾フィールド中の値を復号することをさらに備え、ここにおいて、前記フレームの末尾フィールド中の前記値が１である場合、送信のために生成され出力される前記フレームが肯定応答フレームである、請求項３８に記載の方法。
【請求項４０】
前記２つ以上のＡ−ＭＰＤＵサブフレームの前記少なくとも１つの中の前記少なくとも１つのフィールドのフレームの末尾フィールド中の値を復号することをさらに備え、ここにおいて、前記フレームの末尾フィールド中の前記値が０である場合、送信のために生成され出力される前記フレームがブロック肯定応答フレームである、請求項３８に記載の方法。
【請求項４１】
前記２つ以上のＡ−ＭＰＤＵサブフレームの前記少なくとも１つの中のフレームの末尾フィールド中の値を復号することと、前記値は、前記２つ以上のＡ−ＭＰＤＵサブフレームの各々に対応する前記１つまたは複数の肯定応答ポリシーのための受信の肯定応答に対する要求のタイプを示す、
前記フレームの末尾フィールド中の前記復号された値が１である場合、前記２つ以上のＡ−ＭＰＤＵサブフレームの前記少なくとも１つの受信に肯定応答する肯定応答フレームを生成することと、
前記肯定応答フレームを送信のために出力することとをさらに備える、請求項３７に記載の方法。
【請求項４２】
前記２つ以上のＡ−ＭＰＤＵサブフレームの前記少なくとも１つの中のフレームの末尾フィールド中の値を復号することと、前記復号された値は、前記２つ以上のＡ−ＭＰＤＵサブフレームの各々に対応する前記１つまたは複数の肯定応答ポリシーの受信の肯定応答に対する要求のタイプを示す、
前記フレームの末尾フィールド中の前記復号された値が０である場合、前記２つ以上のＡ−ＭＰＤＵサブフレームの前記少なくとも１つの受信に肯定応答するブロック肯定応答フレームを生成することと、
前記ブロック肯定応答フレームを送信のために出力することとをさらに備える、請求項３７に記載の方法。
【請求項４３】
前記ＭＰＤＵデリミタフィールドに記憶されている前記値がバックオフ値である、請求項３６に記載の方法。
【請求項４４】
前記ＭＰＤＵデリミタフィールドに記憶されている前記バックオフ値が、短フレーム間空間時間または定数値の少なくとも１つに基づく、請求項４３に記載の方法。
【請求項４５】
前記２つ以上のＡ−ＭＰＤＵサブフレームの少なくとも１つの受信の肯定応答を生成することと、前記２つ以上のＡ−ＭＰＤＵサブフレームの各々に対応する前記１つまたは複数の肯定応答ポリシーに基づいて、前記Ａ−ＭＰＤＵフレームの送信から短い時間間フレーム空間時間以上の遅延の後に、受信の前記肯定応答を送信のために出力することとをさらに備える、請求項３７に記載の方法。
【請求項４６】
ワイヤレス通信のための装置であって、
集約されたメディアアクセス制御プロトコルデータユニット（Ａ−ＭＰＤＵ）フレームを受信し、
前記受信されたＡ−ＭＰＤＵフレームの２つ以上のＡ−ＭＰＤＵサブフレームを復号し、
前記２つ以上のＡ−ＭＰＤＵサブフレームの各々に対応する受信機アドレスを復号し、
前記２つ以上のＡ−ＭＰＤＵサブフレームの各々に対する前記復号された受信機アドレスに基づいて、前記受信されたＡ−ＭＰＤＵフレームの前記２つ以上のＡ−ＭＰＤＵサブフレームの少なくとも１つが前記装置に宛てられると決定し、
前記２つ以上のＡ−ＭＰＤＵサブフレームの前記少なくとも１つの中のメディアアクセス制御プロトコルデータユニット（ＭＰＤＵ）デリミタフィールドを復号し、
前記Ａ−ＭＰＤＵフレームの受信から肯定応答フレームの送信までに経過することになる時間遅延を、前記ＭＰＤＵデリミタフィールドに記憶されている値から決定し、
前記２つ以上のＡ−ＭＰＤＵサブフレームの各々の肯定応答ポリシーに基づいて、前記時間遅延が経過した後に前記肯定応答フレームを送信のために生成する
ように構成される処理システムを備える、装置。
【請求項４７】
前記処理システムがさらに、
前記２つ以上のＡ−ＭＰＤＵサブフレームの各々の対応する少なくとも１つのフィールドにおいて各Ａ−ＭＰＤＵサブフレームの前記受信機アドレスと関連付けられる少なくとも１つの指示に基づいて、前記装置に宛てられる前記受信されたＡ−ＭＰＤＵフレームの前記２つ以上のＡ−ＭＰＤＵサブフレームの各々に対する肯定応答ポリシーを復号するように構成される、請求項４６に記載の装置。
【請求項４８】
前記処理システムがさらに、前記２つ以上のＡ−ＭＰＤＵサブフレームの各々の前記少なくとも１つのフィールドが特定の値に設定される場合に、前記少なくとも１つのフィールドの前記特定の値に基づいてフレームを生成し、前記フレームを送信のための出力するように構成される、請求項４７に記載の装置。
【請求項４９】
前記処理システムがさらに、前記装置に宛てられる前記受信されたＡ−ＭＰＤＵフレームの前記２つ以上のＡ−ＭＰＤＵサブフレームの前記少なくとも１つの中の前記少なくとも１つのフィールドのフレームの末尾フィールド中の値を復号するように構成され、前記処理システムがさらに、前記フレームの末尾フィールド中の前記値が１である場合、前記フレームを送信のために肯定応答フレームとして生成するように構成される、請求項４８に記載の装置。
【請求項５０】
前記処理システムがさらに、前記装置に宛てられる前記受信されたＡ−ＭＰＤＵフレームの前記２つ以上のＡ−ＭＰＤＵサブフレームの前記少なくとも１つの中の前記少なくとも１つのフィールドのフレームの末尾フィールド中の値を復号するように構成され、前記処理システムがさらに、前記フレームの末尾フィールド中の前記値が０である場合、前記フレームを送信のためにブロック肯定応答フレームとして生成するように構成される、請求項４８に記載の装置。
【請求項５１】
前記処理システムがさらに、前記２つ以上のＡ−ＭＰＤＵサブフレームの前記少なくとも１つの中のフレームの末尾フィールド中の値を復号するように構成され、前記値は前記２つ以上のＡ−ＭＰＤＵサブフレームの各々の前記肯定応答ポリシーのための受信の肯定応答に対する要求のタイプを示す、さらに、前記フレームの末尾フィールド中の前記値が１である場合、送信のために肯定応答フレームを生成するように構成される、請求項４７に記載の装置。
【請求項５２】
前記処理システムがさらに、前記２つ以上のＡ−ＭＰＤＵサブフレームの前記少なくとも１つの中のフレームの末尾フィールド中の値を復号するように構成され、前記値は前記２つ以上のＡ−ＭＰＤＵサブフレームの各々の前記肯定応答ポリシーのための受信の肯定応答に対する要求のタイプを示す、さらに、前記フレームの末尾フィールド中の前記値が０である場合、送信のためにブロック肯定応答フレームを生成するように構成される、請求項４７に記載の装置。
【請求項５３】
前記ＭＰＤＵデリミタフィールドに記憶されている前記値がバックオフ値である、請求項４６に記載の装置。
【請求項５４】
前記ＭＰＤＵデリミタフィールドに記憶されている前記バックオフ値が、短フレーム間空間時間または定数値の少なくとも１つに基づく、請求項５３に記載の装置。
【請求項５５】
前記処理システムがさらに、前記２つ以上のＡ−ＭＰＤＵサブフレームの各々に対応する前記肯定応答ポリシーに基づいて、前記Ａ−ＭＰＤＵフレームの送信から短フレーム間空間時間以上の遅延の後で前記装置に宛てられる、前記受信されたＡ−ＭＰＤＵフレームの前記２つ以上のＡ−ＭＰＤＵサブフレームの少なくとも１つの受信の肯定応答を送信のために生成するように構成される、請求項４７に記載の装置。
【請求項５６】
ワイヤレス通信のためのワイヤレスノードであって、
少なくとも１つのアンテナと、
前記アンテナを介して集約されたメディアアクセス制御プロトコルデータユニット（Ａ−ＭＰＤＵ）フレームを受信するように構成される受信機と、
前記受信されたＡ−ＭＰＤＵフレームの２つ以上のＡ−ＭＰＤＵサブフレームと、前記２つ以上のＡ−ＭＰＤＵサブフレームの各々に対応する受信機アドレスとを復号し、
前記２つ以上のＡ−ＭＰＤＵサブフレームの各々に対する前記復号された受信機アドレスに基づいて、前記受信されたＡ−ＭＰＤＵフレームの前記２つ以上のＡ−ＭＰＤＵサブフレームの少なくとも１つが前記ワイヤレスノードに宛てられると決定し、
前記２つ以上のＡ−ＭＰＤＵサブフレームの前記少なくとも１つの中のメディアアクセス制御プロトコルデータユニット（ＭＰＤＵ）デリミタフィールドを復号し、
前記Ａ−ＭＰＤＵフレームの受信から肯定応答フレームの送信までに経過することになる時間遅延を、前記ＭＰＤＵデリミタフィールドに記憶されている値から決定し、
前記２つ以上のＡ−ＭＰＤＵサブフレームの各々の肯定応答ポリシーに基づいて、前記時間遅延が経過した後に前記肯定応答フレームを送信のために生成する
ように構成される処理システムとを備える、ワイヤレスノード。
【請求項５７】
ワイヤレス通信のための装置であって、
集約されたメディアアクセス制御プロトコルデータユニット（Ａ−ＭＰＤＵ）フレームを受信するための手段と、
前記受信されたＡ−ＭＰＤＵフレームに基づいて２つ以上のＡ−ＭＰＤＵサブフレームを復号するための手段と、
前記２つ以上のＡ−ＭＰＤＵサブフレームの各々に対応する受信機アドレスを復号するための手段と、
前記２つ以上のＡ−ＭＰＤＵサブフレームの各々に対する前記復号された受信機アドレスに基づいて、前記受信されたＡ−ＭＰＤＵフレームから復号された前記２つ以上のＡ−ＭＰＤＵサブフレームの少なくとも１つが前記装置に宛てられると決定するための手段と
前記２つ以上のＡ−ＭＰＤＵサブフレームの前記少なくとも１つの中のメディアアクセス制御プロトコルデータユニット（ＭＰＤＵ）デリミタフィールドを復号するための手段と、
前記Ａ−ＭＰＤＵフレームの受信から肯定応答フレームの送信までに経過することになる時間遅延を、前記ＭＰＤＵデリミタフィールドに記憶されている値から決定するための手段と、
前記２つ以上のＡ−ＭＰＤＵサブフレームの各々の肯定応答ポリシーに基づいて、前記時間遅延が経過した後に前記肯定応答フレームを送信するための手段と
を備える、装置。
【請求項５８】
前記２つ以上のＡ−ＭＰＤＵサブフレームの各々の対応する少なくとも１つのフィールドの中の各Ａ−ＭＰＤＵサブフレームの前記受信機アドレスと関連付けられる少なくとも１つの指示に基づいて、前記２つ以上のＡ−ＭＰＤＵサブフレームの各々に対する肯定応答ポリシーを復号するための手段をさらに備える、請求項５７に記載の装置。
【請求項５９】
前記２つ以上のＡ−ＭＰＤＵサブフレームの各々の前記少なくとも１つのフィールドが特定の値に設定される場合に、前記少なくとも１つのフィールドの前記特定の値に基づいてフレームを生成するための手段と、前記フレームを送信するための手段とをさらに備える、請求項５８に記載の装置。
【請求項６０】
復号するための前記手段がさらに、前記２つ以上のＡ−ＭＰＤＵサブフレームの前記少なくとも１つの中の前記少なくとも１つのフィールドのフレームの末尾フィールド中の値を復号するように構成され、生成するための前記手段が、肯定応答フレームを生成するように構成され、送信するための前記手段がさらに、前記フレームの末尾フィールド中の前記値が１である場合、前記肯定応答フレームを前記フレームとして送信するように構成される、請求項５９に記載の装置。
【請求項６１】
復号するための前記手段がさらに、前記２つ以上のＡ−ＭＰＤＵサブフレームの前記少なくとも１つの中の前記少なくとも１つのフィールドのフレームの末尾フィールド中の値を復号するように構成され、生成するための前記手段が、肯定応答フレームを生成するように構成され、送信するための前記手段がさらに、前記フレームの末尾フィールド中の前記値が０である場合、ブロック肯定応答フレームを前記フレームとして送信するように構成される、請求項５９に記載の装置。
【請求項６２】
前記２つ以上のＡ−ＭＰＤＵサブフレームの前記少なくとも１つの中のフレームの末尾フィールド中の値を復号するための手段と、前記値は、前記２つ以上のＡ−ＭＰＤＵサブフレームの各々の前記肯定応答ポリシーのための受信の肯定応答に対する要求のタイプを示す、
前記フレームの末尾フィールド中の前記値が１である場合、前記２つ以上のＡ−ＭＰＤＵサブフレームの前記少なくとも１つに対する肯定応答フレームを生成するための手段と、
前記肯定応答フレームを送信するための手段とをさらに備える、請求項５８に記載の装置。
【請求項６３】
前記２つ以上のＡ−ＭＰＤＵサブフレームの前記少なくとも１つの中のフレームの末尾フィールド中の値を復号するための手段と、前記値は、前記２つ以上のＡ−ＭＰＤＵサブフレームの各々の前記肯定応答ポリシーのための受信の肯定応答に対する要求のタイプを示す、
前記フレームの末尾フィールド中の前記値が０である場合、前記２つ以上のＡ−ＭＰＤＵサブフレームの前記少なくとも１つに対するブロック肯定応答フレームを生成するための手段と、
前記ブロック肯定応答フレームを送信するための手段とをさらに備える、請求項５８に記載の装置。
【請求項６４】
前記ＭＰＤＵデリミタフィールド中の前記値がバックオフ値である、請求項５７に記載の装置。
【請求項６５】
短フレーム間空間時間または定数値の少なくとも１つに基づく、前記ＭＰＤＵデリミタフィールドに記憶されている前記バックオフ値、請求項６４に記載の装置。
【請求項６６】
前記２つ以上のＡ−ＭＰＤＵサブフレームの少なくとも１つの受信の肯定応答を生成するための手段と、前記２つ以上のＡ−ＭＰＤＵサブフレームの前記少なくとも１つに対する前記肯定応答ポリシーがブロック肯定応答ポリシーを示す場合、前記Ａ−ＭＰＤＵフレームの送信から短フレーム間空間時間以上の遅延の後で、受信の前記肯定応答を送信するための手段とをさらに備える、請求項５８に記載の装置。
【請求項６７】
実行されると、装置にワイヤレス通信の方法を実行させる命令が符号化された、コンピュータ可読媒体を備えるコンピュータプログラム製品であって、前記方法が、
集約されたメディアアクセス制御プロトコルデータユニット（Ａ−ＭＰＤＵ）フレームを受信することと、
前記受信されたＡ−ＭＰＤＵフレームの２つ以上のＡ−ＭＰＤＵサブフレームを復号することと、
前記２つ以上のＡ−ＭＰＤＵサブフレームの各々に対応する受信機アドレスを復号することと、
前記受信されたＡ−ＭＰＤＵフレームの前記２つ以上のＡ−ＭＰＤＵサブフレームの少なくとも１つが前記装置に宛てられると決定することと、
前記２つ以上のＡ−ＭＰＤＵサブフレームの前記少なくとも１つの中のメディアアクセス制御プロトコルデータユニット（ＭＰＤＵ）デリミタフィールドを復号することと、
前記Ａ−ＭＰＤＵフレームの受信から肯定応答フレームを送信のために出力するまでに経過することになる時間遅延を、前記ＭＰＤＵデリミタフィールドに記憶されている値から決定することと、
前記２つ以上のＡ−ＭＰＤＵサブフレームの各々に対応する前記１つまたは複数の肯定応答ポリシーに基づいて、前記時間遅延が経過した後に肯定応答フレームを送信のために出力することと
を備える、コンピュータプログラム製品。
【請求項６８】
前記装置によって、前記２つ以上のＡ−ＭＰＤＵサブフレームの各々のソース送信機アドレスを示すために、前記２つ以上のＡ−ＭＰＤＵサブフレームの各々の送信機アドレスフィールドを設定することをさらに備える、請求項１に記載の方法。
【請求項６９】
前記処理システムがさらに、前記２つ以上のＡ−ＭＰＤＵサブフレームの各々のソース送信機アドレスを示すように、前記２つ以上のＡ−ＭＰＤＵサブフレームの各々の送信機アドレスフィールドを設定するように構成される、請求項１２に記載の装置。
【請求項７０】
前記２つ以上のＡ−ＭＰＤＵサブフレームの各々のソース送信機アドレスを示すために、前記２つ以上のＡ−ＭＰＤＵサブフレームの各々の送信機アドレスフィールドを設定するための手段をさらに備える、請求項２４に記載の装置。
【手続補正２】
【補正対象書類名】明細書
【補正対象項目名】０１９０
【補正方法】変更
【補正の内容】
【０１９０】
[00216]上記の説明は、本開示の態様を対象としたものであるが、本開示の基本的な範囲を逸脱することなく、本開示の他の態様およびさらなる態様も考案されてよく、本開示の範囲は、以下の特許請求の範囲によって決定される。
以下に本願の出願当初の特許請求の範囲に記載された発明を付記する。
[Ｃ１]  装置によって、２つ以上の集約されたメディアアクセス制御プロトコルデータユニット（Ａ−ＭＰＤＵ）サブフレームを備えるＡ−ＭＰＤＵフレームを生成することと、ここにおいて、各Ａ−ＭＰＤＵサブフレームは受信機アドレスを備え、さらに、ここにおいて、前記Ａ−ＭＰＤＵフレームは各Ａ−ＭＰＤＵサブフレームの前記受信機アドレスと関連付けられる１つまたは複数の肯定応答ポリシーのための少なくとも１つの指示を備える、
送信のために前記Ａ−ＭＰＤＵフレームを出力することとを備える、ワイヤレス通信の方法。
[Ｃ２]  前記１つまたは複数の肯定応答ポリシーが、前記Ａ−ＭＰＤＵサブフレームの対応する１つまたは複数の制御フィールドにおいて示される、Ｃ１に記載の方法。
[Ｃ３]  前記１つまたは複数の肯定応答ポリシーの少なくとも１つが、前記２つ以上のＡ−ＭＰＤＵサブフレームを備える前記Ａ−ＭＰＤＵフレームの受信の後で、制御応答フレームが送信されるべきであることを示す、Ｃ１に記載の方法。
[Ｃ４]  前記１つまたは複数の肯定応答ポリシーの前記少なくとも１つがさらに、前記２つ以上のＡ−ＭＰＤＵサブフレームを備える前記Ａ−ＭＰＤＵフレームの受信から短フレーム間空間時間後に、前記制御応答フレームが送信されるべきであることを示す、Ｃ３に記載の方法。
[Ｃ５]  前記１つまたは複数の肯定応答ポリシーの前記少なくとも１つがさらに、前記１つまたは複数の肯定応答ポリシーの前記少なくとも１つが特定の値に設定される場合に前記制御応答フレームが送信されるべきであることを示す、Ｃ３に記載の方法。
[Ｃ６]  前記２つ以上のＡ−ＭＰＤＵサブフレームの少なくとも１つがさらに、メディアアクセス制御プロトコルデータユニット（ＭＰＤＵ）デリミタフィールドを備え、前記ＭＰＤＵデリミタフィールドが、前記２つ以上のＡ−ＭＰＤＵサブフレームの前記少なくとも１つの受信から前記２つ以上のＡ−ＭＰＤＵサブフレームの前記少なくとも１つの肯定応答が送信されるまでに経過することになる時間遅延を示す値を記憶する、Ｃ１に記載の方法。
[Ｃ７]  前記２つ以上のＡ−ＭＰＤＵサブフレームの前記少なくとも１つの前記ＭＰＤＵデリミタフィールドによって示される前記時間遅延が、前記ＭＰＤＵデリミタフィールドにおいても示されるバックオフ値に基づく、Ｃ６に記載の方法。
[Ｃ８]  前記ＭＰＤＵデリミタフィールドにおいて示される前記バックオフ値が、短フレーム間空間時間と定数値の少なくとも１つに基づく、Ｃ７に記載の方法。
[Ｃ９]  前記Ａ−ＭＰＤＵフレームを生成することが、前記２つ以上のＡ−ＭＰＤＵサブフレームの少なくとも１つの中の、フレームの末尾フィールドと肯定応答ポリシーフィールドの少なくとも１つにおいて、受信の肯定応答に対する要求を生成することを備え、前記フレームの末尾フィールドまたは前記肯定応答ポリシーフィールドの中の値が、受信の肯定応答に対する前記要求のタイプを決定する、Ｃ１に記載の方法。
[Ｃ１０]  前記Ａ−ＭＰＤＵフレームの送信から短フレーム間空間時間以上の遅延の後に、前記２つ以上のＡ−ＭＰＤＵサブフレームの前記少なくとも１つの受信の前記肯定応答を受信することをさらに備える、Ｃ９に記載の方法。
[Ｃ１１]  前記２つ以上のＡ−ＭＰＤＵサブフレームの前記少なくとも１つのための受信の肯定応答に対する前記要求の前記タイプが肯定応答フレームであることを示すように、前記２つ以上のＡ−ＭＰＤＵサブフレームの前記少なくとも１つにおいて前記フレームの末尾フィールドの前記値を設定することをさらに備える、Ｃ９に記載の方法。
[Ｃ１２]  前記２つ以上のＡ−ＭＰＤＵサブフレームの前記少なくとも１つのための受信の肯定応答に対する前記要求の前記タイプがブロック肯定応答フレームであることを示すように、前記２つ以上のＡ−ＭＰＤＵサブフレームの前記少なくとも１つにおいて前記フレームの末尾フィールドの前記値を設定することをさらに備える、Ｃ９に記載の方法。
[Ｃ１３]  ２つ以上の集約されたメディアアクセス制御プロトコルデータユニット（Ａ−ＭＰＤＵ）サブフレームを備えるＡ−ＭＰＤＵフレームを生成するように構成される処理システムと、ここにおいて、各Ａ−ＭＰＤＵサブフレームは受信機アドレスを備え、さらに、ここにおいて、前記Ａ−ＭＰＤＵフレームは各Ａ−ＭＰＤＵサブフレームの前記受信機アドレスと関連付けられる１つまたは複数の肯定応答ポリシーのための少なくとも１つの指示を備える、
送信のために前記Ａ−ＭＰＤＵフレームを出力するためのインターフェースとを備える、ワイヤレス通信のための装置。
[Ｃ１４]  前記処理システムがさらに、前記２つ以上のＡ−ＭＰＤＵサブフレームの対応する１つまたは複数の制御フィールドにおいて前記１つまたは複数の肯定応答ポリシーを示すように構成される、Ｃ１３に記載の装置。
[Ｃ１５]  前記１つまたは複数の肯定応答ポリシーの少なくとも１つが、前記２つ以上のＡ−ＭＰＤＵサブフレームを備える前記Ａ−ＭＰＤＵフレームの受信の後で、制御応答フレームが送信されるべきであることを示す、Ｃ１３に記載の装置。
[Ｃ１６]  前記１つまたは複数の肯定応答ポリシーの前記少なくとも１つがさらに、前記２つ以上のＡ−ＭＰＤＵサブフレームを備える前記Ａ−ＭＰＤＵフレームの受信から短フレーム間空間時間後に、前記制御応答フレームが送信されるべきであることを示す、Ｃ１５に記載の装置。
[Ｃ１７]  前記処理システムがさらに、前記制御応答フレームが送信のために出力されるべきであることを示すように、前記１つまたは複数の肯定応答ポリシーの前記少なくとも１つを特定の値に設定するように構成される、Ｃ１５に記載の装置。
[Ｃ１８]  前記２つ以上のＡ−ＭＰＤＵサブフレームの少なくとも１つが、メディアアクセス制御プロトコルデータユニット（ＭＰＤＵ）デリミタフィールドを備え、前記処理システムが、前記２つ以上のＡ−ＭＰＤＵサブフレームの前記少なくとも１つの受信から前記２つ以上のＡ−ＭＰＤＵサブフレームの前記少なくとも１つの肯定応答が送信のために出力されるまでに経過することになる時間遅延を示す、前記ＭＰＤＵデリミタフィールドに記憶された値を設定するように構成される、Ｃ１３に記載の装置。
[Ｃ１９]  前記２つ以上のＡ−ＭＰＤＵサブフレームの前記少なくとも１つの前記ＭＰＤＵデリミタフィールドによって示される前記時間遅延が、前記ＭＰＤＵデリミタフィールドにおいても示されるバックオフ値に基づく、Ｃ１８に記載の装置。
[Ｃ２０]  前記ＭＰＤＵデリミタフィールドにおいて示される前記バックオフ値が、短フレーム間空間時間と定数値の少なくとも１つに基づく、Ｃ１９に記載の装置。
[Ｃ２１]  前記処理システムがさらに、前記２つ以上のＡ−ＭＰＤＵサブフレームの少なくとも１つの中の、フレームの末尾フィールドと肯定応答ポリシーフィールドの少なくとも１つにおいて、受信の肯定応答に対する要求を生成するように構成され、前記フレームの末尾フィールドまたは前記肯定応答ポリシーフィールドの中の値が、受信の肯定応答に対する前記要求のタイプを決定する、Ｃ１３に記載の装置。
[Ｃ２２]  前記処理システムがさらに、前記Ａ−ＭＰＤＵフレームの送信から短フレーム間空間時間以上の遅延の後に受信される、前記２つ以上のＡ−ＭＰＤＵサブフレームの前記少なくとも１つの受信の前記肯定応答を復号するように構成される、Ｃ２１に記載の装置。
[Ｃ２３]  前記処理システムがさらに、前記２つ以上のＡ−ＭＰＤＵサブフレームの前記少なくとも１つのための受信の肯定応答に対する前記要求の前記タイプが肯定応答フレームであることを示すように、前記２つ以上のＡ−ＭＰＤＵサブフレームの前記少なくとも１つの中の前記フレームの末尾フィールドの前記値を設定し、前記２つ以上のＡ−ＭＰＤＵサブフレームの前記少なくとも１つに対する受信された肯定応答フレームを復号するように構成される、Ｃ２１に記載の装置。
[Ｃ２４]  前記処理システムがさらに、前記２つ以上のＡ−ＭＰＤＵサブフレームの前記少なくとも１つのための受信の肯定応答に対する前記要求の前記タイプがブロック肯定応答フレームであることを示すように、前記２つ以上のＡ−ＭＰＤＵサブフレームの前記少なくとも１つの中の前記フレームの末尾フィールドの前記値を設定し、前記２つ以上のＡ−ＭＰＤＵサブフレームの前記少なくとも１つに対する受信されたブロック肯定応答フレームを復号するように構成される、Ｃ２１に記載の装置。
[Ｃ２５]  少なくとも１つのアンテナと、
２つ以上の集約されたメディアアクセス制御プロトコルデータユニット（Ａ−ＭＰＤＵ）サブフレームを備えるＡ−ＭＰＤＵフレームを生成するように構成される処理システムと、ここにおいて、各Ａ−ＭＰＤＵサブフレームは受信機アドレスを備え、さらに、ここにおいて、前記Ａ−ＭＰＤＵフレームは各Ａ−ＭＰＤＵサブフレームの前記受信機アドレスと関連付けられる１つまたは複数の肯定応答ポリシーのための少なくとも１つの指示を備える、
前記少なくとも１つのアンテナを使用して前記Ａ−ＭＰＤＵフレームを送信するように構成される送信機とを備える、ワイヤレス通信のためのワイヤレスノード。
[Ｃ２６]  ２つ以上の集約されたメディアアクセス制御プロトコルデータユニット（Ａ−ＭＰＤＵ）サブフレームを備えるＡ−ＭＰＤＵフレームを生成するための手段と、ここにおいて、各Ａ−ＭＰＤＵサブフレームは受信機アドレスを備え、さらに、ここにおいて、前記Ａ−ＭＰＤＵフレームは各Ａ−ＭＰＤＵサブフレームの前記受信機アドレスと関連付けられる１つまたは複数の肯定応答ポリシーのための少なくとも１つの指示を備える、
前記Ａ−ＭＰＤＵフレームを送信するための手段とを備える、装置。
[Ｃ２７]  Ａ−ＭＰＤＵフレームを生成するための前記手段が、前記Ａ−ＭＰＤＵサブフレームの対応する１つまたは複数の制御フィールドにおいて前記１つまたは複数の肯定応答ポリシーを示すように構成される、Ｃ２６に記載の装置。
[Ｃ２８]  前記１つまたは複数の肯定応答ポリシーの少なくとも１つが、前記２つ以上のＡ−ＭＰＤＵサブフレームを備える前記Ａ−ＭＰＤＵフレームの受信の後で、制御応答フレームが送信されるべきであることを示す、Ｃ２６に記載の装置。
[Ｃ２９]  前記１つまたは複数の肯定応答ポリシーの前記少なくとも１つが、前記２つ以上のＡ−ＭＰＤＵサブフレームを備える前記Ａ−ＭＰＤＵフレームの受信から短フレーム間空間時間後に、前記制御応答フレームが送信されるべきであることをさらに示す、Ｃ２８に記載の装置。
[Ｃ３０]  Ａ−ＭＰＤＵフレームを生成するための前記手段が、前記Ａ−ＭＰＤＵフレームの受信の後に前記制御応答フレームが送信のために出力されるべきであることをさらに示すように、前記１つまたは複数の肯定応答ポリシーの前記少なくとも１つを特定の値に設定するように構成される、Ｃ２８に記載の装置。
[Ｃ３１]  前記２つ以上のＡ−ＭＰＤＵサブフレームの少なくとも１つがさらに、メディアアクセス制御プロトコルデータユニット（ＭＰＤＵ）デリミタフィールドを備え、Ａ−ＭＰＤＵフレームを生成するための前記手段が、前記２つ以上のＡ−ＭＰＤＵサブフレームの前記少なくとも１つの受信から対応するＡ−ＭＰＤＵサブフレームの肯定応答が送信されるまでに経過することになる時間遅延を示す、前記ＭＰＤＵデリミタフィールドに記憶された値を設定するように構成される、Ｃ２６に記載の装置。
[Ｃ３２]  前記２つ以上のＡ−ＭＰＤＵサブフレームの前記少なくとも１つの前記ＭＰＤＵデリミタフィールドによって示される前記時間遅延が、前記ＭＰＤＵデリミタフィールドにも示されるバックオフ値に基づく、Ｃ３１に記載の装置。
[Ｃ３３]  前記ＭＰＤＵデリミタフィールドにおいて示される前記バックオフ値が、短フレーム間空間時間と定数値の少なくとも１つに基づく、Ｃ３２に記載の装置。
[Ｃ３４]  前記Ａ−ＭＰＤＵフレームを生成するための前記手段が、前記２つ以上のＡ−ＭＰＤＵサブフレームの少なくとも１つの中の、フレームの末尾フィールドと肯定応答ポリシーフィールドの少なくとも１つにおいて、受信の肯定応答に対する要求を生成することを備え、前記フレームの末尾フィールドまたは前記肯定応答ポリシーフィールドの中の値が、受信の肯定応答に対する前記要求のタイプを決定する、Ｃ２６に記載の装置。
[Ｃ３５]  前記Ａ−ＭＰＤＵフレームの送信から短フレーム間空間時間以上の遅延の後に受信される、前記２つ以上のＡ−ＭＰＤＵサブフレームの前記少なくとも１つの受信の肯定応答を復号するための手段をさらに備える、Ｃ３４に記載の装置。
[Ｃ３６]  ２つ以上のＡ−ＭＰＤＵサブフレームの少なくとも１つのための受信の肯定応答に対する要求のタイプが肯定応答フレームであることを示すように、前記２つ以上のＡ−ＭＰＤＵサブフレームの前記少なくとも１つの中の前記フレームの末尾フィールドの値を設定するための手段と、前記２つ以上のＡ−ＭＰＤＵサブフレームの前記少なくとも１つに対する受信された肯定応答フレームを復号するための手段とをさらに備える、Ｃ３４に記載の装置。
[Ｃ３７]  ２つ以上のＡ−ＭＰＤＵサブフレームの少なくとも１つのための受信の肯定応答に対する要求のタイプがブロック肯定応答フレームであることを示すように、前記２つ以上のＡ−ＭＰＤＵサブフレームの前記少なくとも１つの中の前記フレームの末尾フィールドの値を設定するための手段と、前記２つ以上のＡ−ＭＰＤＵサブフレームの前記少なくとも１つに対する受信されたブロック肯定応答フレームを復号するための手段とをさらに備える、Ｃ３４に記載の装置。
[Ｃ３８]  実行されると、装置にワイヤレス通信の方法を実行させる命令が符号化された、コンピュータ可読媒体を備えるコンピュータプログラム製品であって、前記方法が、
２つ以上の集約されたメディアアクセス制御プロトコルデータユニット（Ａ−ＭＰＤＵ）サブフレームを備えるＡ−ＭＰＤＵフレームを生成することと、ここにおいて、各Ａ−ＭＰＤＵサブフレームは受信機アドレスを備え、さらに、ここにおいて、前記Ａ−ＭＰＤＵは各Ａ−ＭＰＤＵサブフレームの前記受信機アドレスと関連付けられる１つまたは複数の肯定応答ポリシーのための少なくとも１つの指示を備える、
前記Ａ−ＭＰＤＵフレームを送信することとを備える、コンピュータプログラム製品。
[Ｃ３９]  装置によって、集約されたメディアアクセス制御プロトコルデータユニット（Ａ−ＭＰＤＵ）フレームを受信することと、
前記装置によって、前記受信されたＡ−ＭＰＤＵフレームの２つ以上のＡ−ＭＰＤＵサブフレームを復号することと、
前記装置によって、前記２つ以上のＡ−ＭＰＤＵサブフレームの各々に対応する受信機アドレスを復号することと、
前記２つ以上のＡ−ＭＰＤＵサブフレームの各々に対する前記復号された受信機アドレスに基づいて、前記受信されたＡ−ＭＰＤＵフレームの前記２つ以上のＡ−ＭＰＤＵサブフレームの少なくとも１つが前記装置に宛てられると決定することとを備える、ワイヤレス通信の方法。
[Ｃ４０]  前記２つ以上のＡ−ＭＰＤＵサブフレームの各々の対応する少なくとも１つのフィールドにおいて各Ａ−ＭＰＤＵサブフレームの前記受信機アドレスと関連付けられる少なくとも１つの指示に基づいて、前記受信されたＡ−ＭＰＤＵフレームの前記２つ以上のＡ−ＭＰＤＵサブフレームの各々に対応する１つまたは複数の肯定応答ポリシーを復号することをさらに備える、Ｃ３９に記載の方法。
[Ｃ４１]  前記２つ以上のＡ−ＭＰＤＵサブフレームの各々の前記少なくとも１つのフィールドが特定の値に設定される場合に、前記少なくとも１つのフィールドの前記特定の値に基づいてフレームを生成することと、前記フレームを送信のための出力することとをさらに備える、Ｃ４０に記載の方法。
[Ｃ４２]  前記２つ以上のＡ−ＭＰＤＵサブフレームの前記少なくとも１つの中の前記少なくとも１つのフィールドのフレームの末尾フィールド中の値を復号することをさらに備え、ここにおいて、前記フレームの末尾フィールド中の前記値が１である場合、送信のために生成され出力される前記フレームが肯定応答フレームである、Ｃ４１に記載の方法。
[Ｃ４３]  前記２つ以上のＡ−ＭＰＤＵサブフレームの前記少なくとも１つの中の前記少なくとも１つのフィールドのフレームの末尾フィールド中の値を復号することをさらに備え、ここにおいて、前記フレームの末尾フィールド中の前記値が０である場合、送信のために生成され出力される前記フレームがブロック肯定応答フレームである、Ｃ４１に記載の方法。
[Ｃ４４]  前記２つ以上のＡ−ＭＰＤＵサブフレームの前記少なくとも１つの中のフレームの末尾フィールド中の値を復号することと、前記値は、前記２つ以上のＡ−ＭＤＰＵサブフレームの各々に対応する前記１つまたは複数の肯定応答ポリシーのための受信の肯定応答に対する要求のタイプを示す、
前記フレームの末尾フィールド中の前記復号された値が１である場合、前記２つ以上のＡ−ＭＰＤＵサブフレームの前記少なくとも１つの受信に肯定応答する肯定応答フレームを生成することと、
前記肯定応答フレームを送信のために出力することとをさらに備える、Ｃ４０に記載の方法。
[Ｃ４５]  前記２つ以上のＡ−ＭＰＤＵサブフレームの前記少なくとも１つの中のフレームの末尾フィールド中の値を復号することと、前記復号された値は、前記２つ以上のＡ−ＭＤＰＵサブフレームの各々に対応する前記１つまたは複数の肯定応答ポリシーの受信の肯定応答に対する要求のタイプを示す、
前記フレームの末尾フィールド中の前記復号された値が０である場合、前記２つ以上のＡ−ＭＰＤＵサブフレームの前記少なくとも１つの受信に肯定応答するブロック肯定応答フレームを生成することと、
前記ブロック肯定応答フレームを送信のために出力することとをさらに備える、Ｃ４０に記載の方法。
[Ｃ４６]  前記２つ以上のＡ−ＭＰＤＵサブフレームの前記少なくとも１つの中のメディアアクセス制御プロトコルデータユニット（ＭＰＤＵ）デリミタフィールドを復号することと、
前記Ａ−ＭＰＤＵフレームの受信から前記肯定応答フレームを送信のために出力するまでに経過することになる時間遅延を、前記ＭＰＤＵデリミタフィールドに記憶されている値から決定することと、
前記２つ以上のＡ−ＭＰＤＵサブフレームの各々に対応する前記１つまたは複数の肯定応答ポリシーに基づいて、前記時間遅延が経過した後に前記肯定応答フレームを送信のために出力することとをさらに備える、Ｃ４４に記載の方法。
[Ｃ４７]  前記ＭＰＤＵデリミタフィールドに記憶されている前記値がバックオフ値である、Ｃ４６に記載の方法。
[Ｃ４８]  前記ＭＰＤＵデリミタフィールドに記憶されている前記バックオフ値が、短フレーム間空間時間と定数値の少なくとも１つに基づく、Ｃ４７に記載の方法。
[Ｃ４９]  前記２つ以上のＡ−ＭＰＤＵサブフレームの少なくとも１つの受信の肯定応答を生成することと、前記２つ以上のＡ−ＭＰＤＵサブフレームの各々に対応する前記１つまたは複数の肯定応答ポリシーに基づいて、前記Ａ−ＭＤＰＵフレームの送信から短い時間間フレーム空間時間以上の遅延の後に、受信の前記肯定応答を送信のために出力することとをさらに備える、Ｃ４０に記載の方法。
[Ｃ５０]  集約されたメディアアクセス制御プロトコルデータユニット（Ａ−ＭＰＤＵ）フレームを受信し、
前記受信されたＡ−ＭＰＤＵフレームの２つ以上のＡ−ＭＰＤＵサブフレームを復号し、
前記２つ以上のＡ−ＭＰＤＵサブフレームの各々に対応する受信機アドレスを復号し、
前記２つ以上のＡ−ＭＰＤＵサブフレームの各々に対する前記復号された受信機アドレスに基づいて、前記受信されたＡ−ＭＰＤＵフレームの前記２つ以上のＡ−ＭＰＤＵサブフレームの少なくとも１つが前記装置に宛てられると決定する
ように構成される処理システムを備える、ワイヤレス通信のための装置。
[Ｃ５１]  前記処理システムがさらに、
前記２つ以上のＡ−ＭＰＤＵサブフレームの各々の対応する少なくとも１つのフィールドにおいて各Ａ−ＭＰＤＵサブフレームの前記受信機アドレスと関連付けられる少なくとも１つの指示に基づいて、前記装置に宛てられる前記受信されたＡ−ＭＰＤＵフレームの前記２つ以上のＡ−ＭＰＤＵサブフレームの各々に対する肯定応答ポリシーを復号するように構成される、Ｃ５０に記載の装置。
[Ｃ５２]  前記処理システムがさらに、前記２つ以上のＡ−ＭＰＤＵサブフレームの各々の前記少なくとも１つのフィールドが特定の値に設定される場合に、前記少なくとも１つのフィールドの前記特定の値に基づいてフレームを生成し、前記フレームを送信のための出力するように構成される、Ｃ５１に記載の装置。
[Ｃ５３]  前記処理システムがさらに、前記装置に宛てられる前記受信されたＡ−ＭＰＤＵフレームの前記２つ以上のＡ−ＭＰＤＵサブフレームの前記少なくとも１つの中の前記少なくとも１つのフィールドのフレームの末尾フィールド中の値を復号するように構成され、前記処理システムがさらに、前記フレームの末尾フィールド中の前記値が１である場合、前記フレームを送信のために肯定応答フレームとして生成するように構成される、Ｃ５２に記載の装置。
[Ｃ５４]  前記処理システムがさらに、前記装置に宛てられる前記受信されたＡ−ＭＰＤＵフレームの前記２つ以上のＡ−ＭＰＤＵサブフレームの前記少なくとも１つの中の前記少なくとも１つのフィールドのフレームの末尾フィールド中の値を復号するように構成され、前記処理システムがさらに、前記フレームの末尾フィールド中の前記値が０である場合、前記フレームを送信のためにブロック肯定応答フレームとして生成するように構成される、Ｃ５２に記載の装置。
[Ｃ５５]  前記処理システムがさらに、前記２つ以上のＡ−ＭＰＤＵサブフレームの前記少なくとも１つの中のフレームの末尾フィールド中の値を復号するように構成され、前記値は前記２つ以上のＡ−ＭＰＤＵサブフレームの各々の前記肯定応答ポリシーのための受信の肯定応答に対する要求のタイプを示す、さらに、前記フレームの末尾フィールド中の前記値が１である場合、送信のために肯定応答フレームを生成するように構成される、Ｃ５１に記載の装置。
[Ｃ５６]  前記処理システムがさらに、前記２つ以上のＡ−ＭＰＤＵサブフレームの前記少なくとも１つの中のフレームの末尾フィールド中の値を復号するように構成され、前記値は前記２つ以上のＡ−ＭＰＤＵサブフレームの各々の前記肯定応答ポリシーのための受信の肯定応答に対する要求のタイプを示す、さらに、前記フレームの末尾フィールド中の前記値が０である場合、送信のためにブロック肯定応答フレームを生成するように構成される、Ｃ５１に記載の装置。
[Ｃ５７]  前記処理システムがさらに、
前記２つ以上のＡ−ＭＰＤＵサブフレームの前記少なくとも１つの中のメディアアクセス制御プロトコルデータユニット（ＭＰＤＵ）デリミタフィールドを復号し、
前記Ａ−ＭＰＤＵフレームの受信から前記肯定応答フレームの送信までに経過することになる時間遅延を、前記ＭＰＤＵデリミタフィールドに記憶されている値から決定し、
前記２つ以上のＡ−ＭＰＤＵサブフレームの各々の前記肯定応答ポリシーに基づいて、前記時間遅延が経過した後に前記肯定応答フレームを送信のために生成するように構成される、Ｃ５５に記載の装置。
[Ｃ５８]  前記ＭＰＤＵデリミタフィールドに記憶されている前記値がバックオフ値である、Ｃ５７に記載の装置。
[Ｃ５９]  前記ＭＰＤＵデリミタフィールドに記憶されている前記バックオフ値が、短フレーム間空間時間と定数値の少なくとも１つに基づく、Ｃ５８に記載の装置。
[Ｃ６０]  前記処理システムがさらに、前記２つ以上のＡ−ＭＰＤＵサブフレームの各々に対応する前記肯定応答ポリシーに基づいて、前記Ａ−ＭＰＤＵフレームの送信から短フレーム間空間時間以上の遅延の後で前記装置に宛てられる、前記受信されたＡ−ＭＰＤＵフレームの前記２つ以上のＡ−ＭＰＤＵサブフレームの少なくとも１つの受信の肯定応答を送信のために生成するように構成される、Ｃ５１に記載の装置。
[Ｃ６１]  少なくとも１つのアンテナと、
前記アンテナを介して集約されたメディアアクセス制御プロトコルデータユニット（Ａ−ＭＰＤＵ）フレームを受信するように構成される受信機と、
前記受信されたＡ−ＭＰＤＵフレームの２つ以上のＡ−ＭＰＤＵサブフレームと、前記２つ以上のＡ−ＭＰＤＵサブフレームの各々に対応する受信機アドレスとを復号し、
前記２つ以上のＡ−ＭＰＤＵサブフレームの各々に対する前記復号された受信機アドレスに基づいて、前記受信されたＡ−ＭＰＤＵフレームの前記２つ以上のＡ−ＭＰＤＵサブフレームの少なくとも１つが前記ワイヤレスノードに宛てられると決定する
ように構成される処理システムとを備える、ワイヤレス通信のためのワイヤレスノード。
[Ｃ６２]  集約されたメディアアクセス制御プロトコルデータユニット（Ａ−ＭＰＤＵ）フレームを受信するための手段と、
前記受信されたＡ−ＭＰＤＵフレームに基づいて２つ以上のＡ−ＭＰＤＵサブフレームを復号するための手段と、
前記２つ以上のＡ−ＭＰＤＵサブフレームの各々に対応する受信機アドレスを復号するための手段と、
前記２つ以上のＡ−ＭＰＤＵサブフレームの各々に対する前記復号された受信機アドレスに基づいて、前記受信されたＡ−ＭＰＤＵフレームから復号された前記２つ以上のＡ−ＭＰＤＵサブフレームの少なくとも１つが前記装置に宛てられると決定するための手段とを備える、ワイヤレス通信のための装置。
[Ｃ６３]  前記２つ以上のＡ−ＭＰＤＵサブフレームの各々の対応する少なくとも１つのフィールドの中の各Ａ−ＭＰＤＵサブフレームの前記受信機アドレスと関連付けられる少なくとも１つの指示に基づいて、前記２つ以上のＡ−ＭＰＤＵサブフレームの各々に対する肯定応答ポリシーを復号するための手段をさらに備える、Ｃ６２に記載の装置。
[Ｃ６４]  前記２つ以上のＡ−ＭＰＤＵサブフレームの各々の前記少なくとも１つのフィールドが特定の値に設定される場合に、前記少なくとも１つのフィールドの前記特定の値に基づいてフレームを生成するための手段と、前記フレームを送信するための手段とをさらに備える、Ｃ６３に記載の装置。
[Ｃ６５]  復号するための前記手段がさらに、前記２つ以上のＡ−ＭＰＤＵサブフレームの前記少なくとも１つの中の前記少なくとも１つのフィールドのフレームの末尾フィールド中の値を復号するように構成され、生成するための前記手段が、肯定応答フレームを生成するように構成され、送信するための前記手段がさらに、前記フレームの末尾フィールド中の前記値が１である場合、前記肯定応答フレームを前記フレームとして送信するように構成される、Ｃ６４に記載の装置。
[Ｃ６６]  復号するための前記手段がさらに、前記２つ以上のＡ−ＭＰＤＵサブフレームの前記少なくとも１つの中の前記少なくとも１つのフィールドのフレームの末尾フィールド中の値を復号するように構成され、生成するための前記手段が、肯定応答フレームを生成するように構成され、送信するための前記手段がさらに、前記フレームの末尾フィールド中の前記値が０である場合、ブロック肯定応答フレームを前記フレームとして送信するように構成される、Ｃ６４に記載の装置。
[Ｃ６７]  前記２つ以上のＡ−ＭＰＤＵサブフレームの前記少なくとも１つの中のフレームの末尾フィールド中の値を復号するための手段と、前記値は、前記２つ以上のＡ−ＭＰＤＵサブフレームの各々の前記肯定応答ポリシーのための受信の肯定応答に対する要求のタイプを示す、
前記フレームの末尾フィールド中の前記値が１である場合、前記２つ以上のＡ−ＭＰＤＵサブフレームの前記少なくとも１つに対する肯定応答フレームを生成するための手段と、
前記肯定応答フレームを送信するための手段とをさらに備える、Ｃ６３に記載の装置。
[Ｃ６８]  前記２つ以上のＡ−ＭＰＤＵサブフレームの前記少なくとも１つの中のフレームの末尾フィールド中の値を復号するための手段と、前記値は、前記２つ以上のＡ−ＭＰＤＵサブフレームの各々の前記肯定応答ポリシーのための受信の肯定応答に対する要求のタイプを示す、
前記フレームの末尾フィールド中の前記値が０である場合、前記２つ以上のＡ−ＭＰＤＵサブフレームの前記少なくとも１つに対するブロック肯定応答フレームを生成するための手段と、
前記ブロック肯定応答フレームを送信するための手段とをさらに備える、Ｃ６３に記載の装置。
[Ｃ６９]  前記２つ以上のＡ−ＭＰＤＵサブフレームの前記少なくとも１つの中のメディアアクセス制御プロトコルユニット（ＭＰＤＵ）デリミタフィールドを復号するための手段と、
前記Ａ−ＭＰＤＵフレームの受信から前記肯定応答フレームの送信までに経過することになる時間遅延を、前記ＭＰＤＵデリミタフィールドに記憶されている値から決定するための手段と、
前記２つ以上のＡ−ＭＰＤＵサブフレームの各々の前記肯定応答ポリシーに基づいて、前記時間遅延が経過した後に前記肯定応答フレームを送信するための手段とをさらに備える、Ｃ６７に記載の装置。
[Ｃ７０]  前記ＭＰＤＵデリミタフィールド中の前記値がバックオフ値である、Ｃ６９に記載の装置。
[Ｃ７１]  短フレーム間空間時間と定数値の少なくとも１つに基づく、前記ＭＰＤＵデリミタフィールドに記憶されている前記バックオフ値、Ｃ７０に記載の装置。
[Ｃ７２]  前記２つ以上のＡ−ＭＰＤＵサブフレームの少なくとも１つの受信の肯定応答を生成するための手段と、前記２つ以上のＡ−ＭＰＤＵサブフレームの前記少なくとも１つに対する前記肯定応答ポリシーがブロック肯定応答ポリシーを示す場合、前記Ａ−ＭＰＤＵフレームの送信から短フレーム間空間時間以上の遅延の後で、受信の前記肯定応答を送信するための手段とをさらに備える、Ｃ６３に記載の装置。
[Ｃ７３]  実行されると、装置にワイヤレス通信の方法を実行させる命令が符号化された、コンピュータ可読媒体を備えるコンピュータプログラム製品であって、前記方法が、
集約されたメディアアクセス制御プロトコルデータユニット（Ａ−ＭＰＤＵ）フレームを受信することと、
前記受信されたＡ−ＭＰＤＵフレームの２つ以上のＡ−ＭＰＤＵサブフレームを復号することと、
前記２つ以上のＡ−ＭＰＤＵサブフレームの各々に対応する受信機アドレスを復号することと、
前記受信されたＡ−ＭＰＤＵフレームの前記２つ以上のＡ−ＭＰＤＵサブフレームの少なくとも１つが前記装置に宛てられると決定することとを備える、コンピュータプログラム製品。
[Ｃ７４]  前記装置によって、前記２つ以上のＡ−ＭＰＤＵサブフレームの各々のソース送信機アドレスを示すために、前記２つ以上のＡ−ＭＰＤＵサブフレームの各々の送信機アドレスフィールドを設定することをさらに備える、Ｃ１に記載の方法。
[Ｃ７５]  前記処理システムがさらに、前記２つ以上のＡ−ＭＰＤＵサブフレームの各々のソース送信機アドレスを示すように、前記２つ以上のＡ−ＭＰＤＵサブフレームの各々の送信機アドレスフィールドを設定するように構成される、Ｃ１３に記載の装置。
[Ｃ７６]  前記２つ以上のＡ−ＭＰＤＵサブフレームの各々のソース送信機アドレスを示すために、前記２つ以上のＡ−ＭＰＤＵサブフレームの各々の送信機アドレスフィールドを設定するための手段をさらに備える、Ｃ２６に記載の装置。
【国際調査報告】
2016533675.tif 000030
2016533675.tif 000031
2016533675.tif 000032